(57)【要約】  録画装置の録画予約可能期限を超える録画予約を可能にする。  受信した録画予約登録要求に対応して録画予約を設定し録画可能な録画装置（３０）に、録画予約登録要求を送信する録画予約登録装置（１０）であって、録画予約情報を入力する予約情報入力部（１９）と、録画予約登録要求を生成する制御部（１１）と、生成された録画予約登録要求を録画装置に送信する予約情報送信部（１６）とを備える。制御部（１１）は、入力された録画予約情報によって特定される時間帯と、録画装置の録画予約設定の可能期限とを比較し、録画装置において録画予約設定できる時には入力された録画予約情報から録画予約登録要求を生成し、録画装置において録画予約設定できない時には、録画装置において録画予約設定が可能になるまでその録画予約情報を保持しておき、録画予約設定が可能になった時に保持しておいた録画予約情報から録画予約登録要求を生成する。
2010064404.tif 000002
【特許請求の範囲】
【請求項１】
放送される番組の録画予約登録要求を送信する録画予約登録装置と、
前記録画予約登録要求を受信し、その録画予約登録要求に対応して録画予約を設定する、録画可能な録画装置とを備えた録画予約登録システムであって、
前記録画予約登録装置は、
前記録画装置に録画予約する番組の録画予約情報を入力する予約情報入力部と、
入力された前記録画予約情報によって特定される時間帯と、前記録画装置の録画予約設定の可能期限とを比較し、前記録画装置において録画予約設定できるときには、前記録画予約情報から前記録画予約登録要求を生成し、前記録画装置において録画予約設定できないときには、前記録画装置において録画予約設定が可能になるまで前記録画予約情報を保持しておき、前記録画装置において録画予約設定が可能になったときに、保持しておいた前記録画予約情報から前記録画予約登録要求を生成する制御部と、
前記制御部で生成された前記録画予約登録要求を前記録画装置に送信する予約情報送信部とを有する、録画予約登録システム。
【請求項２】
放送される番組の録画予約登録要求を受信してその録画予約登録要求に対応して録画予約を設定し、録画可能な録画装置に、前記録画予約登録要求を送信する録画予約登録装置であって、
前記録画装置に録画予約する番組の録画予約情報を入力する予約情報入力部と、
入力された前記録画予約情報によって特定される時間帯と、前記録画装置の録画予約設定の可能期限とを比較し、前記録画装置において録画予約設定できるときには、前記録画予約情報から前記録画予約登録要求を生成し、前記録画装置において録画予約設定できないときには、前記録画装置において録画予約設定が可能になるまで前記録画予約情報を保持しておき、前記録画装置において録画予約設定が可能になったときに、保持しておいた前記録画予約情報から前記録画予約登録要求を生成する制御部と、
前記制御部で生成された前記録画予約登録要求を前記録画装置に送信する予約情報送信部とを備えた、録画予約登録装置。
【請求項３】
放送される番組の録画予約登録要求を送信する録画予約登録装置と、
前記録画予約登録要求を受信し、その録画予約登録要求に対応して録画予約を設定する、録画可能な録画装置とを備えた録画予約登録システムであって、
前記録画予約の種類が２つあり、それらの録画予約設定の可能期限は互いに異なっており、
前記録画予約登録装置は、
前記録画装置に録画予約する番組の、録画予約種類の情報を含む録画予約情報を入力する予約情報入力部と、
入力された前記録画予約情報によって特定される時間帯と、前記録画装置の２つの前記録画予約設定の可能期限のうち前記録画予約情報の録画予約種類に対応する可能期限とを比較し、前記録画装置において録画予約設定できるときには、前記録画予約情報の録画予約種類に対応した録画予約登録要求を生成し、前記録画装置において録画予約設定できないときには、さらに、入力された前記録画予約情報によって特定される時間帯と、前記録画装置の２つの前記録画予約設定の可能期限のうち前記録画予約情報の録画予約種類とは異なる録画予約種類に対応する可能期限とを比較し、前記録画装置において前記異なる録画予約種類によって録画予約設定できるときには、入力された前記録画予約情報から前記異なる録画予約種類に対応した録画予約登録要求を生成する制御部と、
前記制御部で生成された前記録画予約登録要求を前記録画装置に送信する予約情報送信部とを有する、録画予約登録システム。
【請求項４】
放送される番組の録画予約登録要求を受信してその録画予約登録要求に対応して録画予約を設定し、録画可能な録画装置に、前記録画予約登録要求を送信する録画予約登録装置であって、
前記録画予約の種類が２つあり、それらの録画予約設定の可能期限は互いに異なっており、
前記録画装置に録画予約する番組の、録画予約種類の情報を含む録画予約情報を入力する予約情報入力部と、
入力された前記録画予約情報によって特定される時間帯と、前記録画装置の２つの前記録画予約設定の可能期限のうち前記録画予約情報の録画予約種類に対応する可能期限とを比較し、前記録画装置において録画予約設定できるときには、前記録画予約情報の録画予約種類に対応した録画予約登録要求を生成し、前記録画装置において録画予約設定できないときには、さらに、入力された前記録画予約情報によって特定される時間帯と、前記録画装置の２つの前記録画予約設定の可能期限のうち前記録画予約情報の録画予約種類とは異なる録画予約種類に対応する可能期限とを比較し、前記録画装置において前記異なる録画予約種類によって録画予約設定できるときには、入力された前記録画予約情報から前記異なる録画予約種類に対応した録画予約登録要求を生成する制御部と、
前記制御部で生成された前記録画予約登録要求を前記録画装置に送信する予約情報送信部とを備えた、録画予約登録装置。
【請求項５】
前記制御部は、前記録画装置において前記異なる録画予約種類によっても録画予約設定できないときには、前記録画装置において可能期限が長い方の録画予約種類によって録画予約設定が可能になるまで入力された前記録画予約情報を保持しておきその録画予約設定が可能になったときに、保持しておいた前記録画予約情報から前記可能期限が長い方の録画予約種類に対応した録画予約登録要求を生成する、請求項４に記載の録画予約登録装置。
【請求項６】
前記制御部は、前記可能期限が長い方の録画予約種類が、入力された前記録画予約情報の録画予約種類ではない場合には、前記可能期限が長い方の録画予約種類に対応した録画予約登録要求を生成した後、前記可能期限が短い方の録画予約種類によって録画予約設定が可能になったときに、入力された前記録画予約情報の録画予約種類に対応した録画予約登録要求と、前記可能期限が長い方の録画予約種類の録画予約登録要求によって設定された録画予約の取り消し指令とを生成し、
前記予約情報送信部は、前記制御部で生成された前記録画予約の取り消し指令と、入力された前記録画予約情報の録画予約種類に対応した録画予約登録要求とを前記録画装置に送信する、請求項５に記載の録画予約登録装置。
【請求項７】
放送される番組の録画予約登録要求を送信する録画予約登録装置と、
前記録画予約登録要求を受信し、その録画予約登録要求に対応して録画予約を設定する、録画可能な録画装置とを備えた録画予約登録システムであって、
前記録画予約の種類が２つあり、それらの録画予約設定の可能期限は互いに異なっており、
前記録画予約登録装置は、
前記録画装置に録画予約する番組の、録画予約種類の情報を含む録画予約情報を入力する予約情報入力部と、
入力された前記録画予約情報によって特定される時間帯と、前記録画装置の２つの前記録画予約設定の可能期限のうち前記録画予約情報の録画予約種類に対応する可能期限とを比較し、前記録画装置において録画予約設定できるときには、前記録画予約情報の録画予約種類に対応した録画予約登録要求を生成し、前記録画装置において録画予約設定できないときで、かつ前記録画予約情報の録画予約種類とは異なる録画予約種類に対応する可能期限の方が前記録画予約情報の録画予約種類の可能期限よりも長い場合には、さらに、入力された前記録画予約情報によって特定される時間帯と、前記異なる録画予約種類に対応する可能期限とを比較し、前記録画装置において前記異なる録画予約種類によって録画予約設定できるときには、入力された前記録画予約情報から前記異なる録画予約種類に対応した録画予約登録要求を生成する制御部と、
前記制御部で生成された前記録画予約登録要求を前記録画装置に送信する予約情報送信部とを有する、録画予約登録システム。
【請求項８】
放送される番組の録画予約登録要求を受信してその録画予約登録要求に対応して録画予約を設定し、録画可能な録画装置に、前記録画予約登録要求を送信する録画予約登録装置であって、
前記録画予約の種類が２つあり、それらの録画予約設定の可能期限は互いに異なっており、
前記録画装置に録画予約する番組の、録画予約種類の情報を含む録画予約情報を入力する予約情報入力部と、
入力された前記録画予約情報によって特定される時間帯と、前記録画装置の２つの前記録画予約設定の可能期限のうち前記録画予約情報の録画予約種類に対応する可能期限とを比較し、前記録画装置において録画予約設定できるときには、前記録画予約情報の録画予約種類に対応した録画予約登録要求を生成し、前記録画装置において録画予約設定できないときで、かつ前記録画予約情報の録画予約種類とは異なる録画予約種類に対応する可能期限の方が前記録画予約情報の録画予約種類の可能期限よりも長い場合には、さらに、入力された前記録画予約情報によって特定される時間帯と、前記異なる録画予約種類に対応する可能期限とを比較し、前記録画装置において前記異なる録画予約種類によって録画予約設定できるときには、入力された前記録画予約情報から前記異なる録画予約種類に対応した録画予約登録要求を生成する制御部と、
前記制御部で生成された前記録画予約登録要求を前記録画装置に送信する予約情報送信部とを備えた、録画予約登録装置。
【請求項９】
前記制御部は、前記録画装置において前記異なる録画予約種類によっても録画予約設定できないときには、前記録画装置において入力された前記録画予約情報の録画予約種類によって録画予約設定が可能になるまで入力された前記録画予約情報を保持しておきその録画予約設定が可能になったときに、保持しておいた前記録画予約情報の録画予約種類に対応した録画予約登録要求を生成する、請求項４または８に記載の録画予約登録装置。
【請求項１０】
前記２つの録画予約の種類とは、絶対時間による時間帯で設定される時間指定予約と、番組情報に含まれる番組識別子に基づいて設定される番組予約であり、
前記制御部は、前記時間指定予約で入力された前記録画予約情報から前記番組予約に対応した録画予約登録要求を生成するときには、入力された前記録画予約情報で特定される時間帯を含むような、一または連続した複数の番組に対応する前記録画予約登録要求を生成する、請求項４または８に記載の録画予約登録装置。
【請求項１１】
前記制御部は、前記録画装置において入力された前記録画予約情報の録画予約種類によって録画予約設定できないときで、かつ前記録画予約情報の録画予約種類とは異なる録画予約種類に対応する可能期限の方が前記録画予約情報の録画予約種類の可能期限よりも短い場合には、前記録画装置において入力された前記録画予約情報の録画予約種類によって録画予約設定が可能になるまで入力された前記録画予約情報を保持しておきその録画予約設定が可能になったときに、保持しておいた前記録画予約情報の録画予約種類に対応した録画予約登録要求を生成する、請求項８に記載の録画予約登録装置。
【請求項１２】
前記制御部は、前記録画装置において前記異なる録画予約種類によっても録画予約設定できないときには、前記録画装置において前記異なる録画予約種類によって録画予約設定が可能になるまで入力された前記録画予約情報を保持しておきその録画予約設定が可能になったときに、保持しておいた前記録画予約情報から前記異なる録画予約種類に対応した録画予約登録要求を生成する、請求項８に記載の録画予約登録装置。
【請求項１３】
前記制御部は、前記異なる録画予約種類に対応した録画予約登録要求を生成した後、入力された前記録画予約情報の録画予約種類によって録画予約設定が可能になったときに、入力された前記録画予約情報の録画予約種類に対応した録画予約登録要求と、前記異なる録画予約種類の録画予約登録要求によって設定された録画予約の取り消し指令とを生成し、
前記予約情報送信部は、前記制御部で生成された前記録画予約の取り消し指令と、入力された前記録画予約情報の録画予約種類に対応した録画予約登録要求とを前記録画装置に送信する、請求項１２に記載の録画予約登録装置。
【請求項１４】
前記録画予約情報によって特定される時間帯とは、絶対時間で決められた時間帯、または、番組情報に含まれる番組識別子で決まる時間帯であり、
前記録画予約設定の可能期限とは、絶対時間で決まる期限、または、前記録画装置が前記録画予約登録要求を受信するときからの相対時間で決まる期限として定められている、請求項２、４および８のいずれかに記載の録画予約登録装置。
【請求項１５】
ユーザが前記録画装置の録画予約設定の可能期限を入力する期限情報入力部を備えた、請求項２、４および８のいずれかに記載の録画予約登録装置。
【請求項１６】
前記録画予約設定の可能期限の情報を前記録画装置から取得する期限情報受信部を備えた、請求項２、４および８のいずれかに記載の録画予約登録装置。
【請求項１７】
前記期限情報受信部は、前記録画予約設定の可能期限の情報を、入力された前記録画予約情報によって特定される時間帯を比較する毎に前記録画装置から取得する、または、予め前記録画装置から取得しておく、請求項１６に記載の録画予約登録装置。
【請求項１８】
前記制御部による処理結果を表示する表示部を備えた、請求項２、４および８のいずれかに記載の録画予約登録装置。
【請求項１９】
放送される番組の録画予約登録要求を受信してその録画予約登録要求に対応して録画予約を設定する録画可能な録画装置に、前記録画予約登録要求を送信する録画予約登録装置の録画予約登録方法であって、
前記録画装置に録画予約する番組の録画予約情報を入力する予約情報入力ステップと、
入力された前記録画予約情報によって特定される時間帯と、前記録画装置の録画予約設定の可能期限とを比較し、前記録画装置において録画予約設定できるときには、前記録画予約情報から前記録画予約登録要求を生成し、前記録画装置において録画予約設定できないときには、前記録画装置において録画予約設定が可能になるまで前記録画予約情報を保持しておき、前記録画装置において録画予約設定が可能になったときに、保持しておいた前記録画予約情報から前記録画予約登録要求を生成する制御ステップと、
前記制御ステップで生成された前記録画予約登録要求を前記録画装置に送信する予約情報送信ステップとを備えた、録画予約登録方法。
【請求項２０】
放送される番組の録画予約登録要求を受信してその録画予約登録要求に対応して録画予約を設定する録画可能な録画装置に、前記録画予約登録要求を送信する録画予約登録装置の録画予約登録方法であって、
前記録画予約の種類が２つあり、それらの録画予約設定の可能期限は互いに異なっており、
前記録画装置に録画予約する番組の、録画予約種類の情報を含む録画予約情報を入力する予約情報入力ステップと、
入力された前記録画予約情報によって特定される時間帯と、前記録画装置の２つの前記録画予約設定の可能期限のうち前記録画予約情報の録画予約種類に対応する可能期限とを比較し、前記録画装置において録画予約設定できるときには、前記録画予約情報の録画予約種類に対応した録画予約登録要求を生成し、前記録画装置において録画予約設定できないときには、さらに、入力された前記録画予約情報によって特定される時間帯と、前記録画装置の２つの前記録画予約設定の可能期限のうち前記録画予約情報の録画予約種類とは異なる録画予約種類に対応する可能期限とを比較し、前記録画装置において前記異なる録画予約種類によって録画予約設定できるときには、入力された前記録画予約情報から前記異なる録画予約種類に対応した録画予約登録要求を生成する制御ステップと、
前記制御ステップで生成された前記録画予約登録要求を前記録画装置に送信する予約情報送信ステップとを備えた、録画予約登録方法。
【請求項２１】
放送される番組の録画予約登録要求を受信してその録画予約登録要求に対応して録画予約を設定する録画可能な録画装置に、前記録画予約登録要求を送信する録画予約登録装置の録画予約登録方法であって、
前記録画予約の種類が２つあり、それらの録画予約設定の可能期限は互いに異なっており、
前記録画装置に録画予約する番組の、録画予約種類の情報を含む録画予約情報を入力する予約情報入力ステップと、
入力された前記録画予約情報によって特定される時間帯と、前記録画装置の２つの前記録画予約設定の可能期限のうち前記録画予約情報の録画予約種類に対応する可能期限とを比較し、前記録画装置において録画予約設定できるときには、前記録画予約情報の録画予約種類に対応した録画予約登録要求を生成し、前記録画装置において録画予約設定できないときで、かつ前記録画予約情報の録画予約種類とは異なる録画予約種類に対応する可能期限の方が前記録画予約情報の録画予約種類の可能期限よりも長い場合には、さらに、入力された前記録画予約情報によって特定される時間帯と、前記異なる録画予約種類に対応する可能期限とを比較し、前記録画装置において前記異なる録画予約種類によって録画予約設定できるときには、入力された前記録画予約情報から前記異なる録画予約種類に対応した録画予約登録要求を生成する制御ステップと、
前記制御ステップで生成された前記録画予約登録要求を前記録画装置に送信する予約情報送信ステップとを備えた、録画予約登録方法。
【請求項２２】
請求項１９に記載の録画予約登録方法の、入力された前記録画予約情報によって特定される時間帯と、前記録画装置の録画予約設定の可能期限とを比較し、前記録画装置において録画予約設定できるときには、前記録画予約情報から前記録画予約登録要求を生成し、前記録画装置において録画予約設定できないときには、前記録画装置において録画予約設定が可能になるまで前記録画予約情報を保持しておき、前記録画装置において録画予約設定が可能になったときに、保持しておいた前記録画予約情報から前記録画予約登録要求を生成する前記制御ステップをコンピュータに実行させるプログラム。
【請求項２３】
請求項２０に記載の録画予約登録方法の、入力された前記録画予約情報によって特定される時間帯と、前記録画装置の２つの前記録画予約設定の可能期限のうち前記録画予約情報の録画予約種類に対応する可能期限とを比較し、前記録画装置において録画予約設定できるときには、前記録画予約情報の録画予約種類に対応した録画予約登録要求を生成し、前記録画装置において録画予約設定できないときには、さらに、入力された前記録画予約情報によって特定される時間帯と、前記録画装置の２つの前記録画予約設定の可能期限のうち前記録画予約情報の録画予約種類とは異なる録画予約種類に対応する可能期限とを比較し、前記録画装置において前記異なる録画予約種類によって録画予約設定できるときには、入力された前記録画予約情報から前記異なる録画予約種類に対応した録画予約登録要求を生成する前記制御ステップをコンピュータに実行させるプログラム。
【請求項２４】
請求項２１に記載の録画予約登録方法の、入力された前記録画予約情報によって特定される時間帯と、前記録画装置の２つの前記録画予約設定の可能期限のうち前記録画予約情報の録画予約種類に対応する可能期限とを比較し、前記録画装置において録画予約設定できるときには、前記録画予約情報の録画予約種類に対応した録画予約登録要求を生成し、前記録画装置において録画予約設定できないときで、かつ前記録画予約情報の録画予約種類とは異なる録画予約種類に対応する可能期限の方が前記録画予約情報の録画予約種類の可能期限よりも長い場合には、さらに、入力された前記録画予約情報によって特定される時間帯と、前記異なる録画予約種類に対応する可能期限とを比較し、前記録画装置において前記異なる録画予約種類によって録画予約設定できるときには、入力された前記録画予約情報から前記異なる録画予約種類に対応した録画予約登録要求を生成する前記制御ステップをコンピュータに実行させるプログラム。
【請求項２５】
請求項２２〜２４のいずれかに記載のプログラムを記録した記録媒体であって、コンピュータにより処理可能な記録媒体。
【発明の詳細な説明】
【技術分野】
【０００１】
本発明は、録画予約登録システム、録画予約登録装置、および録画予約登録方法等に関する。例えば、選択された番組の番組情報から録画装置に対して録画予約登録要求を行う録画予約登録装置と、録画予約登録装置からの録画予約登録要求に応じて録画予約設定を行い録画予約を実行する録画装置とから構成される録画予約登録システム、録画予約登録装置、および録画予約登録方法等に関する。
【背景技術】
【０００２】
家庭内にあるＡＶ（オーディオ・ビジュアル）機器をネットワークで相互に接続してＡＶ機器間でコンテンツを共有する等の、他のＡＶ機器を制御する技術が普及するようになってきた。例えばＰＣやＴＶ等の録画予約登録装置が、録画予約登録要求をＨＤＤレコーダ等の録画装置に送信することで、リモートで録画予約登録を行う録画予約登録システムが存在する。【０００３】
このような従来の録画予約登録システムの録画予約登録時の処理フロー例を図１６に示す。ここでは、デジタルテレビ（ＤＴＶ）１００が、ネットワークで接続されたデジタルビデオレコーダ（ＤＶＲ）１０１の録画予約登録を行う例を示している。【０００４】
まず、録画予約登録装置としてのＤＴＶ１００において、ＤＶＲ１０１に予約登録する情報（録画予約情報）を入力し、決定する（ステップＳ１００）。ユーザは、ＤＴＶ１００が取得した番組情報を画面に表示させ、ＤＴＶ１００に付属のリモコン１０２を操作して、録画予約を希望する番組を選択する。ＤＴＶ１００は、その選択された番組の番組情報と、ユーザが希望した録画モード等から、録画予約に必要なパラメータを含む録画予約登録要求１０３を生成し、ネットワークを介してＤＶＲ１０１に送信する。【０００５】
ＤＶＲ１０１は、受信した録画予約登録要求１０３とＤＶＲ１０１自身が保持している情報と自身の録画予約能力から録画予約可否判定を行い（ステップＳ１１０）、録画予約が可能である場合には、録画予約の設定を行う（ステップＳ１１１）と共に、録画予約設定が完了したことを示す応答１０４を、ＤＴＶ１００に返送する。ステップＳ１１０で、録画予約が不可であると判断した場合には、録画予約設定処理（ステップＳ１１１）を行わずに、録画予約設定が不可であることを示す応答１０４をＤＴＶ１００に返送する。【０００６】
そして、ＤＴＶ１００は、ＤＶＲ１０１から応答（登録結果）１０４を受信すると、ＤＶＲ１０１における予約登録結果を画面に表示して、ユーザは予約登録結果を知ることができる（ステップＳ１０１）。【０００７】
このようにして、ネットワークで接続された録画予約登録装置から録画装置に対する録画予約設定処理を実現していた。
【発明の概要】
【発明が解決しようとする課題】
【０００８】
しかしながら、上記従来の録画予約登録システムでは、録画装置側の録画予約設定可能な期限よりも先の番組や時間を指定した録画予約情報を録画予約登録装置に入力した場合には、録画装置に録画予約を設定することができなかった。【０００９】
この問題について、以下に具体的に説明する。【００１０】
録画装置は通常、例えば開始日時や録画時間のみを指定した時間指定予約なら１か月先まで、また放送に含まれる番組識別子を指定することにより、番組に追従して録画予約を実行する番組予約の場合なら、番組情報が取得可能な１週間先まで、といった具合に録画予約種別毎に録画予約設定可能な期限をもっている。そのため、録画予約登録装置側で入力される録画予約情報が、録画装置側の録画予約設定可能な期限よりも先の番組や時間を指定する内容の場合には、録画装置側では録画予約の設定に失敗してしまう。【００１１】
図１７に、録画装置側の録画予約設定可能な期限と録画予約登録装置側で入力する録画予約要求期間の関係を示す。図１７は、番組予約による録画予約設定可能な期限の例を示しており、この場合、録画装置側には、現在から８日後までの録画予約しか設定することができない。一方、録画予約登録装置では、録画装置が参照可能な日時よりも先の日時までの番組情報が参照でき、録画装置側で録画予約設定可能な期間（８日後まで）よりも先の期間（例えば、現在から３０日後までの期間）における時間帯の番組の予約設定の入力ができるものとする。【００１２】
この場合に、例えば、録画予約登録装置側で録画予約要求期間Ａを特定する録画予約情報を入力した場合には、録画予約要求期間Ａは現在から３日後の時間帯であり、録画装置の録画予約設定可能期間内の時間帯なので、録画装置にその録画予約が設定される。しかし、録画予約登録装置側で録画予約要求期間Ｂを特定する録画予約情報を入力した場合には、録画予約要求期間Ｂは現在から１０日先の時間帯であり、録画装置の録画予約の設定ができない期間なので、その録画予約を設定できず、録画予約登録装置側に「録画予約設定できなかった」旨の通知が返される。つまり、録画予約要求期間Ｂを指定した場合には、ユーザは、録画予約登録をしたいと思った時点には、録画予約の入力処理を完了できなかった。【００１３】
その結果、ユーザが、録画予約要求期間Ｂの番組を録画予約するためには、録画予約要求期間Ｂが、録画装置の録画予約設定可能期限１０５以前の時間帯となるまで待ち、再度その録画予約情報を入力しなければならない、という不便さがあった。【００１４】
本発明は、上記従来の課題を考慮して、録画装置の録画予約設定可能期限を超える録画予約を可能にする録画予約登録システム、録画予約登録装置および録画予約登録方法等を提供することを目的とする。
【課題を解決するための手段】
【００１５】
上述した課題を解決するために、第１の本発明は、
放送される番組の録画予約登録要求を送信する録画予約登録装置と、
前記録画予約登録要求を受信し、その録画予約登録要求に対応して録画予約を設定する、録画可能な録画装置とを備えた録画予約登録システムであって、
前記録画予約登録装置は、
前記録画装置に録画予約する番組の録画予約情報を入力する予約情報入力部と、
入力された前記録画予約情報によって特定される時間帯と、前記録画装置の録画予約設定の可能期限とを比較し、前記録画装置において録画予約設定できるときには、前記録画予約情報から前記録画予約登録要求を生成し、前記録画装置において録画予約設定できないときには、前記録画装置において録画予約設定が可能になるまで前記録画予約情報を保持しておき、前記録画装置において録画予約設定が可能になったときに、保持しておいた前記録画予約情報から前記録画予約登録要求を生成する制御部と、
前記制御部で生成された前記録画予約登録要求を前記録画装置に送信する予約情報送信部とを有する、録画予約登録システムである。【００１６】
また、第２の本発明は、
放送される番組の録画予約登録要求を受信してその録画予約登録要求に対応して録画予約を設定し、録画可能な録画装置に、前記録画予約登録要求を送信する録画予約登録装置であって、
前記録画装置に録画予約する番組の録画予約情報を入力する予約情報入力部と、
入力された前記録画予約情報によって特定される時間帯と、前記録画装置の録画予約設定の可能期限とを比較し、前記録画装置において録画予約設定できるときには、前記録画予約情報から前記録画予約登録要求を生成し、前記録画装置において録画予約設定できないときには、前記録画装置において録画予約設定が可能になるまで前記録画予約情報を保持しておき、前記録画装置において録画予約設定が可能になったときに、保持しておいた前記録画予約情報から前記録画予約登録要求を生成する制御部と、
前記制御部で生成された前記録画予約登録要求を前記録画装置に送信する予約情報送信部とを備えた、録画予約登録装置である。【００１７】
また、第３の本発明は、
放送される番組の録画予約登録要求を送信する録画予約登録装置と、
前記録画予約登録要求を受信し、その録画予約登録要求に対応して録画予約を設定する、録画可能な録画装置とを備えた録画予約登録システムであって、
前記録画予約の種類が２つあり、それらの録画予約設定の可能期限は互いに異なっており、
前記録画予約登録装置は、
前記録画装置に録画予約する番組の、録画予約種類の情報を含む録画予約情報を入力する予約情報入力部と、
入力された前記録画予約情報によって特定される時間帯と、前記録画装置の２つの前記録画予約設定の可能期限のうち前記録画予約情報の録画予約種類に対応する可能期限とを比較し、前記録画装置において録画予約設定できるときには、前記録画予約情報の録画予約種類に対応した録画予約登録要求を生成し、前記録画装置において録画予約設定できないときには、さらに、入力された前記録画予約情報によって特定される時間帯と、前記録画装置の２つの前記録画予約設定の可能期限のうち前記録画予約情報の録画予約種類とは異なる録画予約種類に対応する可能期限とを比較し、前記録画装置において前記異なる録画予約種類によって録画予約設定できるときには、入力された前記録画予約情報から前記異なる録画予約種類に対応した録画予約登録要求を生成する制御部と、
前記制御部で生成された前記録画予約登録要求を前記録画装置に送信する予約情報送信部とを有する、録画予約登録システムである。【００１８】
また、第４の本発明は、
放送される番組の録画予約登録要求を受信してその録画予約登録要求に対応して録画予約を設定し、録画可能な録画装置に、前記録画予約登録要求を送信する録画予約登録装置であって、
前記録画予約の種類が２つあり、それらの録画予約設定の可能期限は互いに異なっており、
前記録画装置に録画予約する番組の、録画予約種類の情報を含む録画予約情報を入力する予約情報入力部と、
入力された前記録画予約情報によって特定される時間帯と、前記録画装置の２つの前記録画予約設定の可能期限のうち前記録画予約情報の録画予約種類に対応する可能期限とを比較し、前記録画装置において録画予約設定できるときには、前記録画予約情報の録画予約種類に対応した録画予約登録要求を生成し、前記録画装置において録画予約設定できないときには、さらに、入力された前記録画予約情報によって特定される時間帯と、前記録画装置の２つの前記録画予約設定の可能期限のうち前記録画予約情報の録画予約種類とは異なる録画予約種類に対応する可能期限とを比較し、前記録画装置において前記異なる録画予約種類によって録画予約設定できるときには、入力された前記録画予約情報から前記異なる録画予約種類に対応した録画予約登録要求を生成する制御部と、
前記制御部で生成された前記録画予約登録要求を前記録画装置に送信する予約情報送信部とを備えた、録画予約登録装置である。【００１９】
また、第５の本発明は、
前記制御部は、前記録画装置において前記異なる録画予約種類によっても録画予約設定できないときには、前記録画装置において可能期限が長い方の録画予約種類によって録画予約設定が可能になるまで入力された前記録画予約情報を保持しておきその録画予約設定が可能になったときに、保持しておいた前記録画予約情報から前記可能期限が長い方の録画予約種類に対応した録画予約登録要求を生成する、第４の本発明の録画予約登録装置である。【００２０】
また、第６の本発明は、
前記制御部は、前記可能期限が長い方の録画予約種類が、入力された前記録画予約情報の録画予約種類ではない場合には、前記可能期限が長い方の録画予約種類に対応した録画予約登録要求を生成した後、前記可能期限が短い方の録画予約種類によって録画予約設定が可能になったときに、入力された前記録画予約情報の録画予約種類に対応した録画予約登録要求と、前記可能期限が長い方の録画予約種類の録画予約登録要求によって設定された録画予約の取り消し指令とを生成し、
前記予約情報送信部は、前記制御部で生成された前記録画予約の取り消し指令と、入力された前記録画予約情報の録画予約種類に対応した録画予約登録要求とを前記録画装置に送信する、第５の本発明の録画予約登録装置である。【００２１】
また、第７の本発明は、
放送される番組の録画予約登録要求を送信する録画予約登録装置と、
前記録画予約登録要求を受信し、その録画予約登録要求に対応して録画予約を設定する、録画可能な録画装置とを備えた録画予約登録システムであって、
前記録画予約の種類が２つあり、それらの録画予約設定の可能期限は互いに異なっており、
前記録画予約登録装置は、
前記録画装置に録画予約する番組の、録画予約種類の情報を含む録画予約情報を入力する予約情報入力部と、
入力された前記録画予約情報によって特定される時間帯と、前記録画装置の２つの前記録画予約設定の可能期限のうち前記録画予約情報の録画予約種類に対応する可能期限とを比較し、前記録画装置において録画予約設定できるときには、前記録画予約情報の録画予約種類に対応した録画予約登録要求を生成し、前記録画装置において録画予約設定できないときで、かつ前記録画予約情報の録画予約種類とは異なる録画予約種類に対応する可能期限の方が前記録画予約情報の録画予約種類の可能期限よりも長い場合には、さらに、入力された前記録画予約情報によって特定される時間帯と、前記異なる録画予約種類に対応する可能期限とを比較し、前記録画装置において前記異なる録画予約種類によって録画予約設定できるときには、入力された前記録画予約情報から前記異なる録画予約種類に対応した録画予約登録要求を生成する制御部と、
前記制御部で生成された前記録画予約登録要求を前記録画装置に送信する予約情報送信部とを有する、録画予約登録システムである。【００２２】
また、第８の本発明は、
放送される番組の録画予約登録要求を受信してその録画予約登録要求に対応して録画予約を設定し、録画可能な録画装置に、前記録画予約登録要求を送信する録画予約登録装置であって、
前記録画予約の種類が２つあり、それらの録画予約設定の可能期限は互いに異なっており、
前記録画装置に録画予約する番組の、録画予約種類の情報を含む録画予約情報を入力する予約情報入力部と、
入力された前記録画予約情報によって特定される時間帯と、前記録画装置の２つの前記録画予約設定の可能期限のうち前記録画予約情報の録画予約種類に対応する可能期限とを比較し、前記録画装置において録画予約設定できるときには、前記録画予約情報の録画予約種類に対応した録画予約登録要求を生成し、前記録画装置において録画予約設定できないときで、かつ前記録画予約情報の録画予約種類とは異なる録画予約種類に対応する可能期限の方が前記録画予約情報の録画予約種類の可能期限よりも長い場合には、さらに、入力された前記録画予約情報によって特定される時間帯と、前記異なる録画予約種類に対応する可能期限とを比較し、前記録画装置において前記異なる録画予約種類によって録画予約設定できるときには、入力された前記録画予約情報から前記異なる録画予約種類に対応した録画予約登録要求を生成する制御部と、
前記制御部で生成された前記録画予約登録要求を前記録画装置に送信する予約情報送信部とを備えた、録画予約登録装置である。【００２３】
また、第９の本発明は、
前記制御部は、前記録画装置において前記異なる録画予約種類によっても録画予約設定できないときには、前記録画装置において入力された前記録画予約情報の録画予約種類によって録画予約設定が可能になるまで入力された前記録画予約情報を保持しておきその録画予約設定が可能になったときに、保持しておいた前記録画予約情報の録画予約種類に対応した録画予約登録要求を生成する、第４または第８の本発明の録画予約登録装置である。【００２４】
また、第１０の本発明は、
前記２つの録画予約の種類とは、絶対時間による時間帯で設定される時間指定予約と、番組情報に含まれる番組識別子に基づいて設定される番組予約であり、
前記制御部は、前記時間指定予約で入力された前記録画予約情報から前記番組予約に対応した録画予約登録要求を生成するときには、入力された前記録画予約情報で特定される時間帯を含むような、一または連続した複数の番組に対応する前記録画予約登録要求を生成する、第４または第８の本発明の録画予約登録装置である。【００２５】
また、第１１の本発明は、
前記制御部は、前記録画装置において入力された前記録画予約情報の録画予約種類によって録画予約設定できないときで、かつ前記録画予約情報の録画予約種類とは異なる録画予約種類に対応する可能期限の方が前記録画予約情報の録画予約種類の可能期限よりも短い場合には、前記録画装置において入力された前記録画予約情報の録画予約種類によって録画予約設定が可能になるまで入力された前記録画予約情報を保持しておきその録画予約設定が可能になったときに、保持しておいた前記録画予約情報の録画予約種類に対応した録画予約登録要求を生成する、第８の本発明の録画予約登録装置である。【００２６】
また、第１２の本発明は、
前記制御部は、前記録画装置において前記異なる録画予約種類によっても録画予約設定できないときには、前記録画装置において前記異なる録画予約種類によって録画予約設定が可能になるまで入力された前記録画予約情報を保持しておきその録画予約設定が可能になったときに、保持しておいた前記録画予約情報から前記異なる録画予約種類に対応した録画予約登録要求を生成する、第８の本発明の録画予約登録装置である。【００２７】
また、第１３の本発明は、
前記制御部は、前記異なる録画予約種類に対応した録画予約登録要求を生成した後、入力された前記録画予約情報の録画予約種類によって録画予約設定が可能になったときに、入力された前記録画予約情報の録画予約種類に対応した録画予約登録要求と、前記異なる録画予約種類の録画予約登録要求によって設定された録画予約の取り消し指令とを生成し、
前記予約情報送信部は、前記制御部で生成された前記録画予約の取り消し指令と、入力された前記録画予約情報の録画予約種類に対応した録画予約登録要求とを前記録画装置に送信する、第１２の本発明の録画予約登録装置である。【００２８】
また、第１４の本発明は、
前記録画予約情報によって特定される時間帯とは、絶対時間で決められた時間帯、または、番組情報に含まれる番組識別子で決まる時間帯であり、
前記録画予約設定の可能期限とは、絶対時間で決まる期限、または、前記録画装置が前記録画予約登録要求を受信するときからの相対時間で決まる期限として定められている、第２、第４および第８のいずれかの本発明の録画予約登録装置である。【００２９】
また、第１５の本発明は、
ユーザが前記録画装置の録画予約設定の可能期限を入力する期限情報入力部を備えた、第２、第４および第８のいずれかの本発明の録画予約登録装置である。【００３０】
また、第１６の本発明は、
前記録画予約設定の可能期限の情報を前記録画装置から取得する期限情報受信部を備えた、第２、第４および第８のいずれかの本発明の録画予約登録装置である。【００３１】
また、第１７の本発明は、
前記期限情報受信部は、前記録画予約設定の可能期限の情報を、入力された前記録画予約情報によって特定される時間帯を比較する毎に前記録画装置から取得する、または、予め前記録画装置から取得しておく、第１６の本発明の録画予約登録装置である。【００３２】
また、第１８の本発明は、
前記制御部による処理結果を表示する表示部を備えた、第２、第４および第８のいずれかの本発明の録画予約登録装置である。【００３３】
また、第１９の本発明は、
放送される番組の録画予約登録要求を受信してその録画予約登録要求に対応して録画予約を設定する録画可能な録画装置に、前記録画予約登録要求を送信する録画予約登録装置の録画予約登録方法であって、
前記録画装置に録画予約する番組の録画予約情報を入力する予約情報入力ステップと、
入力された前記録画予約情報によって特定される時間帯と、前記録画装置の録画予約設定の可能期限とを比較し、前記録画装置において録画予約設定できるときには、前記録画予約情報から前記録画予約登録要求を生成し、前記録画装置において録画予約設定できないときには、前記録画装置において録画予約設定が可能になるまで前記録画予約情報を保持しておき、前記録画装置において録画予約設定が可能になったときに、保持しておいた前記録画予約情報から前記録画予約登録要求を生成する制御ステップと、
前記制御ステップで生成された前記録画予約登録要求を前記録画装置に送信する予約情報送信ステップとを備えた、録画予約登録方法である。【００３４】
また、第２０の本発明は、
放送される番組の録画予約登録要求を受信してその録画予約登録要求に対応して録画予約を設定する録画可能な録画装置に、前記録画予約登録要求を送信する録画予約登録装置の録画予約登録方法であって、
前記録画予約の種類が２つあり、それらの録画予約設定の可能期限は互いに異なっており、
前記録画装置に録画予約する番組の、録画予約種類の情報を含む録画予約情報を入力する予約情報入力ステップと、
入力された前記録画予約情報によって特定される時間帯と、前記録画装置の２つの前記録画予約設定の可能期限のうち前記録画予約情報の録画予約種類に対応する可能期限とを比較し、前記録画装置において録画予約設定できるときには、前記録画予約情報の録画予約種類に対応した録画予約登録要求を生成し、前記録画装置において録画予約設定できないときには、さらに、入力された前記録画予約情報によって特定される時間帯と、前記録画装置の２つの前記録画予約設定の可能期限のうち前記録画予約情報の録画予約種類とは異なる録画予約種類に対応する可能期限とを比較し、前記録画装置において前記異なる録画予約種類によって録画予約設定できるときには、入力された前記録画予約情報から前記異なる録画予約種類に対応した録画予約登録要求を生成する制御ステップと、
前記制御ステップで生成された前記録画予約登録要求を前記録画装置に送信する予約情報送信ステップとを備えた、録画予約登録方法である。【００３５】
また、第２１の本発明は、
放送される番組の録画予約登録要求を受信してその録画予約登録要求に対応して録画予約を設定する録画可能な録画装置に、前記録画予約登録要求を送信する録画予約登録装置の録画予約登録方法であって、
前記録画予約の種類が２つあり、それらの録画予約設定の可能期限は互いに異なっており、
前記録画装置に録画予約する番組の、録画予約種類の情報を含む録画予約情報を入力する予約情報入力ステップと、
入力された前記録画予約情報によって特定される時間帯と、前記録画装置の２つの前記録画予約設定の可能期限のうち前記録画予約情報の録画予約種類に対応する可能期限とを比較し、前記録画装置において録画予約設定できるときには、前記録画予約情報の録画予約種類に対応した録画予約登録要求を生成し、前記録画装置において録画予約設定できないときで、かつ前記録画予約情報の録画予約種類とは異なる録画予約種類に対応する可能期限の方が前記録画予約情報の録画予約種類の可能期限よりも長い場合には、さらに、入力された前記録画予約情報によって特定される時間帯と、前記異なる録画予約種類に対応する可能期限とを比較し、前記録画装置において前記異なる録画予約種類によって録画予約設定できるときには、入力された前記録画予約情報から前記異なる録画予約種類に対応した録画予約登録要求を生成する制御ステップと、
前記制御ステップで生成された前記録画予約登録要求を前記録画装置に送信する予約情報送信ステップとを備えた、録画予約登録方法である。【００３６】
また、第２２の本発明は、
第１９の本発明の録画予約登録方法の、入力された前記録画予約情報によって特定される時間帯と、前記録画装置の録画予約設定の可能期限とを比較し、前記録画装置において録画予約設定できるときには、前記録画予約情報から前記録画予約登録要求を生成し、前記録画装置において録画予約設定できないときには、前記録画装置において録画予約設定が可能になるまで前記録画予約情報を保持しておき、前記録画装置において録画予約設定が可能になったときに、保持しておいた前記録画予約情報から前記録画予約登録要求を生成する前記制御ステップをコンピュータに実行させるプログラムである。【００３７】
また、第２３の本発明は、
第２０の本発明の録画予約登録方法の、入力された前記録画予約情報によって特定される時間帯と、前記録画装置の２つの前記録画予約設定の可能期限のうち前記録画予約情報の録画予約種類に対応する可能期限とを比較し、前記録画装置において録画予約設定できるときには、前記録画予約情報の録画予約種類に対応した録画予約登録要求を生成し、前記録画装置において録画予約設定できないときには、さらに、入力された前記録画予約情報によって特定される時間帯と、前記録画装置の２つの前記録画予約設定の可能期限のうち前記録画予約情報の録画予約種類とは異なる録画予約種類に対応する可能期限とを比較し、前記録画装置において前記異なる録画予約種類によって録画予約設定できるときには、入力された前記録画予約情報から前記異なる録画予約種類に対応した録画予約登録要求を生成する前記制御ステップをコンピュータに実行させるプログラムである。【００３８】
また、第２４の本発明は、
第２１の本発明の録画予約登録方法の、入力された前記録画予約情報によって特定される時間帯と、前記録画装置の２つの前記録画予約設定の可能期限のうち前記録画予約情報の録画予約種類に対応する可能期限とを比較し、前記録画装置において録画予約設定できるときには、前記録画予約情報の録画予約種類に対応した録画予約登録要求を生成し、前記録画装置において録画予約設定できないときで、かつ前記録画予約情報の録画予約種類とは異なる録画予約種類に対応する可能期限の方が前記録画予約情報の録画予約種類の可能期限よりも長い場合には、さらに、入力された前記録画予約情報によって特定される時間帯と、前記異なる録画予約種類に対応する可能期限とを比較し、前記録画装置において前記異なる録画予約種類によって録画予約設定できるときには、入力された前記録画予約情報から前記異なる録画予約種類に対応した録画予約登録要求を生成する前記制御ステップをコンピュータに実行させるプログラムである。【００３９】
また、第２５の本発明は、
第２２〜第２４のいずれかの本発明のプログラムを記録した記録媒体であって、コンピュータにより処理可能な記録媒体である。
【発明の効果】
【００４０】
本発明により、録画装置の録画予約設定可能期限を超える録画予約を可能にする録画予約登録システム、録画予約登録装置および録画予約登録方法等を提供できる。
【図面の簡単な説明】
【００４１】
【図１】本発明の各実施の形態の録画予約登録システムのブロック図
【図２】本発明の実施の形態１の録画予約登録システムにおいて、ＤＴＶからＤＶＲに録画予約設定する際の通信シーケンスを示す図
【図３】本発明の実施の形態１のＤＴＶにおける録画予約登録保留送信処理の処理フローを示す図
【図４】（ａ）本発明の各実施の形態のＤＶＲにおける予約種別毎の予約可能期日の例を示す図、（ｂ）本発明の各実施の形態のＤＴＶにおける予約種別毎の予約可能期日の例を示す図
【図５】本発明の各実施の形態の録画予約登録要求に含まれるパラメータの例を示す図
【図６】本発明の実施の形態１のＤＴＶにおいて、ユーザがＤＶＲ側の録画予約登録可能期日を超えた時間帯を指定したときの、ディスプレイに表示される表示例を示す図
【図７】本発明の実施の形態２の録画予約登録システムにおいて、ＤＴＶからＤＶＲに録画予約設定する際の通信シーケンスを示す図
【図８】本発明の実施の形態２のＤＴＶにおける代替録画予約登録処理の処理フローを示す図
【図９】本発明の実施の形態２のＤＴＶにおいて、ユーザがＤＶＲ側の録画予約登録可能期日を超えた時間帯を指定して代替予約されたときの、ディスプレイに表示される表示例を示す図
【図１０】本発明の実施の形態２のＤＴＶにおける別の代替録画予約登録処理の処理フローを示す図
【図１１】本発明の実施の形態３の録画予約登録システムにおいて、ＤＴＶからＤＶＲに録画予約設定する際の通信シーケンスを示す図
【図１２】本発明の実施の形態３のＤＴＶにおける録画予約登録代替保留送信処理の処理フローを示す図
【図１３】（ａ）本発明の実施の形態３のＤＴＶにおいて、ユーザがＤＶＲ側の録画予約可能期日を超えた時間帯を指定して予約設定が代替予約されたときの、ディスプレイに表示される表示例を示す図、（ｂ）本発明の実施の形態３のＤＴＶにおいて、ユーザがＤＶＲ側の録画予約可能期日を超えた時間帯を指定して予約登録が保留されたときの、ディスプレイに表示される表示例を示す図
【図１４】本発明の実施の形態３のＤＴＶにおける別の録画予約登録代替保留送信処理の処理フローを示す図
【図１５】本発明の他の実施の形態の、録画要求および番組データを送信するＤＴＶを備えた録画予約登録システムにおいて、ＤＴＶからＤＶＲに録画予約設定および録画要求する際の通信シーケンスを示す図
【図１６】従来の録画予約登録システムの録画予約登録時の処理フロー例を示す図
【図１７】従来の録画予約登録システムにおける、録画装置側の録画予約設定可能な期限と録画予約登録装置側で入力する録画予約要求期間の関係を示す図
【発明を実施するための形態】
【００４２】
以下に、本発明の実施の形態を、図面を参照して説明する。
【００４３】
（実施の形態１）
図１に、本発明の実施の形態１の録画予約登録システムのブロック図を示す。
【００４４】
なお、図１において、実線で示す矢印はデータの流れを示し、破線で示す矢印は制御信号の流れを示している。
【００４５】
本実施の形態１の録画予約登録システムは、ケーブル２５によって、デジタルテレビ（ＤＴＶ）１０とデジタルビデオレコーダ（ＤＶＲ）３０が接続されている。
【００４６】
なお、ＤＴＶ１０が本発明の録画予約登録装置の一例にあたり、ＤＶＲ３０が本発明の録画装置の一例にあたる。
【００４７】
まず、ＤＴＶ１０の構成について説明する。
【００４８】
ＤＴＶ１０の装置全体を制御する制御部１１は、ＣＰＵによって構成されている。制御部１１には、記憶部１７および不揮発メモリ１８が接続されている。記憶部１７はＲＡＭであり、不揮発メモリ１８はＲＯＭまたはＦＬＡＳＨメモリである。
【００４９】
放送を受信するためのアンテナ１３が接続された放送受信手段としてのチューナ１４は、制御部１１からの制御指令によって受信チャンネルの選択を行ない、その受信出力は受信バッファ１２を介して、信号処理手段としてのデコーダ１５に入力される。そして、デコーダ１５は、制御部１１によって制御されてその入力されたデータをデコードする。
【００５０】
デコーダ１５でデコードされた音声信号は、音声出力手段としてのスピーカ２１から出力され、デコードされた映像信号は、映像表示部２０から出力されてディスプレイ２２に表示される。
【００５１】
操作入力手段として赤外線受光部１９が設けられており、ユーザは、ＤＴＶ１０に付属のリモコン２３を操作することにより、リモコン２３から発光された赤外線が赤外線受光部１９で受光されて、制御部１１における制御動作の指令を与えることができる。例えば、ユーザは、リモコン２３を操作することにより、制御部１１に対して選局を行うための指令を与えることが可能である。
【００５２】
制御部１１は、送受信部１６を制御することにより、ケーブル２５で接続されたＤＶＲ３０に対して要求を送信すると共に、ＤＶＲ３０からの応答を受信する。
【００５３】
制御部１１に接続されている記憶部１７には、チューナ１４によって受信され、デコーダ１５によって信号処理された伝送制御信号ＰＳ１と番組配列情報ＳＩとから、制御部１１によって生成された番組情報が保持されている。
【００５４】
番組情報は、ＤＴＶ１０が受信可能な放送サービス（サービスＩＤ）毎に、番組識別子（イベントＩＤ）、番組の開始時間、終了時間およびタイトル（番組名）から構成されている。この番組情報を利用してＤＴＶ１０は番組表を作成して、ユーザに番組案内を行う。また番組情報は、ユーザに選択された番組の録画予約を行う場合の、録画予約登録パラメータとして利用される。
【００５５】
なお、ＤＴＶ１０の制御部１１および送受信部１６が、それぞれ、本発明の制御部および予約情報送信部の一例にあたる。また、リモコン２３から発光された赤外線を受光することによりユーザによる入力を受け付ける赤外線受光部１９が、本発明の予約情報入力部の一例にあたる。
【００５６】
次に、ＤＶＲ３０の構成について説明する。
【００５７】
ＤＶＲ３０の装置全体を制御する制御部３１は、ＣＰＵによって構成されている。制御部３１には、記憶部３７および不揮発メモリ３８が接続されている。記憶部３７はＲＡＭであり、不揮発メモリ３８はＲＯＭまたはＦＬＡＳＨメモリである。
【００５８】
放送を受信するためのアンテナ３３が接続された放送受信手段としてのチューナ３４は、制御部３１からの制御指令によって受信チャンネルの選択を行ない、その受信出力はバッファ３２を介して、信号処理手段としてのデコーダ３５に入力される、そして、デコーダ３５は、制御部３１によって制御されてその入力されたデータをデコードし出力する。
【００５９】
操作入力手段として赤外線受光部３９が設けられており、ユーザは、ＤＶＲ３０に付属のリモコン４２を操作することにより、リモコン４２から発光された赤外線が赤外線受光部３９で受光されて、制御部３１における制御動作の指令を与えることができる。また、ユーザは、リモコン４２を操作することにより、選局や記録動作の指令を与えると共に、予約録画等の動作の指令を与えることも可能である。
【００６０】
制御部３１には、記録再生部４０が接続されている。記録再生部４０は、指定された番組等のコンテンツを記録媒体４１に記録し、また、記録媒体４１に記録されたコンテンツを再生するように構成されている。また、記録再生部４０は、記録媒体４１への記録時には、制御部３１からの要求により、コンテンツだけでなく、コンテンツのタイトルや記録時間や対応するコンテンツが記録中であるかどうかを示す情報等のコンテンツ情報も併せて記録媒体４１に記録する。
【００６１】
制御部３１は、送受信部３６を制御することにより、ケーブル２５で接続されたＤＴＶ１０からの要求を受信する。
【００６２】
制御部３１に接続されている記憶部３７には、チューナ３４によって受信され、デコーダ３５によって信号処理された伝送制御信号ＰＳ１と番組配列情報ＳＩとから、制御部３１によって生成された番組情報が保持されている。
【００６３】
ＤＶＲ３０もＤＴＶ１０と同様に、この番組情報を利用して番組表を作成して、ユーザに番組案内を行う。また、ユーザに選択された番組の録画予約を行う場合の、録画予約登録パラメータとしてこの番組情報を利用する。
【００６４】
次に、本実施の形態１のＤＴＶ１０から、ケーブル２５を介してＤＶＲ３０の録画予約を設定する際の動作について説明する。
【００６５】
本実施の形態１のＤＴＶ１０およびＤＶＲ３０で使用可能な録画予約種別には、録画予約開始時間と録画時間（録画動作を実行させる期間）を基に録画予約を行う時間指定予約と、番組情報に含まれる番組識別子を基に、指定された番組識別子の番組の放送時間に応じて録画予約開始時間と録画予約時間とを決定し、番組の開始から終了までの録画予約を行う番組予約とがある。
【００６６】
ＤＴＶ１０は、ＤＶＲ３０に対して録画予約種別に応じた録画予約登録要求を送信することによりＤＶＲ３０の録画予約の設定をするが、図５は、その録画予約登録要求に含まれるパラメータの例を示している。時間指定予約の場合には、録画予約開始日、録画予約開始時間、録画時間、地上デジタルやＢＳデジタル等の放送種別、ＣＨ情報、予約種別、録画モード、および録画予約番組のタイトル名が使用される。番組予約の場合には、これらに加えて番組識別子が使用される。
【００６７】
図４（ａ）および（ｂ）に、ＤＶＲ３０およびＤＴＶ１０のそれぞれにおける予約種別毎の予約可能期日の例を示している。本実施の形態１のＤＶＲ３０は、８日分の番組情報を利用可能であり、番組予約で指定した場合には８日先までの録画予約の設定が可能であり、時間指定予約で指定した場合には３０日先までの録画予約の設定が可能である。一方、本実施の形態１のＤＴＶ１０は、６０日分の番組情報が利用可能で、番組予約および時間指定予約のいずれの録画予約種別で指定する場合も、６０日先までの時間帯を指定することが可能である。
【００６８】
本実施の形態１の録画予約登録システムでは、時間指定予約および番組予約の２種類の録画予約種類でＤＴＶ１０からＤＶＲ３０の録画予約を設定することができるが、ここでは、ユーザが番組予約によりＤＶＲ３０の録画予約を設定する場合について説明する。
【００６９】
図２は、本実施の形態１の録画予約登録システムにおける、ＤＴＶ１０から、ＤＶＲ３０に録画予約設定する際の通信シーケンスを示している。
【００７０】
図２に示す録画予約設定可否判断処理（ステップＳ２１）および録画予約設定処理（ステップＳ２２）は、それぞれ、図１６に示した従来の録画予約登録システムの録画予約設定可否判断処理（ステップＳ１１０）および録画予約設定処理（ステップＳ１１１）と同じ処理である。つまり、本実施の形態１のＤＶＲ３０は、従来のＤＶＲ１０１に対して、録画予約可能期日応答生成処理（ステップＳ２０）の機能だけが追加された構成であればよい。
【００７１】
まず、ＤＴＶ１０において、ＤＶＲ３０に予約設定したい情報（録画予約情報）を入力し、決定する（ステップＳ１０）。すなわち、ユーザは、リモコン２３を操作して、ＤＴＶ１０が取得した番組情報をディスプレイ２２に表示させ、録画予約を希望する番組を選択し、録画モード等を決定する。決定された録画予約情報には、録画予約種類を示す情報が含まれる。この場合には、録画予約種類が番組予約であることを示す情報が含まれることになる。
【００７２】
このとき、ＤＴＶ１０で受け付けることができない設定内容をユーザが入力した場合には、予約登録結果表示処理（ステップＳ１２）によって、ディスプレイ２２に「その入力は受け付けられない」旨の表示がされる。例えば、時間指定予約で入力する際に、ＤＴＶで指定可能な期限（６０日後まで）を超えた時間帯（例えば、７０日後の時間帯）を指定するような入力をした場合に、ディスプレイ２２にその旨の表示がされる。
【００７３】
ＤＴＶ１０の制御部１１は、録画予約情報が決定された（ステップＳ１０）後、ＤＶＲ３０へ、番組予約に対する録画予約可能期日問い合わせ要求５０を送受信部１６によって送信させる。
【００７４】
ＤＶＲ３０は、ＤＴＶ１０からの番組予約に対する録画予約可能期日問い合わせ要求５０に対して、ＤＶＲ３０における番組予約に対する録画予約可能期日を含む応答５１を生成し、ＤＴＶ１０に対して送信する（ステップＳ２０）。図４（ａ）に示すように、ＤＶＲ３０の番組予約に対する録画予約可能期日は「８日先」なので、この場合には、「録画予約可能期日は８日先まで」という情報が応答５１に含まれて送信される。
【００７５】
ＤＴＶ１０の制御部１１は、送受信部１６によって録画予約可能期日問い合わせ要求５０に対する応答５１をＤＶＲ３０から受信し、制御部１１が、その応答５１の内容に基づき録画予約登録保留送信処理（ステップＳ１１）を行う。
【００７６】
なお、このときに録画予約可能期日の情報を含む応答５１を受信する送受信部１６が、本発明の期限情報受信部の一例にあたる。また、応答５１に含まれる番組予約に対する録画予約可能期日が、本発明の、録画予約設定の可能期限の一例にあたる。
【００７７】
次に、本実施の形態１のＤＴＶ１０の録画予約登録保留送信処理（ステップＳ１１）の処理内容について説明する。
【００７８】
図３に、ＤＴＶ１０の録画予約登録保留送信処理（ステップＳ１１）における処理フローを示す。
【００７９】
制御部１１は、まず、録画予約指定された番組が、指定された予約種別でＤＶＲ３０において録画予約設定可能か否かを、図２の録画予約可能期日問い合わせ要求５０に対する応答５１を基に判定する（ステップＳ３０）。この場合に指定された予約種別は番組予約なので、制御部１１は、番組予約でＤＶＲ３０において録画予約設定可能か否かを判定する。
【００８０】
ここで、ステップＳ３０における具体的な判定方法について説明しておく。
【００８１】
応答５１によって得られる情報は、図４（ａ）に示したようなＤＶＲ３０の録画予約可能期日を示す情報（本実施の形態１の場合には、番組予約に対する「８日先まで」という情報）であり、図１７に示した録画予約設定可能期限１０５に相当する情報である。
【００８２】
一方、ステップＳ１０においてユーザから指定された録画予約情報には、録画予約開始時間や録画時間の情報が含まれており、その録画予約情報によって録画処理を実行する期間（時間帯）を特定できる。この特定される時間帯は、図１７に示した録画予約要求期間Ａや録画予約要求期間Ｂに相当する期間である。
【００８３】
制御部１１は、ユーザに指定された録画予約情報によって特定される時間帯が、ＤＶＲ３０の録画予約種別に応じた録画予約可能期日より以前の期間か否かによって「ＤＶＲ３０において録画予約設定可能か否か」を判定する。
【００８４】
例えば、本実施の形態１において、ユーザから指定された録画予約情報によって特定される時間帯が３日後の場合には、ＤＶＲ３０の録画予約可能期日の「８日先」より以前の時間帯なので「録画予約設定可能」と判定される。一方、例えば、録画予約情報によって特定される時間帯が１０日後の場合には、ＤＶＲ３０の録画予約可能期日の「８日先」よりさらに先の時間帯なので「録画予約設定不可」と判定されることになる。
【００８５】
ここでは、図２のステップＳ１０において、ユーザが、３日後の時間帯の番組の予約を指定した場合と、１０日後の時間帯の番組の予約を指定した場合の２つの例について説明する。
【００８６】
まず、第１の例として、ユーザが３日後の時間帯の番組の予約を指定した場合には、制御部１１は、ステップＳ３０において、指定された番組予約の録画予約種別で予約設定可能であると判定し、指定された予約種別である番組予約に対応した録画予約登録要求５２を生成し（ステップＳ３１）、送受信部１６によってその生成した録画予約登録要求５２をＤＶＲ３０へ送信させる（ステップＳ３２）。
【００８７】
ＤＶＲ３０は、送受信部３６で録画予約登録要求５２を受信したときには、図１６に示した従来のＤＶＲ１０１のステップＳ１１０およびステップＳ１１１と同様の処理を行う。すなわち、ＤＶＲ３０の制御部３１は、録画予約登録要求５２を受信すると、受信した録画予約登録要求５２とＤＶＲ３０自身が保持している情報と自身の録画予約能力から録画予約可否判定を行い（ステップＳ２１）、録画予約が可能である場合には、録画予約の設定を行う（ステップＳ２２）と共に、録画予約設定が完了したことを示す応答５３を、送受信部３６からＤＴＶ１０に返送する。
【００８８】
そして、ＤＴＶ１０の制御部１１は、送受信部１６によってＤＶＲ３０からの応答５３を受信し（ステップＳ３３）、受信した応答５３に含まれる登録結果をディスプレイ２２に表示させてユーザに通知する（ステップＳ１２）。
【００８９】
次に、第２の例として、ユーザが１０日後の時間帯の番組の予約を指定した場合には、制御部１１は、ステップＳ３０において、指定された番組予約の録画予約種別で予約設定が不可であると判定し、入力された録画予約情報を記憶部１７に記録して保持しておき、ディスプレイ２２に「録画予約設定可能な期間になれば録画予約設定する」旨を表示してユーザに通知する。図６は、このときにユーザに通知するためにディスプレイ２２上に表示させる表示例を示している。
【００９０】
なお、このときに制御部１１の処理結果の情報を表示するディスプレイ２２が、本発明の表示部の一例にあたる。
【００９１】
その後、制御部１１は、ユーザにより指定された予約種別での、録画予約設定可能時期に到達したかの確認を行う（ステップＳ３５）。この場合には、番組予約で指定されているので、ユーザが予約指定した番組の放送時間帯が８日先までの時間帯になったか否かを判定する。
【００９２】
指定された予約種別での予約登録可能時期に到達した場合、つまり予約指定された番組の時間帯が８日先より以前の時間帯となった場合には、制御部１１は、記憶部１７に保持しておいた録画予約情報から録画予約登録要求５２を生成し（ステップＳ３１）、ＤＶＲ３０に対して送受信部１６から録画予約登録要求５２を送信させ（ステップＳ３２）、ＤＶＲ３０からの応答５３を送受信部１６によって受信する（ステップＳ３３）。
【００９３】
そして、制御部１１は、受信した応答５３に含まれる登録結果をディスプレイ２２に表示させてユーザに通知する（ステップＳ１２）。
【００９４】
従来の録画予約登録システムでは、録画装置の録画予約設定可能期限を超えているために録画予約登録装置からの録画予約設定ができない場合には、例えば、録画予約を諦め、録画予約したかった番組の放送時刻になったときに録画装置に対して録画開始動作を指示するなどして対応していたが、このように対応した場合には、その他の録画予約登録装置からの予約が録画装置に設定されたことにより、録画装置に録画予約設定することができなくなる、あるいは、その他の番組の録画を実行したために、録画装置の残容量が足りずに録画予約設定ができなくなる、等の問題が発生する恐れがあった。
【００９５】
これに対し、本実施の形態１の録画予約登録システムでは、選択された番組の放送日が録画装置の録画予約可能期限を超えている場合でも、録画予約情報を録画予約登録装置（ＤＴＶ１０）側で保持しておき、録画予約登録装置が録画装置（ＤＶＲ３０）の録画予約可能期限情報を取得し、取得したその録画予約可能期限情報を基に、録画予約可能期限になった時点で、直ちに録画予約設定を行うことで、他の予約が設定されることによる録画予約登録失敗や、他の予約が実行されたことによる録画装置の残量不足での録画予約登録失敗を防止することができる。
【００９６】
（実施の形態２）
本発明の実施の形態２の録画予約登録システムの構成は、実施の形態１の録画予約登録システムと同様の構成であり、そのブロック図は、図１に示す通りである。
【００９７】
本実施の形態２の録画予約登録システムは、実施の形態１の録画予約登録システムとは、録画予約登録装置（ＤＴＶ１０）の制御部１１の動作が異なるものである。
【００９８】
制御部１１は、実施の形態１では、ＤＶＲ３０に対してユーザが指定した録画予約種類で録画予約の設定ができない場合に、録画予約可能期日になるまで待ってユーザが指定した録画予約種類で録画予約の設定を行わせた。それに対し、本実施の形態２の制御部１１は、ＤＶＲ３０に対してユーザが指定した録画予約種類で録画予約の設定ができない場合に、他の録画予約種類で録画予約の設定ができるのであれば、他の録画予約種類で録画予約の設定を行わせるものであり、この点において実施の形態１と異なる。
【００９９】
本実施の形態２において、ＤＴＶ１０からケーブル２５を介してＤＶＲ３０の録画予約を設定する際の動作について説明する。
【０１００】
本実施の形態２においても、実施の形態１の場合と同様に、ＤＴＶ１０およびＤＶＲ３０で使用可能な録画予約種別には、時間指定予約と番組予約があり、録画予約登録要求に含まれるパラメータは図５に示す通りであり、ＤＴＶ１０およびＤＶＲ３０における録画予約種類毎の予約可能期日は、図４（ａ）および（ｂ）に示すものであるとする。
【０１０１】
また、本実施の形態２の録画予約登録システムにおいても、ユーザが番組予約によりＤＶＲ３０の録画予約を設定する場合について説明する。
【０１０２】
図７は、本実施の形態２の録画予約登録システムにおける、ＤＴＶ１０から、ＤＶＲ３０に録画予約設定する際の通信シーケンスを示している。図２と同じ符号で示す部分およびステップは、図２と同じ機能を有し、また同じ処理を行うものである。
【０１０３】
以下には、実施の形態１と異なる部分について説明する。
【０１０４】
まず、ＤＴＶ１０において、ＤＶＲ３０に予約設定したい情報（録画予約情報）を入力し、決定する（ステップＳ１０）。
【０１０５】
ＤＴＶ１０の制御部１１は、録画予約情報が決定された（ステップＳ１０）後、ＤＶＲ３０へ、予約種別毎の録画予約可能期日問い合わせ要求５４を送受信部１６によって送信させる。
【０１０６】
ＤＶＲ３０は、ＤＴＶ１０からの予約種別毎の録画予約可能期日問い合わせ要求５４に対して、ＤＶＲ３０が実行することのできる録画予約種別と録画予約種別毎の録画予約可能期日とを含む応答５５を生成し、ＤＴＶ１０に対して送信する（ステップＳ２３）。
【０１０７】
図４（ａ）に示すように、ＤＶＲ３０の時間指定予約に対する録画予約可能期日は「３０日先」であり、番組予約に対する録画予約可能期日は「８日先」なので、この場合には、「実行することのできる録画予約種別は、時間指定予約および番組予約」であり、「時間指定予約による録画予約可能期日は３０日先まで、番組予約による録画予約可能期日は８日先まで」という情報が応答５５に含まれて送信される。
【０１０８】
ＤＴＶ１０の制御部１１は、送受信部１６によって録画予約種別毎の録画予約可能期日問い合わせ要求５４に対する応答５５をＤＶＲ３０から受信し、制御部１１が、その応答５５の内容に基づき代替録画予約登録処理（ステップＳ１３）を行う。
【０１０９】
次に、本実施の形態２のＤＴＶ１０の代替録画予約登録処理（ステップＳ１３）の処理内容について説明する。
【０１１０】
図８に、ＤＴＶ１０の代替録画予約登録処理（ステップＳ１３）における処理フローを示す。
【０１１１】
制御部１１は、まず、録画予約指定された番組が、指定された予約種別でＤＶＲ３０において録画予約設定可能か否かを、図７の録画予約可能期日問い合わせ要求５４に対する応答５５を基に判定する（ステップＳ４０）。この場合に指定された予約種別は番組予約なので、制御部１１は、番組予約でＤＶＲ３０において録画予約設定可能か否かを判定する。
【０１１２】
ここでは、図７のステップＳ１０において、ユーザが、３日後の時間帯の番組の予約を指定した場合、１０日後の時間帯の番組の予約を指定した場合、および４５日後の時間帯の番組の予約を指定した場合の３つの例について説明する。
【０１１３】
まず、第１の例として、ユーザが３日後の時間帯の番組の予約を指定した場合には、番組予約の録画予約可能期日の「８日先」より以前の時間帯の指定なので、制御部１１は、ステップＳ４０において、指定された番組予約の録画予約種別で予約設定可能であると判定し、指定された予約種別である番組予約に対応した録画予約登録要求５６を生成し（ステップＳ４１）、送受信部１６によってその生成した録画予約登録要求５６をＤＶＲ３０へ送信させる（ステップＳ４２）。
【０１１４】
ＤＶＲ３０の制御部３１は、録画予約登録要求５６を受信すると、受信した録画予約登録要求５６とＤＶＲ３０自身が保持している情報と自身の録画予約能力から録画予約可否判定を行い（ステップＳ２１）、録画予約が可能である場合には、録画予約の設定を行う（ステップＳ２２）と共に、録画予約設定が完了したことを示す応答５７を、送受信部３６からＤＴＶ１０に返送する。
【０１１５】
そして、ＤＴＶ１０の制御部１１は、送受信部１６によってＤＶＲ３０からの応答５７を受信し（ステップＳ４３）、受信した応答５７に含まれる登録結果をディスプレイ２２に表示させてユーザに通知する（ステップＳ１４）。
【０１１６】
次に、第２の例として、ユーザが１０日後の時間帯の番組の予約を指定した場合には、番組予約の録画予約可能期日の「８日先」よりも先の時間帯の指定なので、制御部１１は、ステップＳ４０において、指定された番組予約の録画予約種別で予約設定が不可であると判定し、次に指定された番組が異なる予約種別でＤＶＲ３０において録画予約設定可能であるかの判定を行う（ステップＳ４４）。
【０１１７】
この場合には、指定された録画予約情報が番組予約によるものなので、ステップＳ４４では時間指定予約によってＤＶＲ３０において録画予約設定可能か否かの判定をする。ユーザが指定した録画予約は１０日後の時間帯であり、時間指定予約の録画予約可能期日の「３０日先」より以前の時間帯の指定なので、制御部１１は、ステップＳ４４において、時間指定予約の録画予約種別で予約設定可能であると判定する。
【０１１８】
ＤＴＶ１０の制御部１１は、ユーザが指定した予約種別とは異なる予約種別である時間指定予約による録画予約登録要求５６を生成する（ステップＳ４５）。
【０１１９】
その後の動作は、指定された予約種別である番組予約に対応した録画予約登録要求を生成した第１の例の場合と同様であり、制御部１１は、送受信部１６によってその生成した録画予約登録要求５６をＤＶＲ３０へ送信させ（ステップＳ４２）、送受信部１６によってＤＶＲ３０からの応答５７を受信し（ステップＳ４３）、受信した応答５７に含まれる登録結果をディスプレイ２２に表示させてユーザに通知する（ステップＳ１４）。
【０１２０】
このとき、応答５７に含まれる登録結果が「録画予約設定完了」であった場合、制御部１１は、ステップＳ１４において、「指定した予約種別とは異なる予約種別で録画予約設定した」旨をディスプレイ２２に表示してユーザに通知する。図９は、このときに制御部１１の処理結果をユーザに通知するためにディスプレイ２２上に表示させる表示例を示している。
【０１２１】
なお、このときに制御部１１の処理結果の情報を表示するディスプレイ２２が、本発明の表示部の一例にあたる。
【０１２２】
次に、第３の例として、ユーザが４５日後の時間帯の番組の予約を指定した場合には、番組予約の録画予約可能期日の「８日先」よりも先の時間帯の指定なので、制御部１１は、ステップＳ４０において、指定された番組予約の録画予約種別で予約設定が不可であると判定する。さらに、時間指定予約の録画予約可能期日の「３０日先」よりも先の時間帯の指定なので、制御部１１は、ステップＳ４４において、時間指定予約による予約種別でも予約設定が不可であると判定する。
【０１２３】
その結果、制御部１１は、録画予約登録要求を生成せずに、「録画予約設定不可」の旨をディスプレイ２２に表示して（ステップＳ１４）ユーザに通知して、予約登録処理を終了する。
【０１２４】
次に、本実施の形態２のＤＴＶ１０の代替録画予約登録処理（ステップＳ１３）の、別の処理例の処理内容について説明する。
【０１２５】
図１０に、ＤＴＶ１０の代替録画予約登録処理（ステップＳ１３）における別の処理例の処理フローを示す。図８と同じ処理部分は、同じ符号で表わしている。図８に示したフローに対して、ステップＳ４６の処理を追加した点が異なる。
【０１２６】
ここでは、図８の処理と異なる処理部分について説明する。
【０１２７】
制御部１１は、ステップＳ４０においてユーザが指定した録画予約種別で録画予約設定ができないと判断した場合には、ステップＳ４４においてユーザが指定した録画予約種別とは異なる録画予約種別による録画予約設定の可否を判断する前に、ユーザが指定した録画予約種別に対する予約設定可能期限に応じてステップＳ４４の判定処理を行うか否かを判断する（ステップＳ４６）。
【０１２８】
すなわち、ステップＳ４６において、制御部１１は、ユーザが指定した録画予約種別および異なる予約種別のそれぞれの予約設定可能期限を比較し、異なる予約種別の予約設定可能期限の方が長い場合に限りステップＳ４４の処理を行い、ユーザが指定した録画予約種別の予約設定可能期限の方が長い場合にはステップＳ４４の処理を行わないように判断処理する。
【０１２９】
例えば、図４（ａ）に示すように、時間指定予約の録画予約可能期日（３０日先）までの期間の方が番組予約の録画予約可能期日（８日先）までの期間よりも長い場合には、ユーザが番組予約で指定したときには、異なる予約種別（時間指定予約）による録画予約可能期日までの期間の方が長いので、次にステップＳ４４の処理を行うように判断処理される。一方、ユーザが時間指定予約で指定したときには、この場合には異なる予約種別（番組予約）による録画予約可能期日までの期間の方が短いので、ステップＳ４４の処理を行わずに代替録画予約登録処理（ステップＳ１３）を終了するように判断処理される。
【０１３０】
例えば、本実施の形態２において、ユーザが時間指定予約で４５日後の時間帯を指定する入力をした場合、ステップＳ４０において、「ユーザが指定した予約種別で録画予約設定できない」と判断される。このとき、図８のフローに示す処理では、この後に、ユーザが指定した予約種別と異なる予約種別である番組予約による録画予約設定の可否が判断される（ステップＳ４４）。一方、図１０のフローに示す処理では、ステップＳ４６において、「ステップＳ４４の処理を行わない」と判断され、ステップＳ４４の処理を行うことなく代替録画予約登録処理（ステップＳ１３）を終了する。
【０１３１】
ユーザが指定した予約種別の録画予約可能期限の方が長い場合には、異なる予約種別に代替して録画予約設定することは有り得ないため、この場合に、異なる予約種別による録画予約設定の可否を判断するのは無意味である。図１０のフローに示す処理は、この無意味なステップＳ４４の処理を行わないようにするものであり、図８のフローに示す処理よりも効率的に処理することができる。
【０１３２】
実施の形態１で説明したように、従来の録画予約登録システムでは、録画装置の録画予約設定可能期限を超えているために録画予約登録装置からの録画予約設定ができない場合には、その他の録画予約登録装置からの予約が録画装置に設定されたことにより録画装置に録画予約設定することができなくなったり、その他の番組の録画を実行したために録画装置の残容量が足りずに録画予約設定ができなくなる、等の問題が発生する恐れがあった。
【０１３３】
これに対し、本実施の形態２の録画予約登録システムでは、録画予約登録装置（ＤＴＶ１０）が録画装置（ＤＶＲ３０）の録画予約可能期限情報を取得し、取得したその録画予約可能期限情報を基に、録画予約登録時期、録画予約種別を選択することにより、選択された番組の放送日が録画装置の録画予約可能期限を超えている場合でも、録画予約設定を失敗することなく実行することが可能となる。また、これにより、録画装置においてユーザが選択した番組の録画に必要な記録領域を事前に確保できるので、他の予約が設定されることによる録画予約登録失敗や、他の予約が実行されたことによる録画装置の残量不足での録画予約登録失敗を防止することができる。
【０１３４】
（実施の形態３）
本発明の実施の形態３の録画予約登録システムの構成は、実施の形態１および２の録画予約登録システムと同様の構成であり、そのブロック図は、図１に示す通りである。
【０１３５】
本実施の形態３の録画予約登録システムは、実施の形態１および２の録画予約登録システムとは、録画予約登録装置（ＤＴＶ１０）の制御部１１の動作が異なるものである。
【０１３６】
本実施の形態３の制御部１１は、実施の形態１における、ＤＶＲ３０に対してユーザが指定した番組の録画予約の設定ができない場合に録画予約可能期日になるまで待って録画予約の設定を行わせる機能と、実施の形態２における、ユーザが指定した録画予約種類で録画予約の設定ができない場合に他の録画予約種類で代替して録画予約の設定を行わせる機能の、それぞれの効果を合わせ持つようにしたものである。
【０１３７】
本実施の形態３において、ＤＴＶ１０からケーブル２５を介してＤＶＲ３０の録画予約を設定する際の動作について説明する。
【０１３８】
本実施の形態３においても、実施の形態１の場合と同様に、ＤＴＶ１０およびＤＶＲ３０で使用可能な録画予約種別には、時間指定予約と番組予約があり、録画予約登録要求に含まれるパラメータは図５に示す通りであり、ＤＴＶ１０およびＤＶＲ３０における録画予約種類毎の予約可能期日は、図４（ａ）および（ｂ）に示すものであるとする。
【０１３９】
また、本実施の形態３の録画予約登録システムにおいても、ユーザが番組予約によりＤＶＲ３０の録画予約を設定する場合について説明する。
【０１４０】
図１１は、本実施の形態３の録画予約登録システムにおける、ＤＴＶ１０から、ＤＶＲ３０に録画予約設定する際の通信シーケンスを示している。図７と同じ符号で示す部分およびステップは、図７と同じ機能を有し、また同じ処理を行うものである。
【０１４１】
以下には、実施の形態２と異なる部分について説明する。
【０１４２】
ＤＴＶ１０において、ＤＶＲ３０に予約設定したい情報（録画予約情報）を入力し決定した（ステップＳ１０）後、ＤＴＶ１０の制御部１１が、送受信部１６によって録画予約種別毎の録画予約可能期日問い合わせ要求５４に対する応答５５をＤＶＲ３０から受信するまでの処理は、図７に示す実施の形態２の処理と同じなので、ここでは、制御部１１が応答５５を受信した以降の動作について説明する。
【０１４３】
ＤＴＶ１０の制御部１１は、ＤＶＲ３０から応答５５を受信すると、その応答５５の内容に基づき録画予約登録代替保留送信処理（ステップＳ１５）を行う。
【０１４４】
以下に、本実施の形態３のＤＴＶ１０の録画予約登録代替保留送信処理（ステップＳ１５）の処理内容について説明する。
【０１４５】
図１２に、ＤＴＶ１０の録画予約登録代替保留送信処理（ステップＳ１５）における処理フローを示す。
【０１４６】
制御部１１は、まず、録画予約指定された番組が、指定された予約種別でＤＶＲ３０において録画予約設定可能か否かを、図１１の録画予約可能期日問い合わせ要求５４に対する応答５５を基に判定する（ステップＳ５０）。この場合に指定された予約種別は番組予約なので、制御部１１は、番組予約でＤＶＲ３０において録画予約設定可能か否かを判定する。
【０１４７】
ここでは、図１１のステップＳ１０において、ユーザが、３日後の時間帯の番組の予約を指定した場合、１０日後の時間帯の番組の予約を指定した場合、および４５日後の時間帯の番組の予約を指定した場合の３つの例について説明する。
【０１４８】
まず、第１の例として、ユーザが３日後の時間帯の番組の予約を指定した場合には、番組予約の録画予約可能期日の「８日先」より以前の時間帯の指定なので、制御部１１は、ステップＳ５０において、指定された番組予約の録画予約種別で予約設定可能であると判定し、指定された予約種別である番組予約に対応した録画予約登録要求６１を生成し（ステップＳ５１）、送受信部１６によってその生成した録画予約登録要求６１をＤＶＲ３０へ送信させる（ステップＳ５２）。
【０１４９】
ＤＶＲ３０の制御部３１は、録画予約登録要求６１を受信すると、受信した録画予約登録要求６１とＤＶＲ３０自身が保持している情報と自身の録画予約能力から録画予約可否判定を行い（ステップＳ２１）、録画予約が可能である場合には、録画予約の設定を行う（ステップＳ２２）と共に、録画予約設定が完了したことを示す応答６２を、送受信部３６からＤＴＶ１０に返送する。
【０１５０】
そして、ＤＴＶ１０の制御部１１は、送受信部１６によってＤＶＲ３０からの応答６２を受信し（ステップＳ５３）、受信した応答６２に含まれる登録結果をディスプレイ２２に表示させてユーザに通知する（ステップＳ１６）。
【０１５１】
次に、第２の例として、ユーザが１０日後の時間帯の番組の予約を指定した場合には、番組予約の録画予約可能期日の「８日先」よりも先の時間帯の指定なので、制御部１１は、ステップＳ５０において、指定された番組予約の録画予約種別で予約設定が不可であると判定し、ユーザに指定された録画予約情報を記憶部１７に記録して保持しておき（ステップＳ５４）、指定された番組が異なる予約種別でＤＶＲ３０において録画予約設定可能であるかの判定を行う（ステップＳ５５）。
【０１５２】
この場合には、指定された録画予約情報が番組予約によるものなので、ステップＳ５５では時間指定予約によってＤＶＲ３０において録画予約設定可能か否かの判定をする。ユーザが指定した録画予約は１０日後の時間帯であり、時間指定予約の録画予約可能期日の「３０日先」より以前の時間帯の指定なので、制御部１１は、ステップＳ５５において、時間指定予約の録画予約種別で予約設定可能であると判定する。
【０１５３】
ＤＴＶ１０の制御部１１は、ユーザが指定した予約種別とは異なる予約種別である時間指定予約による録画予約登録要求５８を生成する（ステップＳ５６）。制御部１１は、送受信部１６によってその生成した録画予約登録要求５８をＤＶＲ３０へ送信させ（ステップＳ５７）、送受信部１６によってＤＶＲ３０からの応答５９を受信し（ステップＳ５８）、このときに制御部１１が処理した結果をディスプレイ２２に表示させてユーザに通知する。図１３（ａ）は、このときにユーザに通知するためにディスプレイ２２上に表示させる表示例を示している。
【０１５４】
なお、このときに制御部１１の処理結果の情報を表示するディスプレイ２２が、本発明の表示部の一例にあたる。
【０１５５】
その後、制御部１１は、ユーザにより指定された予約種別での、録画予約設定可能時期に到達したかの確認を行う（ステップＳ５９）。この場合には、ユーザから番組予約で指定されているので、予約指定された番組の放送時間帯が８日先より以前の時間帯になったか否かを判定する。
【０１５６】
指定された予約種別での予約登録可能時期に到達した場合、つまり予約指定された番組の時間帯が８日先より以前の時間帯となった場合には、ＤＴＶ１０の制御部１１は、ＤＶＲ３０に、先に予約設定処理をした異なる予約種別での録画予約が存在するかの確認を行う（ステップＳ６０）。ＤＶＲ３０における異なる予約種別での録画予約の設定の有無の確認は、ＤＶＲ３０に、録画予約情報取得要求を送信し、応答を受信することにより行う。
【０１５７】
ステップＳ６０において、先に予約設定処理をした、指定とは異なる予約種別での録画予約がＤＶＲ３０に設定されていた場合には、制御部１１は、録画予約削除要求６０を生成し、送受信部１６から送信させることで、ＤＶＲ３０における異なる予約種別による録画予約の削除を行う（ステップＳ６１）。
【０１５８】
そして、制御部１１は、記憶部１７に保持しておいた録画予約情報から、ユーザに指定された予約種別である番組予約による録画予約登録要求６１を生成し（ステップＳ５１）、ＤＶＲ３０に対して送受信部１６から録画予約登録要求６１を送信させ（ステップＳ５２）、ＤＶＲ３０からの応答６２を送受信部１６によって受信する（ステップＳ５３）。
【０１５９】
ステップＳ６０において、先に予約設定処理をした、指定とは異なる予約種別での録画予約がＤＶＲ３０に設定されていなかった場合には、制御部１１は、録画予約削除要求６０を送信せずに、ユーザに指定された番組予約による録画予約登録要求６１を生成してＤＶＲ３０へ送信する（ステップＳ５１、Ｓ５２）。
【０１６０】
なお、上記の説明では、ステップＳ６１において異なる予約種別での録画予約の設定に対する録画予約削除要求６０を送信する前に、ＤＶＲ３０における異なる予約種別での録画予約の設定の有無を確認する（ステップＳ６０）こととしたが、ＤＶＲ３０における異なる予約種別での録画予約の設定の有無の確認（ステップＳ６０の処理）を行わずに録画予約削除要求６０を送信するようにしてもよい。この場合、例えばリモコン４２によってＤＶＲ３０本体を直接操作するなどしてステップＳ５７で設定した異なる予約種別による録画予約の設定が削除されていたとしても、録画予約削除要求６０に対するＤＶＲ３０からの応答で「指定の録画予約が削除できなかった」という通知がされるだけであり、特に問題は無い。
【０１６１】
次に、第３の例として、ユーザが４５日後の時間帯の番組の予約を指定した場合には、番組予約の録画予約可能期日の「８日先」よりも先の時間帯の指定なので、制御部１１は、ステップＳ５０において、指定された番組予約の録画予約種別で予約設定が不可であると判定する。さらに、時間指定予約の録画予約可能期日の「３０日先」よりも先の時間帯の指定なので、制御部１１は、ステップＳ５５において、時間指定予約による予約種別でも予約設定が不可であると判定する。
【０１６２】
制御部１１は、ステップＳ５５において異なる予約種別（時間指定予約）でも予約設定が不可であると判定したときには、このときの制御部１１の処理結果をディスプレイ２２に表示させてユーザに通知する。図１３（ｂ）は、このときにユーザに通知するためにディスプレイ２２上に表示させる表示例を示している。
【０１６３】
制御部１１は、次に、指定された予約種別での録画予約設定可能時期、もしくは異なる予約種別での録画予約設定可能時期に到達したかの確認を行う（ステップＳ６２）。つまり、この場合には、制御部１１は、ユーザが指定した録画予約の時間帯が、時間指定予約および番組予約のうち、いずれか早く録画予約設定が可能になる方の時期を判断する。すなわち制御部１１は、ユーザが指定した予約録画の時間帯が、録画予約可能期限の長い方の録画予約可能期限内となったか否かを判断する。
【０１６４】
この場合には、番組予約による録画予約可能期日が「８日先」であるのに対し、時間指定予約による録画予約可能期日が「３０日先」なので、時間指定予約による予約設定可能時期に先に到達する。
【０１６５】
制御部１１は、ステップＳ６２において、ユーザが指定した予約録画の時間帯が、時間指定予約可能な３０日先までとなる時期に到達したと判断した場合、その後、第２の例で説明したステップＳ５６以降と同様の処理を行う。
【０１６６】
すなわち、制御部１１は、ユーザが指定した予約種別とは異なる予約種別である時間指定予約による録画予約登録要求５８を生成してＤＶＲ３０へ送信させ（ステップＳ５６、Ｓ５７）、その後、番組予約による録画予約設定可能時期に到達する（ステップＳ５９）と、先に予約設定処理をした時間指定予約による録画予約を削除し（ステップＳ６１）、ユーザに指定された予約種別である番組予約による録画予約登録要求６１を生成して送信させ（ステップＳ５１、Ｓ５２）、改めてＤＶＲ３０に対する予約設定をする。
【０１６７】
ステップＳ６２において、ユーザが指定した録画予約の時間帯が、ユーザが指定した予約種別による予約設定可能時期に先に到達した場合には、異なる予約種別による録画予約設定（ステップＳ５６、Ｓ５７）を行わず、ユーザが指定した予約種別により録画予約設定を行う（ステップＳ５１、Ｓ５２）。
【０１６８】
本実施の形態３では、時間指定予約よりも予約可能期限の短い番組予約によりユーザが録画予約の設定をしているので、ステップＳ６２では、異なる予約種別（時間指定予約）での予約設定可能時期に先に到達するが、例えば、ユーザが時間指定予約により録画予約の設定をした場合には、ユーザが指定した予約種別（時間指定予約）での予約設定可能時期に先に到達することになる。
【０１６９】
次に、本実施の形態３のＤＴＶ１０の録画予約登録代替保留送信処理（ステップＳ１５）の、別の処理例の処理内容について説明する。
【０１７０】
図１４に、ＤＴＶ１０の録画予約登録代替保留送信処理（ステップＳ１５）における別の処理例の処理フローを示す。図１２と同じ処理部分は、同じ符号で表わしている。
【０１７１】
図１２に示すフローに対して、ステップＳ７０およびステップＳ７１の処理を追加し、ステップＳ６２の処理をステップＳ７２の処理に置き換えた点が異なる。
【０１７２】
ここでは、図１２の処理と異なる処理部分について説明する。
【０１７３】
制御部１１は、ステップＳ５０において、ユーザが指定した録画予約種別で録画予約設定ができないと判断した場合に、ステップＳ５５においてユーザが指定した録画予約種別とは異なる録画予約種別による録画予約設定の可否を判断する前に、ユーザが指定した録画予約種別に対する予約可能設定期限に応じてステップＳ５５の判定処理を行うか否かを判断する（ステップＳ７０）。
【０１７４】
すなわち、ステップＳ７０において、制御部１１は、ユーザが指定した録画予約種別および異なる予約種別のそれぞれの予約設定可能期限を比較し、異なる予約種別の予約設定可能期限の方が長い場合に限りステップＳ５５の処理を行い、ユーザが指定した録画予約種別の予約設定可能期限の方が長い場合にはステップＳ５５の処理を行わないように判断処理する。
【０１７５】
例えば、図４（ａ）に示すように、時間指定予約の録画予約可能期日（３０日先）までの期間の方が番組予約の録画予約可能期日（８日先）までの期間よりも長い場合には、ユーザが番組予約で指定したときには、異なる予約種別（時間指定予約）による録画予約可能期日までの期間の方が長いので、次にステップＳ５５の処理を行うように判断処理される。一方、ユーザが時間指定予約で指定したときには、この場合には異なる予約種別（番組予約）による録画予約可能期日までの期間の方が短いので、ステップＳ５５の処理を行わないように判断される。
【０１７６】
制御部１１は、ステップＳ７０においてユーザが指定した録画予約種別による予約設定可能期限の方が長いと判断した場合には、次に、指定された予約種別での録画予約設定可能時期に到達したかの確認を行う（ステップＳ７１）。そして、制御部１１は、指定された予約種別での録画予約設定可能時期に到達すると、記憶部１７に保持しておいた録画予約情報から、ユーザに指定された予約種別である番組予約による録画予約登録要求６１を生成し（ステップＳ５１）、ＤＶＲ３０に対して送受信部１６から録画予約登録要求６１を送信させ（ステップＳ５２）、ＤＶＲ３０からの応答６２を送受信部１６によって受信する（ステップＳ５３）。
【０１７７】
例えば、本実施の形態３において、ユーザが時間指定予約で４５日後の時間帯を指定する入力をした場合、ステップＳ５０において、「ユーザが指定した予約種別で録画予約設定できない」と判断される。このとき、図１２のフローに示す処理では、この後に、ユーザが指定した予約種別と異なる予約種別である番組予約による録画予約設定の可否が判断される（ステップＳ５５）。一方、図１４のフローに示す処理では、ステップＳ７０において、「ステップＳ５５の処理を行わない」と判断され、次にステップＳ７１の処理を行う。
【０１７８】
ユーザが指定した予約種別の録画予約可能期限の方が長い場合には、異なる予約種別に代替して録画予約設定することは有り得ないため、この場合に、異なる予約種別による録画予約設定の可否を判断するのは無意味である。図１４のフローに示す処理は、この無意味なステップＳ５５〜ステップＳ６２の一連の処理を行わないようにするものであり、図１２のフローに示す処理よりも効率的に処理することができる。
【０１７９】
また、図１２のフローにおけるステップＳ６２では、ユーザが録画予約した時間帯が、ユーザが指定した録画予約種別および異なる予約種別のいずれかの予約設定可能時期に到達するのを確認していたのに対し、図１４のフローにおけるステップＳ７２では、ステップＳ７０の処理を追加したことにより、ユーザが指定した録画予約種別に対する予約設定時期に到達したかについては確認する必要が無いため、ユーザが指定した録画予約種別とは異なる予約種別に対する予約設定可能時期に到達したかのみを確認すればよい。
【０１８０】
本実施の形態３の録画予約登録システムは、実施の形態２の録画予約登録システムにおける、ユーザが選択した番組の録画に必要な領域を事前に確保しておくという効果が得られるとともに、ユーザが指定した録画予約種別で、すなわちユーザが希望した録画設定で予約録画が実行されるという効果も得られる。
【０１８１】
上記したように、各実施の形態の録画予約登録システムでは、異なる予約種別で録画予約設定を行ったことや、指定された録画予約種別での録画予約設定が不可であり録画予約設定を保留したことをディスプレイ２２上に表示することにより、ユーザが録画予約設定を行おうとした際に、録画装置に録画予約設定が直ちに行われなかった場合や、他の録画予約種別で録画予約設定が行なわれた場合でも、ユーザにその状況を通知することが可能である。これにより、ユーザが、録画装置側の録画予約登録状態を確認して、録画予約が未設定である、あるいは、録画予約種別が誤って設定されている等の、間違った判断を防止することが可能となる。
【０１８２】
なお、各実施の形態では、ユーザが録画予約登録操作を行った際の録画予約登録結果状況をディスプレイ２２に表示させることとしたが、ＤＴＶ１０に付属のリモコン２３を双方向通信可能なリモコンとし、本発明の表示部としてそのリモコン２３の液晶表示画面などにＤＴＶ１０の制御部１１の処理結果を表示させるようにしてもよい。
【０１８３】
なお、各実施の形態では、図２、図７および図１１に示したように、ＤＴＶ１０は、録画予約情報入力決定処理（ステップＳ１０）の際に、ＤＶＲ３０に対して録画予約可能期日を問い合わせることとして説明したが、これ以外のタイミングで、ＤＴＶ１０がＤＶＲ３０の録画予約可能期日を取得するようにしてもよい。
【０１８４】
例えば、ＤＶＲ３０との接続が確立したときや、ＤＴＶ１０の電源を入れたとき等に、１回だけ録画予約可能期日問い合わせ要求を送出してＤＶＲ３０の録画予約可能期日を取得しておき、その後は、録画予約可能期日問い合わせ要求を送出せずに、その取得した録画予約可能期日の情報を利用するようにしてもよい。
【０１８５】
また、ＤＶＲ３０の録画予約可能期日の情報を、ＤＶＲ３０から取得するのではなく、例えば、ユーザに、リモコン２３などを利用してＤＴＶ１０に入力させるようにしてもよい。この場合には、ＤＶＲ３０は、録画予約可能期日応答生成処理（ステップＳ２０またはＳ２３）を行う必要が無いので、各実施の形態の録画予約登録システムの録画装置として、従来の録画装置をそのまま利用することができる。
【０１８６】
なお、この場合の、リモコン２３から発光される赤外線を受信することによりユーザが入力設定する録画予約可能期日の情報を受け付ける赤外線受光部１９が、本発明の期限情報入力部の一例にあたる。
【０１８７】
また、各実施の形態では、図４（ａ）に示すように、時間指定予約による予約可能期日までの期間の方が、番組予約による予約可能期日までの期間よりも長い場合を一例として説明したが、番組予約による予約可能期日までの期間の方が、時間指定予約による予約可能期日までの期間よりも長い場合についても、本発明を適用できる。
【０１８８】
その場合には、時間指定予約による予約可能期日よりも先の録画予約時間帯が指定された場合、予約種別を番組予約に置き換えて代替予約することになる。このとき、時間指定予約による録画予約情報から番組予約による録画予約登録要求を生成する際に、録画予約開始時間および予約録画時間を同一とした番組識別子を持つ録画予約登録要求を生成できない場合がある。その場合には、指定された時間指定予約による録画予約情報で特定される録画時間帯を全て含むような、同じチャンネルで時間的に連続する複数の番組に対応した番組識別子を持つ録画予約登録要求を生成する。このようにして、時間的に連続した複数の録画予約登録要求を生成することにより、指定された時間指定予約による録画予約情報に対しての録画実行に必要な時間帯を確保しておくことができる。
【０１８９】
また、各実施の形態では、録画装置の録画予約設定の可能期限として、図４（ａ）に示すように、ＤＶＲ３０がＤＴＶ１０からの録画予約可能期日問い合わせ要求を受信した時点からの相対的な時間で決まる期限としたが、例えば「○月○日まで」というように絶対時間で決まる期限としてもよい。
【０１９０】
また、各実施の形態において、指定された予約種別での予約登録可能時期、もしくは異なる予約種別での録画予約設定可能時期に到達したかの確認を行うこととしたが、これらの可能時期というのは、期間を示すものであり、その瞬間を示すものではない。予約登録可能時期、もしくは異なる予約種別での録画予約設定可能時期に到達した時点で、録画装置の電源が落とされていた場合や、録画装置を操作中で、録画予約登録装置からの要求を受け付けられない状態にある場合には、所定の時間をおいて再度要求を送るようにするのが望ましい。このような場合でも、録画装置においてユーザが選択した番組の録画に必要な記録領域をより早い段階で確保するために、早い段階で所定の時間毎に要求を送るようにするのが望ましい。
【０１９１】
また、各実施の形態では、ＤＴＶ１０、ＤＶＲ３０それぞれが、放送受信手段としてのチューナ１４を保持した構成としているが、この構成に限られるものではない。
【０１９２】
図１５は、録画要求および番組データを送信するＤＴＶ１０を備えた録画予約登録システムにおける、ＤＴＶ１０からＤＶＲ３０に録画予約設定および録画要求する際の通信シーケンスを示している。
【０１９３】
図１５に示すような、ＤＴＶ１０から、ＤＶＲ３０に対して録画予約登録要求６３だけでなく、録画要求６５や、録画すべき番組データ６７を送信するような構成においても本発明は適用できる。この場合には、ＤＶＲ３０はチューナ１４を保持することなく、番組録画を実現することが可能である。
【０１９４】
この場合、ＤＴＶ１０は、ＤＶＲ３０への録画予約登録６３が完了した後にもユーザが指定した録画予約情報を保持しておく。この録画予約情報に基づき、録画開始時間が近づいた時点で、ＤＴＶ１０は、ＤＶＲ３０に対して録画要求６５を送信し、録画開始時間に相当する時点からの番組データ６７を送信する。ＤＴＶ１０は、録画予約期間に相当する時間、番組データ６７の送信を継続し、録画予約期間終了時に番組データ６７の送信を終了する。
【０１９５】
一方、ＤＶＲ３０は、予め登録された録画予約情報に基づき、ＤＴＶ１０から送信される番組データ６７を受信し、記録する。ＤＶＲ３０は、ＤＴＶ１０から送信された番組データ６７を全て記録する、あるいは時間指定で予約されている場合には、受信したデータのうち、録画予約開始時間から録画予約期間に相当する時間分の番組データを記録する、あるいは番組予約が指定されている場合には、受信した番組データのうち、録画予約登録時に指定された番組識別子を持つ番組データのみを記録する等の動作を行うこととなる。
【０１９６】
またこの場合、ＤＴＶ１０は、録画時に番組の先頭切れや、終端切れを防止するために、録画開始時間の少し前から録画終了時間の少し後までの期間の番組データをＤＶＲ３０に送信するようにしても良い。
【０１９７】
また、各実施の形態において、ＤＶＲ３０に録画予約設定ができなかった場合に、録画予約情報を保持しておく処理や異なる予約種別に置き換えて予約設定する処理をＤＴＶ１０側で行うこととしたが、各実施の形態で説明したＤＴＶ１０側におけるこれらの処理をＤＶＲ３０側で行わせるようにしても、同様の効果を得ることができる。
【０１９８】
ＤＶＲ３０側でこれらの処理を行わせる場合、例えば、ＤＴＶ１０から送信されてきた録画予約登録情報が、ＤＶＲ３０の録画予約可能期日を超えている場合であってもその要求を拒絶せずに取得し、録画予約可能期日が来るまで保持しておいて録画予約設定可能時期に到達した時点でＤＶＲ３０自身の録画予約設定を行うようにすればよい。また、異なる予約種別に置き換えることで予約設定可能になる場合には、ＤＴＶ１０から受信した録画予約登録情報を基に、ＤＶＲ３０自身で異なる録画予約種別で予約設定するように処理すればよい。
【０１９９】
このようにＤＶＲ３０側でこれらの処理を行わせる場合には、各実施の形態の録画予約登録システムの録画予約登録装置として、従来の録画予約登録装置をそのまま利用することができる。
【０２００】
なお、本発明のプログラムは、上述した録画予約登録方法の、入力された前記録画予約情報によって特定される時間帯と、前記録画装置の録画予約設定の可能期限とを比較し、前記録画装置において録画予約設定できるときには、前記録画予約情報から前記録画予約登録要求を生成し、前記録画装置において録画予約設定できないときには、前記録画装置において録画予約設定が可能になるまで前記録画予約情報を保持しておき、前記録画装置において録画予約設定が可能になったときに、保持しておいた前記録画予約情報から前記録画予約登録要求を生成する前記制御ステップの動作をコンピュータにより実行させるためのプログラムであって、コンピュータと協働して動作するプログラムである。
【０２０１】
また、本発明の記録媒体は、上述した録画予約登録方法の、入力された前記録画予約情報によって特定される時間帯と、前記録画装置の録画予約設定の可能期限とを比較し、前記録画装置において録画予約設定できるときには、前記録画予約情報から前記録画予約登録要求を生成し、前記録画装置において録画予約設定できないときには、前記録画装置において録画予約設定が可能になるまで前記録画予約情報を保持しておき、前記録画装置において録画予約設定が可能になったときに、保持しておいた前記録画予約情報から前記録画予約登録要求を生成する前記制御ステップの動作をコンピュータにより実行させるためのプログラムを記録した記録媒体であり、コンピュータにより読み取り可能かつ、読み取られた前記プログラムが前記コンピュータと協働して利用される記録媒体である。
【０２０２】
また、本発明のプログラムは、上述した録画予約登録方法の、入力された前記録画予約情報によって特定される時間帯と、前記録画装置の２つの前記録画予約設定の可能期限のうち前記録画予約情報の録画予約種類に対応する可能期限とを比較し、前記録画装置において録画予約設定できるときには、前記録画予約情報の録画予約種類に対応した録画予約登録要求を生成し、前記録画装置において録画予約設定できないときには、さらに、入力された前記録画予約情報によって特定される時間帯と、前記録画装置の２つの前記録画予約設定の可能期限のうち前記録画予約情報の録画予約種類とは異なる録画予約種類に対応する可能期限とを比較し、前記録画装置において前記異なる録画予約種類によって録画予約設定できるときには、入力された前記録画予約情報から前記異なる録画予約種類に対応した録画予約登録要求を生成する前記制御ステップの動作をコンピュータにより実行させるためのプログラムであって、コンピュータと協働して動作するプログラムである。
【０２０３】
また、本発明の記録媒体は、上述した録画予約登録方法の、入力された前記録画予約情報によって特定される時間帯と、前記録画装置の２つの前記録画予約設定の可能期限のうち前記録画予約情報の録画予約種類に対応する可能期限とを比較し、前記録画装置において録画予約設定できるときには、前記録画予約情報の録画予約種類に対応した録画予約登録要求を生成し、前記録画装置において録画予約設定できないときには、さらに、入力された前記録画予約情報によって特定される時間帯と、前記録画装置の２つの前記録画予約設定の可能期限のうち前記録画予約情報の録画予約種類とは異なる録画予約種類に対応する可能期限とを比較し、前記録画装置において前記異なる録画予約種類によって録画予約設定できるときには、入力された前記録画予約情報から前記異なる録画予約種類に対応した録画予約登録要求を生成する前記制御ステップの動作をコンピュータにより実行させるためのプログラムを記録した記録媒体であり、コンピュータにより読み取り可能かつ、読み取られた前記プログラムが前記コンピュータと協働して利用される記録媒体である。
【０２０４】
また、本発明のプログラムは、上述した録画予約登録方法の、入力された前記録画予約情報によって特定される時間帯と、前記録画装置の２つの前記録画予約設定の可能期限のうち前記録画予約情報の録画予約種類に対応する可能期限とを比較し、前記録画装置において録画予約設定できるときには、前記録画予約情報の録画予約種類に対応した録画予約登録要求を生成し、前記録画装置において録画予約設定できないときで、かつ前記録画予約情報の録画予約種類とは異なる録画予約種類に対応する可能期限の方が前記録画予約情報の録画予約種類の可能期限よりも長い場合には、さらに、入力された前記録画予約情報によって特定される時間帯と、前記異なる録画予約種類に対応する可能期限とを比較し、前記録画装置において前記異なる録画予約種類によって録画予約設定できるときには、入力された前記録画予約情報から前記異なる録画予約種類に対応した録画予約登録要求を生成する前記制御ステップの動作をコンピュータにより実行させるためのプログラムであって、コンピュータと協働して動作するプログラムである。
【０２０５】
また、本発明の記録媒体は、上述した録画予約登録方法の、入力された前記録画予約情報によって特定される時間帯と、前記録画装置の２つの前記録画予約設定の可能期限のうち前記録画予約情報の録画予約種類に対応する可能期限とを比較し、前記録画装置において録画予約設定できるときには、前記録画予約情報の録画予約種類に対応した録画予約登録要求を生成し、前記録画装置において録画予約設定できないときで、かつ前記録画予約情報の録画予約種類とは異なる録画予約種類に対応する可能期限の方が前記録画予約情報の録画予約種類の可能期限よりも長い場合には、さらに、入力された前記録画予約情報によって特定される時間帯と、前記異なる録画予約種類に対応する可能期限とを比較し、前記録画装置において前記異なる録画予約種類によって録画予約設定できるときには、入力された前記録画予約情報から前記異なる録画予約種類に対応した録画予約登録要求を生成する前記制御ステップの動作をコンピュータにより実行させるためのプログラムを記録した記録媒体であり、コンピュータにより読み取り可能かつ、読み取られた前記プログラムが前記コンピュータと協働して利用される記録媒体である。
【０２０６】
また、本発明の上記「前記制御ステップの動作」とは、前記制御ステップの全部または一部の動作を意味する。
【０２０７】
また、本発明のプログラムの一利用形態は、コンピュータにより読み取り可能な、ＲＯＭ等の記録媒体に記録され、コンピュータと協働して動作する態様であっても良い。
【０２０８】
また、本発明のプログラムの一利用形態は、インターネット等の伝送媒体、光・電波等の伝送媒体中を伝送し、コンピュータにより読みとられ、コンピュータと協働して動作する態様であっても良い。
【０２０９】
また、上述した本発明のコンピュータは、ＣＰＵ等の純然たるハードウェアに限らず、ファームウェアや、ＯＳ、更に周辺機器を含むものであっても良い。
【０２１０】
なお、以上説明した様に、本発明の構成は、ソフトウェア的に実現しても良いし、ハードウェア的に実現しても良い。
【産業上の利用可能性】
【０２１１】
本発明に係る録画予約登録システム、録画予約登録装置および録画予約登録方法等は、録画装置の録画予約設定可能期限を超える録画予約を可能にする効果を有し、ネットワークを介して接続された録画装置に対して、選択された番組の番組情報を利用して録画予約登録要求を行う録画予約登録装置と、録画予約登録装置からのその録画予約登録要求に応じて録画予約設定を行いその録画予約を実行する録画装置とから構成される録画予約登録システム、録画予約登録装置、および録画予約登録方法等として有用である。
【符号の説明】
【０２１２】
１０  ＤＴＶ
１１  制御部
１２  受信バッファ
１３  アンテナ
１４  チューナ
１５  デコーダ
１６  送受信部
１７  記憶部
１８  不揮発メモリ
１９  赤外線受光部
２０  映像表示部
２１  スピーカ
２２  ディスプレイ
２３  リモコン
２５  ケーブル
３０  ＤＶＲ
３１  制御部
３２  バッファ
３３  アンテナ
３４  チューナ
３５  デコーダ
３６  送受信部
３７  記憶部
３８  不揮発メモリ
３９  赤外線受光部
４０  記録再生部
４１  記録媒体
４２  リモコン
５０  録画予約可能期日問い合わせ要求
５１  応答
５２  録画予約登録要求
５３  応答
５４  録画予約可能期日問い合わせ要求
５５  応答
５６  録画予約登録要求
５７  応答
５８  録画予約登録要求
５９  応答
６０  録画予約削除要求
６１  録画予約登録要求
６２  応答
６３  録画予約登録要求
６４  応答
６５  録画要求
６６  応答
６７  番組データ
【図１】
2010064404.tif 000003
【図２】
2010064404.tif 000004
【図３】
2010064404.tif 000005
【図４】
2010064404.tif 000006
【図５】
2010064404.tif 000007
【図６】
2010064404.tif 000008
【図７】
2010064404.tif 000009
【図８】
2010064404.tif 000010
【図９】
2010064404.tif 000011
【図１０】
2010064404.tif 000012
【図１１】
2010064404.tif 000013
【図１２】
2010064404.tif 000014
【図１３】
2010064404.tif 000015
【図１４】
2010064404.tif 000016
【図１５】
2010064404.tif 000017
【図１６】
2010064404.tif 000018
【図１７】
2010064404.tif 000019
【手続補正書】
【提出日】平成22年4月13日(2010.4.13)
【手続補正１】
【補正対象書類名】明細書
【補正対象項目名】全文
【補正方法】変更
【補正の内容】
【発明の詳細な説明】
【技術分野】
【０００１】
本発明は、録画予約登録システム、録画予約登録装置、および録画予約登録方法等に関する。例えば、選択された番組の番組情報から録画装置に対して録画予約登録要求を行う録画予約登録装置と、録画予約登録装置からの録画予約登録要求に応じて録画予約設定を行い録画予約を実行する録画装置とから構成される録画予約登録システム、録画予約登録装置、および録画予約登録方法等に関する。
【背景技術】
【０００２】
家庭内にあるＡＶ（オーディオ・ビジュアル）機器をネットワークで相互に接続してＡＶ機器間でコンテンツを共有する等の、他のＡＶ機器を制御する技術が普及するようになってきた。例えばＰＣやＴＶ等の録画予約登録装置が、録画予約登録要求をＨＤＤレコーダ等の録画装置に送信することで、リモートで録画予約登録を行う録画予約登録システムが存在する。
【０００３】
このような従来の録画予約登録システムの録画予約登録時の処理フロー例を図１６に示す。ここでは、デジタルテレビ（ＤＴＶ）１００が、ネットワークで接続されたデジタルビデオレコーダ（ＤＶＲ）１０１の録画予約登録を行う例を示している。
【０００４】
まず、録画予約登録装置としてのＤＴＶ１００において、ＤＶＲ１０１に予約登録する情報（録画予約情報）を入力し、決定する（ステップＳ１００）。ユーザは、ＤＴＶ１００が取得した番組情報を画面に表示させ、ＤＴＶ１００に付属のリモコン１０２を操作して、録画予約を希望する番組を選択する。ＤＴＶ１００は、その選択された番組の番組情報と、ユーザが希望した録画モード等から、録画予約に必要なパラメータを含む録画予約登録要求１０３を生成し、ネットワークを介してＤＶＲ１０１に送信する。
【０００５】
ＤＶＲ１０１は、受信した録画予約登録要求１０３とＤＶＲ１０１自身が保持している情報と自身の録画予約能力から録画予約可否判定を行い（ステップＳ１１０）、録画予約が可能である場合には、録画予約の設定を行う（ステップＳ１１１）と共に、録画予約設定が完了したことを示す応答１０４を、ＤＴＶ１００に返送する。ステップＳ１１０で、録画予約が不可であると判断した場合には、録画予約設定処理（ステップＳ１１１）を行わずに、録画予約設定が不可であることを示す応答１０４をＤＴＶ１００に返送する。
【０００６】
そして、ＤＴＶ１００は、ＤＶＲ１０１から応答（登録結果）１０４を受信すると、ＤＶＲ１０１における予約登録結果を画面に表示して、ユーザは予約登録結果を知ることができる（ステップＳ１０１）。
【０００７】
このようにして、ネットワークで接続された録画予約登録装置から録画装置に対する録画予約設定処理を実現していた。
【発明の概要】
【発明が解決しようとする課題】
【０００８】
しかしながら、上記従来の録画予約登録システムでは、録画装置側の録画予約設定可能な期限よりも先の番組や時間を指定した録画予約情報を録画予約登録装置に入力した場合には、録画装置に録画予約を設定することができなかった。
【０００９】
この問題について、以下に具体的に説明する。
【００１０】
録画装置は通常、例えば開始日時や録画時間のみを指定した時間指定予約なら１か月先まで、また放送に含まれる番組識別子を指定することにより、番組に追従して録画予約を実行する番組予約の場合なら、番組情報が取得可能な１週間先まで、といった具合に録画予約種別毎に録画予約設定可能な期限をもっている。そのため、録画予約登録装置側で入力される録画予約情報が、録画装置側の録画予約設定可能な期限よりも先の番組や時間を指定する内容の場合には、録画装置側では録画予約の設定に失敗してしまう。
【００１１】
図１７に、録画装置側の録画予約設定可能な期限と録画予約登録装置側で入力する録画予約要求期間の関係を示す。図１７は、番組予約による録画予約設定可能な期限の例を示しており、この場合、録画装置側には、現在から８日後までの録画予約しか設定することができない。一方、録画予約登録装置では、録画装置が参照可能な日時よりも先の日時までの番組情報が参照でき、録画装置側で録画予約設定可能な期間（８日後まで）よりも先の期間（例えば、現在から３０日後までの期間）における時間帯の番組の予約設定の入力ができるものとする。
【００１２】
この場合に、例えば、録画予約登録装置側で録画予約要求期間Ａを特定する録画予約情報を入力した場合には、録画予約要求期間Ａは現在から３日後の時間帯であり、録画装置の録画予約設定可能期間内の時間帯なので、録画装置にその録画予約が設定される。しかし、録画予約登録装置側で録画予約要求期間Ｂを特定する録画予約情報を入力した場合には、録画予約要求期間Ｂは現在から１０日先の時間帯であり、録画装置の録画予約の設定ができない期間なので、その録画予約を設定できず、録画予約登録装置側に「録画予約設定できなかった」旨の通知が返される。つまり、録画予約要求期間Ｂを指定した場合には、ユーザは、録画予約登録をしたいと思った時点には、録画予約の入力処理を完了できなかった。
【００１３】
その結果、ユーザが、録画予約要求期間Ｂの番組を録画予約するためには、録画予約要求期間Ｂが、録画装置の録画予約設定可能期限１０５以前の時間帯となるまで待ち、再度その録画予約情報を入力しなければならない、という不便さがあった。
【００１４】
本発明は、上記従来の課題を考慮して、録画装置の録画予約設定可能期限を超える録画予約を可能にする録画予約登録システム、録画予約登録装置および録画予約登録方法等を提供することを目的とする。
【課題を解決するための手段】
【００１５】
上述した課題を解決するために、第１の本発明は、
放送される番組の録画予約登録要求を送信する録画予約登録装置と、
前記録画予約登録要求を受信し、その録画予約登録要求に対応して録画予約を設定する、録画可能な録画装置とを備えた録画予約登録システムであって、
前記録画予約登録装置は、
前記録画装置に録画予約する番組の録画予約情報を入力する予約情報入力部と、
入力された前記録画予約情報によって特定される時間帯と、前記録画装置の録画予約設定の可能期限とを比較し、前記録画装置において録画予約設定できるときには、前記録画予約情報から前記録画予約登録要求を生成し、前記録画装置において録画予約設定できないときには、前記録画装置において録画予約設定が可能になるまで前記録画予約情報を保持しておき、前記録画装置において録画予約設定が可能になったときに、保持しておいた前記録画予約情報から前記録画予約登録要求を生成する制御部と、
前記制御部で生成された前記録画予約登録要求を前記録画装置に送信する予約情報送信部とを有する、録画予約登録システムである。
【００１６】
また、第２の本発明は、
放送される番組の録画予約登録要求を受信してその録画予約登録要求に対応して録画予約を設定し、録画可能な録画装置に、前記録画予約登録要求を送信する録画予約登録装置であって、
前記録画装置に録画予約する番組の録画予約情報を入力する予約情報入力部と、
入力された前記録画予約情報によって特定される時間帯と、前記録画装置の録画予約設定の可能期限とを比較し、前記録画装置において録画予約設定できるときには、前記録画予約情報から前記録画予約登録要求を生成し、前記録画装置において録画予約設定できないときには、前記録画装置において録画予約設定が可能になるまで前記録画予約情報を保持しておき、前記録画装置において録画予約設定が可能になったときに、保持しておいた前記録画予約情報から前記録画予約登録要求を生成する制御部と、
前記制御部で生成された前記録画予約登録要求を前記録画装置に送信する予約情報送信部とを備えた、録画予約登録装置である。
【００１７】
また、第３の本発明は、
放送される番組の録画予約登録要求を送信する録画予約登録装置と、
前記録画予約登録要求を受信し、その録画予約登録要求に対応して録画予約を設定する、録画可能な録画装置とを備えた録画予約登録システムであって、
前記録画予約の種類が２つあり、それらの録画予約設定の可能期限は互いに異なっており、
前記録画予約登録装置は、
前記録画装置に録画予約する番組の、録画予約種類の情報を含む録画予約情報を入力する予約情報入力部と、
入力された前記録画予約情報によって特定される時間帯と、前記録画装置の２つの前記録画予約設定の可能期限のうち前記録画予約情報の録画予約種類に対応する可能期限とを比較し、前記録画装置において録画予約設定できるときには、前記録画予約情報の録画予約種類に対応した録画予約登録要求を生成し、前記録画装置において録画予約設定できないときには、さらに、入力された前記録画予約情報によって特定される時間帯と、前記録画装置の２つの前記録画予約設定の可能期限のうち前記録画予約情報の録画予約種類とは異なる録画予約種類に対応する可能期限とを比較し、前記録画装置において前記異なる録画予約種類によって録画予約設定できるときには、入力された前記録画予約情報から前記異なる録画予約種類に対応した録画予約登録要求を生成する制御部と、
前記制御部で生成された前記録画予約登録要求を前記録画装置に送信する予約情報送信部とを有する、録画予約登録システムである。
【００１８】
また、第４の本発明は、
放送される番組の録画予約登録要求を受信してその録画予約登録要求に対応して録画予約を設定し、録画可能な録画装置に、前記録画予約登録要求を送信する録画予約登録装置であって、
前記録画予約の種類が２つあり、それらの録画予約設定の可能期限は互いに異なっており、
前記録画装置に録画予約する番組の、録画予約種類の情報を含む録画予約情報を入力する予約情報入力部と、
入力された前記録画予約情報によって特定される時間帯と、前記録画装置の２つの前記録画予約設定の可能期限のうち前記録画予約情報の録画予約種類に対応する可能期限とを比較し、前記録画装置において録画予約設定できるときには、前記録画予約情報の録画予約種類に対応した録画予約登録要求を生成し、前記録画装置において録画予約設定できないときには、さらに、入力された前記録画予約情報によって特定される時間帯と、前記録画装置の２つの前記録画予約設定の可能期限のうち前記録画予約情報の録画予約種類とは異なる録画予約種類に対応する可能期限とを比較し、前記録画装置において前記異なる録画予約種類によって録画予約設定できるときには、入力された前記録画予約情報から前記異なる録画予約種類に対応した録画予約登録要求を生成する制御部と、
前記制御部で生成された前記録画予約登録要求を前記録画装置に送信する予約情報送信部とを備えた、録画予約登録装置である。
【００１９】
また、第５の本発明は、
前記制御部は、前記録画装置において前記異なる録画予約種類によっても録画予約設定できないときには、前記録画装置において可能期限が長い方の録画予約種類によって録画予約設定が可能になるまで入力された前記録画予約情報を保持しておきその録画予約設定が可能になったときに、保持しておいた前記録画予約情報から前記可能期限が長い方の録画予約種類に対応した録画予約登録要求を生成する、第４の本発明の録画予約登録装置である。
【００２０】
また、第６の本発明は、
前記制御部は、前記可能期限が長い方の録画予約種類が、入力された前記録画予約情報の録画予約種類ではない場合には、前記可能期限が長い方の録画予約種類に対応した録画予約登録要求を生成した後、前記可能期限が短い方の録画予約種類によって録画予約設定が可能になったときに、入力された前記録画予約情報の録画予約種類に対応した録画予約登録要求と、前記可能期限が長い方の録画予約種類の録画予約登録要求によって設定された録画予約の取り消し指令とを生成し、
前記予約情報送信部は、前記制御部で生成された前記録画予約の取り消し指令と、入力された前記録画予約情報の録画予約種類に対応した録画予約登録要求とを前記録画装置に送信する、第５の本発明の録画予約登録装置である。
【００２１】
また、第７の本発明は、
放送される番組の録画予約登録要求を送信する録画予約登録装置と、
前記録画予約登録要求を受信し、その録画予約登録要求に対応して録画予約を設定する、録画可能な録画装置とを備えた録画予約登録システムであって、
前記録画予約の種類が２つあり、それらの録画予約設定の可能期限は互いに異なっており、
前記録画予約登録装置は、
前記録画装置に録画予約する番組の、録画予約種類の情報を含む録画予約情報を入力する予約情報入力部と、
入力された前記録画予約情報によって特定される時間帯と、前記録画装置の２つの前記録画予約設定の可能期限のうち前記録画予約情報の録画予約種類に対応する可能期限とを比較し、前記録画装置において録画予約設定できるときには、前記録画予約情報の録画予約種類に対応した録画予約登録要求を生成し、前記録画装置において録画予約設定できないときで、かつ前記録画予約情報の録画予約種類とは異なる録画予約種類に対応する可能期限の方が前記録画予約情報の録画予約種類の可能期限よりも長い場合には、さらに、入力された前記録画予約情報によって特定される時間帯と、前記異なる録画予約種類に対応する可能期限とを比較し、前記録画装置において前記異なる録画予約種類によって録画予約設定できるときには、入力された前記録画予約情報から前記異なる録画予約種類に対応した録画予約登録要求を生成する制御部と、
前記制御部で生成された前記録画予約登録要求を前記録画装置に送信する予約情報送信部とを有する、録画予約登録システムである。
【００２２】
また、第８の本発明は、
放送される番組の録画予約登録要求を受信してその録画予約登録要求に対応して録画予約を設定し、録画可能な録画装置に、前記録画予約登録要求を送信する録画予約登録装置であって、
前記録画予約の種類が２つあり、それらの録画予約設定の可能期限は互いに異なっており、
前記録画装置に録画予約する番組の、録画予約種類の情報を含む録画予約情報を入力する予約情報入力部と、
入力された前記録画予約情報によって特定される時間帯と、前記録画装置の２つの前記録画予約設定の可能期限のうち前記録画予約情報の録画予約種類に対応する可能期限とを比較し、前記録画装置において録画予約設定できるときには、前記録画予約情報の録画予約種類に対応した録画予約登録要求を生成し、前記録画装置において録画予約設定できないときで、かつ前記録画予約情報の録画予約種類とは異なる録画予約種類に対応する可能期限の方が前記録画予約情報の録画予約種類の可能期限よりも長い場合には、さらに、入力された前記録画予約情報によって特定される時間帯と、前記異なる録画予約種類に対応する可能期限とを比較し、前記録画装置において前記異なる録画予約種類によって録画予約設定できるときには、入力された前記録画予約情報から前記異なる録画予約種類に対応した録画予約登録要求を生成する制御部と、
前記制御部で生成された前記録画予約登録要求を前記録画装置に送信する予約情報送信部とを備えた、録画予約登録装置である。
【００２３】
また、第９の本発明は、
前記制御部は、前記録画装置において前記異なる録画予約種類によっても録画予約設定できないときには、前記録画装置において入力された前記録画予約情報の録画予約種類によって録画予約設定が可能になるまで入力された前記録画予約情報を保持しておきその録画予約設定が可能になったときに、保持しておいた前記録画予約情報の録画予約種類に対応した録画予約登録要求を生成する、第４または第８の本発明の録画予約登録装置である。
【００２４】
また、第１０の本発明は、
前記２つの録画予約の種類とは、絶対時間による時間帯で設定される時間指定予約と、番組情報に含まれる番組識別子に基づいて設定される番組予約であり、
前記制御部は、前記時間指定予約で入力された前記録画予約情報から前記番組予約に対応した録画予約登録要求を生成するときには、入力された前記録画予約情報で特定される時間帯を含むような、一または連続した複数の番組に対応する前記録画予約登録要求を生成する、第４または第８の本発明の録画予約登録装置である。
【００２５】
また、第１１の本発明は、
前記制御部は、前記録画装置において入力された前記録画予約情報の録画予約種類によって録画予約設定できないときで、かつ前記録画予約情報の録画予約種類とは異なる録画予約種類に対応する可能期限の方が前記録画予約情報の録画予約種類の可能期限よりも短い場合には、前記録画装置において入力された前記録画予約情報の録画予約種類によって録画予約設定が可能になるまで入力された前記録画予約情報を保持しておきその録画予約設定が可能になったときに、保持しておいた前記録画予約情報の録画予約種類に対応した録画予約登録要求を生成する、第８の本発明の録画予約登録装置である。
【００２６】
また、第１２の本発明は、
前記制御部は、前記録画装置において前記異なる録画予約種類によっても録画予約設定できないときには、前記録画装置において前記異なる録画予約種類によって録画予約設定が可能になるまで入力された前記録画予約情報を保持しておきその録画予約設定が可能になったときに、保持しておいた前記録画予約情報から前記異なる録画予約種類に対応した録画予約登録要求を生成する、第８の本発明の録画予約登録装置である。
【００２７】
また、第１３の本発明は、
前記制御部は、前記異なる録画予約種類に対応した録画予約登録要求を生成した後、入力された前記録画予約情報の録画予約種類によって録画予約設定が可能になったときに、入力された前記録画予約情報の録画予約種類に対応した録画予約登録要求と、前記異なる録画予約種類の録画予約登録要求によって設定された録画予約の取り消し指令とを生成し、
前記予約情報送信部は、前記制御部で生成された前記録画予約の取り消し指令と、入力された前記録画予約情報の録画予約種類に対応した録画予約登録要求とを前記録画装置に送信する、第１２の本発明の録画予約登録装置である。
【００２８】
また、第１４の本発明は、
前記録画予約情報によって特定される時間帯とは、絶対時間で決められた時間帯、または、番組情報に含まれる番組識別子で決まる時間帯であり、
前記録画予約設定の可能期限とは、絶対時間で決まる期限、または、前記録画装置が前記録画予約登録要求を受信するときからの相対時間で決まる期限として定められている、第２、第４および第８のいずれかの本発明の録画予約登録装置である。
【００２９】
また、第１５の本発明は、
ユーザが前記録画装置の録画予約設定の可能期限を入力する期限情報入力部を備えた、第２、第４および第８のいずれかの本発明の録画予約登録装置である。
【００３０】
また、第１６の本発明は、
前記録画予約設定の可能期限の情報を前記録画装置から取得する期限情報受信部を備えた、第２、第４および第８のいずれかの本発明の録画予約登録装置である。
【００３１】
また、第１７の本発明は、
前記期限情報受信部は、前記録画予約設定の可能期限の情報を、入力された前記録画予約情報によって特定される時間帯を比較する毎に前記録画装置から取得する、または、予め前記録画装置から取得しておく、第１６の本発明の録画予約登録装置である。
【００３２】
また、第１８の本発明は、
前記制御部による処理結果を表示する表示部を備えた、第２、第４および第８のいずれかの本発明の録画予約登録装置である。
【００３３】
また、第１９の本発明は、
放送される番組の録画予約登録要求を受信してその録画予約登録要求に対応して録画予約を設定する録画可能な録画装置に、前記録画予約登録要求を送信する録画予約登録装置の録画予約登録方法であって、
前記録画装置に録画予約する番組の録画予約情報を入力する予約情報入力ステップと、
入力された前記録画予約情報によって特定される時間帯と、前記録画装置の録画予約設定の可能期限とを比較し、前記録画装置において録画予約設定できるときには、前記録画予約情報から前記録画予約登録要求を生成し、前記録画装置において録画予約設定できないときには、前記録画装置において録画予約設定が可能になるまで前記録画予約情報を保持しておき、前記録画装置において録画予約設定が可能になったときに、保持しておいた前記録画予約情報から前記録画予約登録要求を生成する制御ステップと、
前記制御ステップで生成された前記録画予約登録要求を前記録画装置に送信する予約情報送信ステップとを備えた、録画予約登録方法である。
【００３４】
また、第２０の本発明は、
放送される番組の録画予約登録要求を受信してその録画予約登録要求に対応して録画予約を設定する録画可能な録画装置に、前記録画予約登録要求を送信する録画予約登録装置の録画予約登録方法であって、
前記録画予約の種類が２つあり、それらの録画予約設定の可能期限は互いに異なっており、
前記録画装置に録画予約する番組の、録画予約種類の情報を含む録画予約情報を入力する予約情報入力ステップと、
入力された前記録画予約情報によって特定される時間帯と、前記録画装置の２つの前記録画予約設定の可能期限のうち前記録画予約情報の録画予約種類に対応する可能期限とを比較し、前記録画装置において録画予約設定できるときには、前記録画予約情報の録画予約種類に対応した録画予約登録要求を生成し、前記録画装置において録画予約設定できないときには、さらに、入力された前記録画予約情報によって特定される時間帯と、前記録画装置の２つの前記録画予約設定の可能期限のうち前記録画予約情報の録画予約種類とは異なる録画予約種類に対応する可能期限とを比較し、前記録画装置において前記異なる録画予約種類によって録画予約設定できるときには、入力された前記録画予約情報から前記異なる録画予約種類に対応した録画予約登録要求を生成する制御ステップと、
前記制御ステップで生成された前記録画予約登録要求を前記録画装置に送信する予約情報送信ステップとを備えた、録画予約登録方法である。
【００３５】
また、第２１の本発明は、
放送される番組の録画予約登録要求を受信してその録画予約登録要求に対応して録画予約を設定する録画可能な録画装置に、前記録画予約登録要求を送信する録画予約登録装置の録画予約登録方法であって、
前記録画予約の種類が２つあり、それらの録画予約設定の可能期限は互いに異なっており、
前記録画装置に録画予約する番組の、録画予約種類の情報を含む録画予約情報を入力する予約情報入力ステップと、
入力された前記録画予約情報によって特定される時間帯と、前記録画装置の２つの前記録画予約設定の可能期限のうち前記録画予約情報の録画予約種類に対応する可能期限とを比較し、前記録画装置において録画予約設定できるときには、前記録画予約情報の録画予約種類に対応した録画予約登録要求を生成し、前記録画装置において録画予約設定できないときで、かつ前記録画予約情報の録画予約種類とは異なる録画予約種類に対応する可能期限の方が前記録画予約情報の録画予約種類の可能期限よりも長い場合には、さらに、入力された前記録画予約情報によって特定される時間帯と、前記異なる録画予約種類に対応する可能期限とを比較し、前記録画装置において前記異なる録画予約種類によって録画予約設定できるときには、入力された前記録画予約情報から前記異なる録画予約種類に対応した録画予約登録要求を生成する制御ステップと、
前記制御ステップで生成された前記録画予約登録要求を前記録画装置に送信する予約情報送信ステップとを備えた、録画予約登録方法である。
【００３６】
また、第２２の本発明は、
第１９の本発明の録画予約登録方法の、入力された前記録画予約情報によって特定される時間帯と、前記録画装置の録画予約設定の可能期限とを比較し、前記録画装置において録画予約設定できるときには、前記録画予約情報から前記録画予約登録要求を生成し、前記録画装置において録画予約設定できないときには、前記録画装置において録画予約設定が可能になるまで前記録画予約情報を保持しておき、前記録画装置において録画予約設定が可能になったときに、保持しておいた前記録画予約情報から前記録画予約登録要求を生成する前記制御ステップをコンピュータに実行させるプログラムである。
【００３７】
また、第２３の本発明は、
第２０の本発明の録画予約登録方法の、入力された前記録画予約情報によって特定される時間帯と、前記録画装置の２つの前記録画予約設定の可能期限のうち前記録画予約情報の録画予約種類に対応する可能期限とを比較し、前記録画装置において録画予約設定できるときには、前記録画予約情報の録画予約種類に対応した録画予約登録要求を生成し、前記録画装置において録画予約設定できないときには、さらに、入力された前記録画予約情報によって特定される時間帯と、前記録画装置の２つの前記録画予約設定の可能期限のうち前記録画予約情報の録画予約種類とは異なる録画予約種類に対応する可能期限とを比較し、前記録画装置において前記異なる録画予約種類によって録画予約設定できるときには、入力された前記録画予約情報から前記異なる録画予約種類に対応した録画予約登録要求を生成する前記制御ステップをコンピュータに実行させるプログラムである。
【００３８】
また、第２４の本発明は、
第２１の本発明の録画予約登録方法の、入力された前記録画予約情報によって特定される時間帯と、前記録画装置の２つの前記録画予約設定の可能期限のうち前記録画予約情報の録画予約種類に対応する可能期限とを比較し、前記録画装置において録画予約設定できるときには、前記録画予約情報の録画予約種類に対応した録画予約登録要求を生成し、前記録画装置において録画予約設定できないときで、かつ前記録画予約情報の録画予約種類とは異なる録画予約種類に対応する可能期限の方が前記録画予約情報の録画予約種類の可能期限よりも長い場合には、さらに、入力された前記録画予約情報によって特定される時間帯と、前記異なる録画予約種類に対応する可能期限とを比較し、前記録画装置において前記異なる録画予約種類によって録画予約設定できるときには、入力された前記録画予約情報から前記異なる録画予約種類に対応した録画予約登録要求を生成する前記制御ステップをコンピュータに実行させるプログラムである。
【００３９】
また、第２５の本発明は、
第２２〜第２４のいずれかの本発明のプログラムを記録した記録媒体であって、コンピュータにより処理可能な記録媒体である。
【発明の効果】
【００４０】
本発明により、録画装置の録画予約設定可能期限を超える録画予約を可能にする録画予約登録システム、録画予約登録装置および録画予約登録方法等を提供できる。
【図面の簡単な説明】
【００４１】
【図１】本発明の各実施の形態の録画予約登録システムのブロック図
【図２】本発明の実施の形態１の録画予約登録システムにおいて、ＤＴＶからＤＶＲに録画予約設定する際の通信シーケンスを示す図
【図３】本発明の実施の形態１のＤＴＶにおける録画予約登録保留送信処理の処理フローを示す図
【図４】（ａ）本発明の各実施の形態のＤＶＲにおける予約種別毎の予約可能期日の例を示す図、（ｂ）本発明の各実施の形態のＤＴＶにおける予約種別毎の予約可能期日の例を示す図
【図５】本発明の各実施の形態の録画予約登録要求に含まれるパラメータの例を示す図
【図６】本発明の実施の形態１のＤＴＶにおいて、ユーザがＤＶＲ側の録画予約登録可能期日を超えた時間帯を指定したときの、ディスプレイに表示される表示例を示す図
【図７】本発明の実施の形態２の録画予約登録システムにおいて、ＤＴＶからＤＶＲに録画予約設定する際の通信シーケンスを示す図
【図８】本発明の実施の形態２のＤＴＶにおける代替録画予約登録処理の処理フローを示す図
【図９】本発明の実施の形態２のＤＴＶにおいて、ユーザがＤＶＲ側の録画予約登録可能期日を超えた時間帯を指定して代替予約されたときの、ディスプレイに表示される表示例を示す図
【図１０】本発明の実施の形態２のＤＴＶにおける別の代替録画予約登録処理の処理フローを示す図
【図１１】本発明の実施の形態３の録画予約登録システムにおいて、ＤＴＶからＤＶＲに録画予約設定する際の通信シーケンスを示す図
【図１２】本発明の実施の形態３のＤＴＶにおける録画予約登録代替保留送信処理の処理フローを示す図
【図１３】（ａ）本発明の実施の形態３のＤＴＶにおいて、ユーザがＤＶＲ側の録画予約可能期日を超えた時間帯を指定して予約設定が代替予約されたときの、ディスプレイに表示される表示例を示す図、（ｂ）本発明の実施の形態３のＤＴＶにおいて、ユーザがＤＶＲ側の録画予約可能期日を超えた時間帯を指定して予約登録が保留されたときの、ディスプレイに表示される表示例を示す図
【図１４】本発明の実施の形態３のＤＴＶにおける別の録画予約登録代替保留送信処理の処理フローを示す図
【図１５】本発明の他の実施の形態の、録画要求および番組データを送信するＤＴＶを備えた録画予約登録システムにおいて、ＤＴＶからＤＶＲに録画予約設定および録画要求する際の通信シーケンスを示す図
【図１６】従来の録画予約登録システムの録画予約登録時の処理フロー例を示す図
【図１７】従来の録画予約登録システムにおける、録画装置側の録画予約設定可能な期限と録画予約登録装置側で入力する録画予約要求期間の関係を示す図
【発明を実施するための形態】
【００４２】
以下に、本発明の実施の形態を、図面を参照して説明する。
【００４３】
（実施の形態１）
図１に、本発明の実施の形態１の録画予約登録システムのブロック図を示す。
【００４４】
なお、図１において、実線で示す矢印はデータの流れを示し、破線で示す矢印は制御信号の流れを示している。
【００４５】
本実施の形態１の録画予約登録システムは、ケーブル２５によって、デジタルテレビ（ＤＴＶ）１０とデジタルビデオレコーダ（ＤＶＲ）３０が接続されている。
【００４６】
なお、ＤＴＶ１０が本発明の録画予約登録装置の一例にあたり、ＤＶＲ３０が本発明の録画装置の一例にあたる。
【００４７】
まず、ＤＴＶ１０の構成について説明する。
【００４８】
ＤＴＶ１０の装置全体を制御する制御部１１は、ＣＰＵによって構成されている。制御部１１には、記憶部１７および不揮発メモリ１８が接続されている。記憶部１７はＲＡＭであり、不揮発メモリ１８はＲＯＭまたはＦＬＡＳＨメモリである。
【００４９】
放送を受信するためのアンテナ１３が接続された放送受信手段としてのチューナ１４は、制御部１１からの制御指令によって受信チャンネルの選択を行ない、その受信出力は受信バッファ１２を介して、信号処理手段としてのデコーダ１５に入力される。そして、デコーダ１５は、制御部１１によって制御されてその入力されたデータをデコードする。
【００５０】
デコーダ１５でデコードされた音声信号は、音声出力手段としてのスピーカ２１から出力され、デコードされた映像信号は、映像表示部２０から出力されてディスプレイ２２に表示される。
【００５１】
操作入力手段として赤外線受光部１９が設けられており、ユーザは、ＤＴＶ１０に付属のリモコン２３を操作することにより、リモコン２３から発光された赤外線が赤外線受光部１９で受光されて、制御部１１における制御動作の指令を与えることができる。例えば、ユーザは、リモコン２３を操作することにより、制御部１１に対して選局を行うための指令を与えることが可能である。
【００５２】
制御部１１は、送受信部１６を制御することにより、ケーブル２５で接続されたＤＶＲ３０に対して要求を送信すると共に、ＤＶＲ３０からの応答を受信する。
【００５３】
制御部１１に接続されている記憶部１７には、チューナ１４によって受信され、デコーダ１５によって信号処理された伝送制御信号ＰＳ１と番組配列情報ＳＩとから、制御部１１によって生成された番組情報が保持されている。
【００５４】
番組情報は、ＤＴＶ１０が受信可能な放送サービス（サービスＩＤ）毎に、番組識別子（イベントＩＤ）、番組の開始時間、終了時間およびタイトル（番組名）から構成されている。この番組情報を利用してＤＴＶ１０は番組表を作成して、ユーザに番組案内を行う。また番組情報は、ユーザに選択された番組の録画予約を行う場合の、録画予約登録パラメータとして利用される。
【００５５】
なお、ＤＴＶ１０の制御部１１および送受信部１６が、それぞれ、本発明の制御部および予約情報送信部の一例にあたる。また、リモコン２３から発光された赤外線を受光することによりユーザによる入力を受け付ける赤外線受光部１９が、本発明の予約情報入力部の一例にあたる。
【００５６】
次に、ＤＶＲ３０の構成について説明する。
【００５７】
ＤＶＲ３０の装置全体を制御する制御部３１は、ＣＰＵによって構成されている。制御部３１には、記憶部３７および不揮発メモリ３８が接続されている。記憶部３７はＲＡＭであり、不揮発メモリ３８はＲＯＭまたはＦＬＡＳＨメモリである。
【００５８】
放送を受信するためのアンテナ３３が接続された放送受信手段としてのチューナ３４は、制御部３１からの制御指令によって受信チャンネルの選択を行ない、その受信出力はバッファ３２を介して、信号処理手段としてのデコーダ３５に入力される、そして、デコーダ３５は、制御部３１によって制御されてその入力されたデータをデコードし出力する。
【００５９】
操作入力手段として赤外線受光部３９が設けられており、ユーザは、ＤＶＲ３０に付属のリモコン４２を操作することにより、リモコン４２から発光された赤外線が赤外線受光部３９で受光されて、制御部３１における制御動作の指令を与えることができる。また、ユーザは、リモコン４２を操作することにより、選局や記録動作の指令を与えると共に、予約録画等の動作の指令を与えることも可能である。
【００６０】
制御部３１には、記録再生部４０が接続されている。記録再生部４０は、指定された番組等のコンテンツを記録媒体４１に記録し、また、記録媒体４１に記録されたコンテンツを再生するように構成されている。また、記録再生部４０は、記録媒体４１への記録時には、制御部３１からの要求により、コンテンツだけでなく、コンテンツのタイトルや記録時間や対応するコンテンツが記録中であるかどうかを示す情報等のコンテンツ情報も併せて記録媒体４１に記録する。
【００６１】
制御部３１は、送受信部３６を制御することにより、ケーブル２５で接続されたＤＴＶ１０からの要求を受信する。
【００６２】
制御部３１に接続されている記憶部３７には、チューナ３４によって受信され、デコーダ３５によって信号処理された伝送制御信号ＰＳ１と番組配列情報ＳＩとから、制御部３１によって生成された番組情報が保持されている。
【００６３】
ＤＶＲ３０もＤＴＶ１０と同様に、この番組情報を利用して番組表を作成して、ユーザに番組案内を行う。また、ユーザに選択された番組の録画予約を行う場合の、録画予約登録パラメータとしてこの番組情報を利用する。
【００６４】
次に、本実施の形態１のＤＴＶ１０から、ケーブル２５を介してＤＶＲ３０の録画予約を設定する際の動作について説明する。
【００６５】
本実施の形態１のＤＴＶ１０およびＤＶＲ３０で使用可能な録画予約種別には、録画予約開始時間と録画時間（録画動作を実行させる期間）を基に録画予約を行う時間指定予約と、番組情報に含まれる番組識別子を基に、指定された番組識別子の番組の放送時間に応じて録画予約開始時間と録画予約時間とを決定し、番組の開始から終了までの録画予約を行う番組予約とがある。
【００６６】
ＤＴＶ１０は、ＤＶＲ３０に対して録画予約種別に応じた録画予約登録要求を送信することによりＤＶＲ３０の録画予約の設定をするが、図５は、その録画予約登録要求に含まれるパラメータの例を示している。時間指定予約の場合には、録画予約開始日、録画予約開始時間、録画時間、地上デジタルやＢＳデジタル等の放送種別、ＣＨ情報、予約種別、録画モード、および録画予約番組のタイトル名が使用される。番組予約の場合には、これらに加えて番組識別子が使用される。
【００６７】
図４（ａ）および（ｂ）に、ＤＶＲ３０およびＤＴＶ１０のそれぞれにおける予約種別毎の予約可能期日の例を示している。本実施の形態１のＤＶＲ３０は、８日分の番組情報を利用可能であり、番組予約で指定した場合には８日先までの録画予約の設定が可能であり、時間指定予約で指定した場合には３０日先までの録画予約の設定が可能である。一方、本実施の形態１のＤＴＶ１０は、６０日分の番組情報が利用可能で、番組予約および時間指定予約のいずれの録画予約種別で指定する場合も、６０日先までの時間帯を指定することが可能である。
【００６８】
本実施の形態１の録画予約登録システムでは、時間指定予約および番組予約の２種類の録画予約種類でＤＴＶ１０からＤＶＲ３０の録画予約を設定することができるが、ここでは、ユーザが番組予約によりＤＶＲ３０の録画予約を設定する場合について説明する。
【００６９】
図２は、本実施の形態１の録画予約登録システムにおける、ＤＴＶ１０から、ＤＶＲ３０に録画予約設定する際の通信シーケンスを示している。
【００７０】
図２に示す録画予約設定可否判断処理（ステップＳ２１）および録画予約設定処理（ステップＳ２２）は、それぞれ、図１６に示した従来の録画予約登録システムの録画予約設定可否判断処理（ステップＳ１１０）および録画予約設定処理（ステップＳ１１１）と同じ処理である。つまり、本実施の形態１のＤＶＲ３０は、従来のＤＶＲ１０１に対して、録画予約可能期日応答生成処理（ステップＳ２０）の機能だけが追加された構成であればよい。
【００７１】
まず、ＤＴＶ１０において、ＤＶＲ３０に予約設定したい情報（録画予約情報）を入力し、決定する（ステップＳ１０）。すなわち、ユーザは、リモコン２３を操作して、ＤＴＶ１０が取得した番組情報をディスプレイ２２に表示させ、録画予約を希望する番組を選択し、録画モード等を決定する。決定された録画予約情報には、録画予約種類を示す情報が含まれる。この場合には、録画予約種類が番組予約であることを示す情報が含まれることになる。
【００７２】
このとき、ＤＴＶ１０で受け付けることができない設定内容をユーザが入力した場合には、予約登録結果表示処理（ステップＳ１２）によって、ディスプレイ２２に「その入力は受け付けられない」旨の表示がされる。例えば、時間指定予約で入力する際に、ＤＴＶで指定可能な期限（６０日後まで）を超えた時間帯（例えば、７０日後の時間帯）を指定するような入力をした場合に、ディスプレイ２２にその旨の表示がされる。
【００７３】
ＤＴＶ１０の制御部１１は、録画予約情報が決定された（ステップＳ１０）後、ＤＶＲ３０へ、番組予約に対する録画予約可能期日問い合わせ要求５０を送受信部１６によって送信させる。
【００７４】
ＤＶＲ３０は、ＤＴＶ１０からの番組予約に対する録画予約可能期日問い合わせ要求５０に対して、ＤＶＲ３０における番組予約に対する録画予約可能期日を含む応答５１を生成し、ＤＴＶ１０に対して送信する（ステップＳ２０）。図４（ａ）に示すように、ＤＶＲ３０の番組予約に対する録画予約可能期日は「８日先」なので、この場合には、「録画予約可能期日は８日先まで」という情報が応答５１に含まれて送信される。
【００７５】
ＤＴＶ１０の制御部１１は、送受信部１６によって録画予約可能期日問い合わせ要求５０に対する応答５１をＤＶＲ３０から受信し、制御部１１が、その応答５１の内容に基づき録画予約登録保留送信処理（ステップＳ１１）を行う。
【００７６】
なお、このときに録画予約可能期日の情報を含む応答５１を受信する送受信部１６が、本発明の期限情報受信部の一例にあたる。また、応答５１に含まれる番組予約に対する録画予約可能期日が、本発明の、録画予約設定の可能期限の一例にあたる。
【００７７】
次に、本実施の形態１のＤＴＶ１０の録画予約登録保留送信処理（ステップＳ１１）の処理内容について説明する。
【００７８】
図３に、ＤＴＶ１０の録画予約登録保留送信処理（ステップＳ１１）における処理フローを示す。
【００７９】
制御部１１は、まず、録画予約指定された番組が、指定された予約種別でＤＶＲ３０において録画予約設定可能か否かを、図２の録画予約可能期日問い合わせ要求５０に対する応答５１を基に判定する（ステップＳ３０）。この場合に指定された予約種別は番組予約なので、制御部１１は、番組予約でＤＶＲ３０において録画予約設定可能か否かを判定する。
【００８０】
ここで、ステップＳ３０における具体的な判定方法について説明しておく。
【００８１】
応答５１によって得られる情報は、図４（ａ）に示したようなＤＶＲ３０の録画予約可能期日を示す情報（本実施の形態１の場合には、番組予約に対する「８日先まで」という情報）であり、図１７に示した録画予約設定可能期限１０５に相当する情報である。
【００８２】
一方、ステップＳ１０においてユーザから指定された録画予約情報には、録画予約開始時間や録画時間の情報が含まれており、その録画予約情報によって録画処理を実行する期間（時間帯）を特定できる。この特定される時間帯は、図１７に示した録画予約要求期間Ａや録画予約要求期間Ｂに相当する期間である。
【００８３】
制御部１１は、ユーザに指定された録画予約情報によって特定される時間帯が、ＤＶＲ３０の録画予約種別に応じた録画予約可能期日より以前の期間か否かによって「ＤＶＲ３０において録画予約設定可能か否か」を判定する。
【００８４】
例えば、本実施の形態１において、ユーザから指定された録画予約情報によって特定される時間帯が３日後の場合には、ＤＶＲ３０の録画予約可能期日の「８日先」より以前の時間帯なので「録画予約設定可能」と判定される。一方、例えば、録画予約情報によって特定される時間帯が１０日後の場合には、ＤＶＲ３０の録画予約可能期日の「８日先」よりさらに先の時間帯なので「録画予約設定不可」と判定されることになる。
【００８５】
ここでは、図２のステップＳ１０において、ユーザが、３日後の時間帯の番組の予約を指定した場合と、１０日後の時間帯の番組の予約を指定した場合の２つの例について説明する。
【００８６】
まず、第１の例として、ユーザが３日後の時間帯の番組の予約を指定した場合には、制御部１１は、ステップＳ３０において、指定された番組予約の録画予約種別で予約設定可能であると判定し、指定された予約種別である番組予約に対応した録画予約登録要求５２を生成し（ステップＳ３１）、送受信部１６によってその生成した録画予約登録要求５２をＤＶＲ３０へ送信させる（ステップＳ３２）。
【００８７】
ＤＶＲ３０は、送受信部３６で録画予約登録要求５２を受信したときには、図１６に示した従来のＤＶＲ１０１のステップＳ１１０およびステップＳ１１１と同様の処理を行う。すなわち、ＤＶＲ３０の制御部３１は、録画予約登録要求５２を受信すると、受信した録画予約登録要求５２とＤＶＲ３０自身が保持している情報と自身の録画予約能力から録画予約可否判定を行い（ステップＳ２１）、録画予約が可能である場合には、録画予約の設定を行う（ステップＳ２２）と共に、録画予約設定が完了したことを示す応答５３を、送受信部３６からＤＴＶ１０に返送する。
【００８８】
そして、ＤＴＶ１０の制御部１１は、送受信部１６によってＤＶＲ３０からの応答５３を受信し（ステップＳ３３）、受信した応答５３に含まれる登録結果をディスプレイ２２に表示させてユーザに通知する（ステップＳ１２）。
【００８９】
次に、第２の例として、ユーザが１０日後の時間帯の番組の予約を指定した場合には、制御部１１は、ステップＳ３０において、指定された番組予約の録画予約種別で予約設定が不可であると判定し、入力された録画予約情報を記憶部１７に記録して保持しておき、ディスプレイ２２に「録画予約設定可能な期間になれば録画予約設定する」旨を表示してユーザに通知する。図６は、このときにユーザに通知するためにディスプレイ２２上に表示させる表示例を示している。
【００９０】
なお、このときに制御部１１の処理結果の情報を表示するディスプレイ２２が、本発明の表示部の一例にあたる。
【００９１】
その後、制御部１１は、ユーザにより指定された予約種別での、録画予約設定可能時期に到達したかの確認を行う（ステップＳ３５）。この場合には、番組予約で指定されているので、ユーザが予約指定した番組の放送時間帯が８日先までの時間帯になったか否かを判定する。
【００９２】
指定された予約種別での予約登録可能時期に到達した場合、つまり予約指定された番組の時間帯が８日先より以前の時間帯となった場合には、制御部１１は、記憶部１７に保持しておいた録画予約情報から録画予約登録要求５２を生成し（ステップＳ３１）、ＤＶＲ３０に対して送受信部１６から録画予約登録要求５２を送信させ（ステップＳ３２）、ＤＶＲ３０からの応答５３を送受信部１６によって受信する（ステップＳ３３）。
【００９３】
そして、制御部１１は、受信した応答５３に含まれる登録結果をディスプレイ２２に表示させてユーザに通知する（ステップＳ１２）。
【００９４】
従来の録画予約登録システムでは、録画装置の録画予約設定可能期限を超えているために録画予約登録装置からの録画予約設定ができない場合には、例えば、録画予約を諦め、録画予約したかった番組の放送時刻になったときに録画装置に対して録画開始動作を指示するなどして対応していたが、このように対応した場合には、その他の録画予約登録装置からの予約が録画装置に設定されたことにより、録画装置に録画予約設定することができなくなる、あるいは、その他の番組の録画を実行したために、録画装置の残容量が足りずに録画予約設定ができなくなる、等の問題が発生する恐れがあった。
【００９５】
これに対し、本実施の形態１の録画予約登録システムでは、選択された番組の放送日が録画装置の録画予約可能期限を超えている場合でも、録画予約情報を録画予約登録装置（ＤＴＶ１０）側で保持しておき、録画予約登録装置が録画装置（ＤＶＲ３０）の録画予約可能期限情報を取得し、取得したその録画予約可能期限情報を基に、録画予約可能期限になった時点で、直ちに録画予約設定を行うことで、他の予約が設定されることによる録画予約登録失敗や、他の予約が実行されたことによる録画装置の残量不足での録画予約登録失敗を防止することができる。
【００９６】
（実施の形態２）
本発明の実施の形態２の録画予約登録システムの構成は、実施の形態１の録画予約登録システムと同様の構成であり、そのブロック図は、図１に示す通りである。
【００９７】
本実施の形態２の録画予約登録システムは、実施の形態１の録画予約登録システムとは、録画予約登録装置（ＤＴＶ１０）の制御部１１の動作が異なるものである。
【００９８】
制御部１１は、実施の形態１では、ＤＶＲ３０に対してユーザが指定した録画予約種類で録画予約の設定ができない場合に、録画予約可能期日になるまで待ってユーザが指定した録画予約種類で録画予約の設定を行わせた。それに対し、本実施の形態２の制御部１１は、ＤＶＲ３０に対してユーザが指定した録画予約種類で録画予約の設定ができない場合に、他の録画予約種類で録画予約の設定ができるのであれば、他の録画予約種類で録画予約の設定を行わせるものであり、この点において実施の形態１と異なる。
【００９９】
本実施の形態２において、ＤＴＶ１０からケーブル２５を介してＤＶＲ３０の録画予約を設定する際の動作について説明する。
【０１００】
本実施の形態２においても、実施の形態１の場合と同様に、ＤＴＶ１０およびＤＶＲ３０で使用可能な録画予約種別には、時間指定予約と番組予約があり、録画予約登録要求に含まれるパラメータは図５に示す通りであり、ＤＴＶ１０およびＤＶＲ３０における録画予約種類毎の予約可能期日は、図４（ａ）および（ｂ）に示すものであるとする。
【０１０１】
また、本実施の形態２の録画予約登録システムにおいても、ユーザが番組予約によりＤＶＲ３０の録画予約を設定する場合について説明する。
【０１０２】
図７は、本実施の形態２の録画予約登録システムにおける、ＤＴＶ１０から、ＤＶＲ３０に録画予約設定する際の通信シーケンスを示している。図２と同じ符号で示す部分およびステップは、図２と同じ機能を有し、また同じ処理を行うものである。
【０１０３】
以下には、実施の形態１と異なる部分について説明する。
【０１０４】
まず、ＤＴＶ１０において、ＤＶＲ３０に予約設定したい情報（録画予約情報）を入力し、決定する（ステップＳ１０）。
【０１０５】
ＤＴＶ１０の制御部１１は、録画予約情報が決定された（ステップＳ１０）後、ＤＶＲ３０へ、予約種別毎の録画予約可能期日問い合わせ要求５４を送受信部１６によって送信させる。
【０１０６】
ＤＶＲ３０は、ＤＴＶ１０からの予約種別毎の録画予約可能期日問い合わせ要求５４に対して、ＤＶＲ３０が実行することのできる録画予約種別と録画予約種別毎の録画予約可能期日とを含む応答５５を生成し、ＤＴＶ１０に対して送信する（ステップＳ２３）。
【０１０７】
図４（ａ）に示すように、ＤＶＲ３０の時間指定予約に対する録画予約可能期日は「３０日先」であり、番組予約に対する録画予約可能期日は「８日先」なので、この場合には、「実行することのできる録画予約種別は、時間指定予約および番組予約」であり、「時間指定予約による録画予約可能期日は３０日先まで、番組予約による録画予約可能期日は８日先まで」という情報が応答５５に含まれて送信される。
【０１０８】
ＤＴＶ１０の制御部１１は、送受信部１６によって録画予約種別毎の録画予約可能期日問い合わせ要求５４に対する応答５５をＤＶＲ３０から受信し、制御部１１が、その応答５５の内容に基づき代替録画予約登録処理（ステップＳ１３）を行う。
【０１０９】
次に、本実施の形態２のＤＴＶ１０の代替録画予約登録処理（ステップＳ１３）の処理内容について説明する。
【０１１０】
図８に、ＤＴＶ１０の代替録画予約登録処理（ステップＳ１３）における処理フローを示す。
【０１１１】
制御部１１は、まず、録画予約指定された番組が、指定された予約種別でＤＶＲ３０において録画予約設定可能か否かを、図７の録画予約可能期日問い合わせ要求５４に対する応答５５を基に判定する（ステップＳ４０）。この場合に指定された予約種別は番組予約なので、制御部１１は、番組予約でＤＶＲ３０において録画予約設定可能か否かを判定する。
【０１１２】
ここでは、図７のステップＳ１０において、ユーザが、３日後の時間帯の番組の予約を指定した場合、１０日後の時間帯の番組の予約を指定した場合、および４５日後の時間帯の番組の予約を指定した場合の３つの例について説明する。
【０１１３】
まず、第１の例として、ユーザが３日後の時間帯の番組の予約を指定した場合には、番組予約の録画予約可能期日の「８日先」より以前の時間帯の指定なので、制御部１１は、ステップＳ４０において、指定された番組予約の録画予約種別で予約設定可能であると判定し、指定された予約種別である番組予約に対応した録画予約登録要求５６を生成し（ステップＳ４１）、送受信部１６によってその生成した録画予約登録要求５６をＤＶＲ３０へ送信させる（ステップＳ４２）。
【０１１４】
ＤＶＲ３０の制御部３１は、録画予約登録要求５６を受信すると、受信した録画予約登録要求５６とＤＶＲ３０自身が保持している情報と自身の録画予約能力から録画予約可否判定を行い（ステップＳ２１）、録画予約が可能である場合には、録画予約の設定を行う（ステップＳ２２）と共に、録画予約設定が完了したことを示す応答５７を、送受信部３６からＤＴＶ１０に返送する。
【０１１５】
そして、ＤＴＶ１０の制御部１１は、送受信部１６によってＤＶＲ３０からの応答５７を受信し（ステップＳ４３）、受信した応答５７に含まれる登録結果をディスプレイ２２に表示させてユーザに通知する（ステップＳ１４）。
【０１１６】
次に、第２の例として、ユーザが１０日後の時間帯の番組の予約を指定した場合には、番組予約の録画予約可能期日の「８日先」よりも先の時間帯の指定なので、制御部１１は、ステップＳ４０において、指定された番組予約の録画予約種別で予約設定が不可であると判定し、次に指定された番組が異なる予約種別でＤＶＲ３０において録画予約設定可能であるかの判定を行う（ステップＳ４４）。
【０１１７】
この場合には、指定された録画予約情報が番組予約によるものなので、ステップＳ４４では時間指定予約によってＤＶＲ３０において録画予約設定可能か否かの判定をする。ユーザが指定した録画予約は１０日後の時間帯であり、時間指定予約の録画予約可能期日の「３０日先」より以前の時間帯の指定なので、制御部１１は、ステップＳ４４において、時間指定予約の録画予約種別で予約設定可能であると判定する。
【０１１８】
ＤＴＶ１０の制御部１１は、ユーザが指定した予約種別とは異なる予約種別である時間指定予約による録画予約登録要求５６を生成する（ステップＳ４５）。
【０１１９】
その後の動作は、指定された予約種別である番組予約に対応した録画予約登録要求を生成した第１の例の場合と同様であり、制御部１１は、送受信部１６によってその生成した録画予約登録要求５６をＤＶＲ３０へ送信させ（ステップＳ４２）、送受信部１６によってＤＶＲ３０からの応答５７を受信し（ステップＳ４３）、受信した応答５７に含まれる登録結果をディスプレイ２２に表示させてユーザに通知する（ステップＳ１４）。
【０１２０】
このとき、応答５７に含まれる登録結果が「録画予約設定完了」であった場合、制御部１１は、ステップＳ１４において、「指定した予約種別とは異なる予約種別で録画予約設定した」旨をディスプレイ２２に表示してユーザに通知する。図９は、このときに制御部１１の処理結果をユーザに通知するためにディスプレイ２２上に表示させる表示例を示している。
【０１２１】
なお、このときに制御部１１の処理結果の情報を表示するディスプレイ２２が、本発明の表示部の一例にあたる。
【０１２２】
次に、第３の例として、ユーザが４５日後の時間帯の番組の予約を指定した場合には、番組予約の録画予約可能期日の「８日先」よりも先の時間帯の指定なので、制御部１１は、ステップＳ４０において、指定された番組予約の録画予約種別で予約設定が不可であると判定する。さらに、時間指定予約の録画予約可能期日の「３０日先」よりも先の時間帯の指定なので、制御部１１は、ステップＳ４４において、時間指定予約による予約種別でも予約設定が不可であると判定する。
【０１２３】
その結果、制御部１１は、録画予約登録要求を生成せずに、「録画予約設定不可」の旨をディスプレイ２２に表示して（ステップＳ１４）ユーザに通知して、予約登録処理を終了する。
【０１２４】
次に、本実施の形態２のＤＴＶ１０の代替録画予約登録処理（ステップＳ１３）の、別の処理例の処理内容について説明する。
【０１２５】
図１０に、ＤＴＶ１０の代替録画予約登録処理（ステップＳ１３）における別の処理例の処理フローを示す。図８と同じ処理部分は、同じ符号で表わしている。図８に示したフローに対して、ステップＳ４６の処理を追加した点が異なる。
【０１２６】
ここでは、図８の処理と異なる処理部分について説明する。
【０１２７】
制御部１１は、ステップＳ４０においてユーザが指定した録画予約種別で録画予約設定ができないと判断した場合には、ステップＳ４４においてユーザが指定した録画予約種別とは異なる録画予約種別による録画予約設定の可否を判断する前に、ユーザが指定した録画予約種別に対する予約設定可能期限に応じてステップＳ４４の判定処理を行うか否かを判断する（ステップＳ４６）。
【０１２８】
すなわち、ステップＳ４６において、制御部１１は、ユーザが指定した録画予約種別および異なる予約種別のそれぞれの予約設定可能期限を比較し、異なる予約種別の予約設定可能期限の方が長い場合に限りステップＳ４４の処理を行い、ユーザが指定した録画予約種別の予約設定可能期限の方が長い場合にはステップＳ４４の処理を行わないように判断処理する。
【０１２９】
例えば、図４（ａ）に示すように、時間指定予約の録画予約可能期日（３０日先）までの期間の方が番組予約の録画予約可能期日（８日先）までの期間よりも長い場合には、ユーザが番組予約で指定したときには、異なる予約種別（時間指定予約）による録画予約可能期日までの期間の方が長いので、次にステップＳ４４の処理を行うように判断処理される。一方、ユーザが時間指定予約で指定したときには、この場合には異なる予約種別（番組予約）による録画予約可能期日までの期間の方が短いので、ステップＳ４４の処理を行わずに代替録画予約登録処理（ステップＳ１３）を終了するように判断処理される。
【０１３０】
例えば、本実施の形態２において、ユーザが時間指定予約で４５日後の時間帯を指定する入力をした場合、ステップＳ４０において、「ユーザが指定した予約種別で録画予約設定できない」と判断される。このとき、図８のフローに示す処理では、この後に、ユーザが指定した予約種別と異なる予約種別である番組予約による録画予約設定の可否が判断される（ステップＳ４４）。一方、図１０のフローに示す処理では、ステップＳ４６において、「ステップＳ４４の処理を行わない」と判断され、ステップＳ４４の処理を行うことなく代替録画予約登録処理（ステップＳ１３）を終了する。
【０１３１】
ユーザが指定した予約種別の録画予約可能期限の方が長い場合には、異なる予約種別に代替して録画予約設定することは有り得ないため、この場合に、異なる予約種別による録画予約設定の可否を判断するのは無意味である。図１０のフローに示す処理は、この無意味なステップＳ４４の処理を行わないようにするものであり、図８のフローに示す処理よりも効率的に処理することができる。
【０１３２】
実施の形態１で説明したように、従来の録画予約登録システムでは、録画装置の録画予約設定可能期限を超えているために録画予約登録装置からの録画予約設定ができない場合には、その他の録画予約登録装置からの予約が録画装置に設定されたことにより録画装置に録画予約設定することができなくなったり、その他の番組の録画を実行したために録画装置の残容量が足りずに録画予約設定ができなくなる、等の問題が発生する恐れがあった。
【０１３３】
これに対し、本実施の形態２の録画予約登録システムでは、録画予約登録装置（ＤＴＶ１０）が録画装置（ＤＶＲ３０）の録画予約可能期限情報を取得し、取得したその録画予約可能期限情報を基に、録画予約登録時期、録画予約種別を選択することにより、選択された番組の放送日が録画装置の録画予約可能期限を超えている場合でも、録画予約設定を失敗することなく実行することが可能となる。また、これにより、録画装置においてユーザが選択した番組の録画に必要な記録領域を事前に確保できるので、他の予約が設定されることによる録画予約登録失敗や、他の予約が実行されたことによる録画装置の残量不足での録画予約登録失敗を防止することができる。
【０１３４】
（実施の形態３）
本発明の実施の形態３の録画予約登録システムの構成は、実施の形態１および２の録画予約登録システムと同様の構成であり、そのブロック図は、図１に示す通りである。
【０１３５】
本実施の形態３の録画予約登録システムは、実施の形態１および２の録画予約登録システムとは、録画予約登録装置（ＤＴＶ１０）の制御部１１の動作が異なるものである。
【０１３６】
本実施の形態３の制御部１１は、実施の形態１における、ＤＶＲ３０に対してユーザが指定した番組の録画予約の設定ができない場合に録画予約可能期日になるまで待って録画予約の設定を行わせる機能と、実施の形態２における、ユーザが指定した録画予約種類で録画予約の設定ができない場合に他の録画予約種類で代替して録画予約の設定を行わせる機能の、それぞれの効果を合わせ持つようにしたものである。
【０１３７】
本実施の形態３において、ＤＴＶ１０からケーブル２５を介してＤＶＲ３０の録画予約を設定する際の動作について説明する。
【０１３８】
本実施の形態３においても、実施の形態１の場合と同様に、ＤＴＶ１０およびＤＶＲ３０で使用可能な録画予約種別には、時間指定予約と番組予約があり、録画予約登録要求に含まれるパラメータは図５に示す通りであり、ＤＴＶ１０およびＤＶＲ３０における録画予約種類毎の予約可能期日は、図４（ａ）および（ｂ）に示すものであるとする。
【０１３９】
また、本実施の形態３の録画予約登録システムにおいても、ユーザが番組予約によりＤＶＲ３０の録画予約を設定する場合について説明する。
【０１４０】
図１１は、本実施の形態３の録画予約登録システムにおける、ＤＴＶ１０から、ＤＶＲ３０に録画予約設定する際の通信シーケンスを示している。図７と同じ符号で示す部分およびステップは、図７と同じ機能を有し、また同じ処理を行うものである。
【０１４１】
以下には、実施の形態２と異なる部分について説明する。
【０１４２】
ＤＴＶ１０において、ＤＶＲ３０に予約設定したい情報（録画予約情報）を入力し決定した（ステップＳ１０）後、ＤＴＶ１０の制御部１１が、送受信部１６によって録画予約種別毎の録画予約可能期日問い合わせ要求５４に対する応答５５をＤＶＲ３０から受信するまでの処理は、図７に示す実施の形態２の処理と同じなので、ここでは、制御部１１が応答５５を受信した以降の動作について説明する。
【０１４３】
ＤＴＶ１０の制御部１１は、ＤＶＲ３０から応答５５を受信すると、その応答５５の内容に基づき録画予約登録代替保留送信処理（ステップＳ１５）を行う。
【０１４４】
以下に、本実施の形態３のＤＴＶ１０の録画予約登録代替保留送信処理（ステップＳ１５）の処理内容について説明する。
【０１４５】
図１２に、ＤＴＶ１０の録画予約登録代替保留送信処理（ステップＳ１５）における処理フローを示す。
【０１４６】
制御部１１は、まず、録画予約指定された番組が、指定された予約種別でＤＶＲ３０において録画予約設定可能か否かを、図１１の録画予約可能期日問い合わせ要求５４に対する応答５５を基に判定する（ステップＳ５０）。この場合に指定された予約種別は番組予約なので、制御部１１は、番組予約でＤＶＲ３０において録画予約設定可能か否かを判定する。
【０１４７】
ここでは、図１１のステップＳ１０において、ユーザが、３日後の時間帯の番組の予約を指定した場合、１０日後の時間帯の番組の予約を指定した場合、および４５日後の時間帯の番組の予約を指定した場合の３つの例について説明する。
【０１４８】
まず、第１の例として、ユーザが３日後の時間帯の番組の予約を指定した場合には、番組予約の録画予約可能期日の「８日先」より以前の時間帯の指定なので、制御部１１は、ステップＳ５０において、指定された番組予約の録画予約種別で予約設定可能であると判定し、指定された予約種別である番組予約に対応した録画予約登録要求６１を生成し（ステップＳ５１）、送受信部１６によってその生成した録画予約登録要求６１をＤＶＲ３０へ送信させる（ステップＳ５２）。
【０１４９】
ＤＶＲ３０の制御部３１は、録画予約登録要求６１を受信すると、受信した録画予約登録要求６１とＤＶＲ３０自身が保持している情報と自身の録画予約能力から録画予約可否判定を行い（ステップＳ２１）、録画予約が可能である場合には、録画予約の設定を行う（ステップＳ２２）と共に、録画予約設定が完了したことを示す応答６２を、送受信部３６からＤＴＶ１０に返送する。
【０１５０】
そして、ＤＴＶ１０の制御部１１は、送受信部１６によってＤＶＲ３０からの応答６２を受信し（ステップＳ５３）、受信した応答６２に含まれる登録結果をディスプレイ２２に表示させてユーザに通知する（ステップＳ１６）。
【０１５１】
次に、第２の例として、ユーザが１０日後の時間帯の番組の予約を指定した場合には、番組予約の録画予約可能期日の「８日先」よりも先の時間帯の指定なので、制御部１１は、ステップＳ５０において、指定された番組予約の録画予約種別で予約設定が不可であると判定し、ユーザに指定された録画予約情報を記憶部１７に記録して保持しておき（ステップＳ５４）、指定された番組が異なる予約種別でＤＶＲ３０において録画予約設定可能であるかの判定を行う（ステップＳ５５）。
【０１５２】
この場合には、指定された録画予約情報が番組予約によるものなので、ステップＳ５５では時間指定予約によってＤＶＲ３０において録画予約設定可能か否かの判定をする。ユーザが指定した録画予約は１０日後の時間帯であり、時間指定予約の録画予約可能期日の「３０日先」より以前の時間帯の指定なので、制御部１１は、ステップＳ５５において、時間指定予約の録画予約種別で予約設定可能であると判定する。
【０１５３】
ＤＴＶ１０の制御部１１は、ユーザが指定した予約種別とは異なる予約種別である時間指定予約による録画予約登録要求５８を生成する（ステップＳ５６）。制御部１１は、送受信部１６によってその生成した録画予約登録要求５８をＤＶＲ３０へ送信させ（ステップＳ５７）、送受信部１６によってＤＶＲ３０からの応答５９を受信し（ステップＳ５８）、このときに制御部１１が処理した結果をディスプレイ２２に表示させてユーザに通知する。図１３（ａ）は、このときにユーザに通知するためにディスプレイ２２上に表示させる表示例を示している。
【０１５４】
なお、このときに制御部１１の処理結果の情報を表示するディスプレイ２２が、本発明の表示部の一例にあたる。
【０１５５】
その後、制御部１１は、ユーザにより指定された予約種別での、録画予約設定可能時期に到達したかの確認を行う（ステップＳ５９）。この場合には、ユーザから番組予約で指定されているので、予約指定された番組の放送時間帯が８日先より以前の時間帯になったか否かを判定する。
【０１５６】
指定された予約種別での予約登録可能時期に到達した場合、つまり予約指定された番組の時間帯が８日先より以前の時間帯となった場合には、ＤＴＶ１０の制御部１１は、ＤＶＲ３０に、先に予約設定処理をした異なる予約種別での録画予約が存在するかの確認を行う（ステップＳ６０）。ＤＶＲ３０における異なる予約種別での録画予約の設定の有無の確認は、ＤＶＲ３０に、録画予約情報取得要求を送信し、応答を受信することにより行う。
【０１５７】
ステップＳ６０において、先に予約設定処理をした、指定とは異なる予約種別での録画予約がＤＶＲ３０に設定されていた場合には、制御部１１は、録画予約削除要求６０を生成し、送受信部１６から送信させることで、ＤＶＲ３０における異なる予約種別による録画予約の削除を行う（ステップＳ６１）。
【０１５８】
そして、制御部１１は、記憶部１７に保持しておいた録画予約情報から、ユーザに指定された予約種別である番組予約による録画予約登録要求６１を生成し（ステップＳ５１）、ＤＶＲ３０に対して送受信部１６から録画予約登録要求６１を送信させ（ステップＳ５２）、ＤＶＲ３０からの応答６２を送受信部１６によって受信する（ステップＳ５３）。
【０１５９】
ステップＳ６０において、先に予約設定処理をした、指定とは異なる予約種別での録画予約がＤＶＲ３０に設定されていなかった場合には、制御部１１は、録画予約削除要求６０を送信せずに、ユーザに指定された番組予約による録画予約登録要求６１を生成してＤＶＲ３０へ送信する（ステップＳ５１、Ｓ５２）。
【０１６０】
なお、上記の説明では、ステップＳ６１において異なる予約種別での録画予約の設定に対する録画予約削除要求６０を送信する前に、ＤＶＲ３０における異なる予約種別での録画予約の設定の有無を確認する（ステップＳ６０）こととしたが、ＤＶＲ３０における異なる予約種別での録画予約の設定の有無の確認（ステップＳ６０の処理）を行わずに録画予約削除要求６０を送信するようにしてもよい。この場合、例えばリモコン４２によってＤＶＲ３０本体を直接操作するなどしてステップＳ５７で設定した異なる予約種別による録画予約の設定が削除されていたとしても、録画予約削除要求６０に対するＤＶＲ３０からの応答で「指定の録画予約が削除できなかった」という通知がされるだけであり、特に問題は無い。
【０１６１】
次に、第３の例として、ユーザが４５日後の時間帯の番組の予約を指定した場合には、番組予約の録画予約可能期日の「８日先」よりも先の時間帯の指定なので、制御部１１は、ステップＳ５０において、指定された番組予約の録画予約種別で予約設定が不可であると判定する。さらに、時間指定予約の録画予約可能期日の「３０日先」よりも先の時間帯の指定なので、制御部１１は、ステップＳ５５において、時間指定予約による予約種別でも予約設定が不可であると判定する。
【０１６２】
制御部１１は、ステップＳ５５において異なる予約種別（時間指定予約）でも予約設定が不可であると判定したときには、このときの制御部１１の処理結果をディスプレイ２２に表示させてユーザに通知する。図１３（ｂ）は、このときにユーザに通知するためにディスプレイ２２上に表示させる表示例を示している。
【０１６３】
制御部１１は、次に、指定された予約種別での録画予約設定可能時期、もしくは異なる予約種別での録画予約設定可能時期に到達したかの確認を行う（ステップＳ６２）。つまり、この場合には、制御部１１は、ユーザが指定した録画予約の時間帯が、時間指定予約および番組予約のうち、いずれか早く録画予約設定が可能になる方の時期を判断する。すなわち制御部１１は、ユーザが指定した予約録画の時間帯が、録画予約可能期限の長い方の録画予約可能期限内となったか否かを判断する。
【０１６４】
この場合には、番組予約による録画予約可能期日が「８日先」であるのに対し、時間指定予約による録画予約可能期日が「３０日先」なので、時間指定予約による予約設定可能時期に先に到達する。
【０１６５】
制御部１１は、ステップＳ６２において、ユーザが指定した予約録画の時間帯が、時間指定予約可能な３０日先までとなる時期に到達したと判断した場合、その後、第２の例で説明したステップＳ５６以降と同様の処理を行う。
【０１６６】
すなわち、制御部１１は、ユーザが指定した予約種別とは異なる予約種別である時間指定予約による録画予約登録要求５８を生成してＤＶＲ３０へ送信させ（ステップＳ５６、Ｓ５７）、その後、番組予約による録画予約設定可能時期に到達する（ステップＳ５９）と、先に予約設定処理をした時間指定予約による録画予約を削除し（ステップＳ６１）、ユーザに指定された予約種別である番組予約による録画予約登録要求６１を生成して送信させ（ステップＳ５１、Ｓ５２）、改めてＤＶＲ３０に対する予約設定をする。
【０１６７】
ステップＳ６２において、ユーザが指定した録画予約の時間帯が、ユーザが指定した予約種別による予約設定可能時期に先に到達した場合には、異なる予約種別による録画予約設定（ステップＳ５６、Ｓ５７）を行わず、ユーザが指定した予約種別により録画予約設定を行う（ステップＳ５１、Ｓ５２）。
【０１６８】
本実施の形態３では、時間指定予約よりも予約可能期限の短い番組予約によりユーザが録画予約の設定をしているので、ステップＳ６２では、異なる予約種別（時間指定予約）での予約設定可能時期に先に到達するが、例えば、ユーザが時間指定予約により録画予約の設定をした場合には、ユーザが指定した予約種別（時間指定予約）での予約設定可能時期に先に到達することになる。
【０１６９】
次に、本実施の形態３のＤＴＶ１０の録画予約登録代替保留送信処理（ステップＳ１５）の、別の処理例の処理内容について説明する。
【０１７０】
図１４に、ＤＴＶ１０の録画予約登録代替保留送信処理（ステップＳ１５）における別の処理例の処理フローを示す。図１２と同じ処理部分は、同じ符号で表わしている。
【０１７１】
図１２に示すフローに対して、ステップＳ７０およびステップＳ７１の処理を追加し、ステップＳ６２の処理をステップＳ７２の処理に置き換えた点が異なる。
【０１７２】
ここでは、図１２の処理と異なる処理部分について説明する。
【０１７３】
制御部１１は、ステップＳ５０において、ユーザが指定した録画予約種別で録画予約設定ができないと判断した場合に、ステップＳ５５においてユーザが指定した録画予約種別とは異なる録画予約種別による録画予約設定の可否を判断する前に、ユーザが指定した録画予約種別に対する予約可能設定期限に応じてステップＳ５５の判定処理を行うか否かを判断する（ステップＳ７０）。
【０１７４】
すなわち、ステップＳ７０において、制御部１１は、ユーザが指定した録画予約種別および異なる予約種別のそれぞれの予約設定可能期限を比較し、異なる予約種別の予約設定可能期限の方が長い場合に限りステップＳ５５の処理を行い、ユーザが指定した録画予約種別の予約設定可能期限の方が長い場合にはステップＳ５５の処理を行わないように判断処理する。
【０１７５】
例えば、図４（ａ）に示すように、時間指定予約の録画予約可能期日（３０日先）までの期間の方が番組予約の録画予約可能期日（８日先）までの期間よりも長い場合には、ユーザが番組予約で指定したときには、異なる予約種別（時間指定予約）による録画予約可能期日までの期間の方が長いので、次にステップＳ５５の処理を行うように判断処理される。一方、ユーザが時間指定予約で指定したときには、この場合には異なる予約種別（番組予約）による録画予約可能期日までの期間の方が短いので、ステップＳ５５の処理を行わないように判断される。
【０１７６】
制御部１１は、ステップＳ７０においてユーザが指定した録画予約種別による予約設定可能期限の方が長いと判断した場合には、次に、指定された予約種別での録画予約設定可能時期に到達したかの確認を行う（ステップＳ７１）。そして、制御部１１は、指定された予約種別での録画予約設定可能時期に到達すると、記憶部１７に保持しておいた録画予約情報から、ユーザに指定された予約種別である番組予約による録画予約登録要求６１を生成し（ステップＳ５１）、ＤＶＲ３０に対して送受信部１６から録画予約登録要求６１を送信させ（ステップＳ５２）、ＤＶＲ３０からの応答６２を送受信部１６によって受信する（ステップＳ５３）。
【０１７７】
例えば、本実施の形態３において、ユーザが時間指定予約で４５日後の時間帯を指定する入力をした場合、ステップＳ５０において、「ユーザが指定した予約種別で録画予約設定できない」と判断される。このとき、図１２のフローに示す処理では、この後に、ユーザが指定した予約種別と異なる予約種別である番組予約による録画予約設定の可否が判断される（ステップＳ５５）。一方、図１４のフローに示す処理では、ステップＳ７０において、「ステップＳ５５の処理を行わない」と判断され、次にステップＳ７１の処理を行う。
【０１７８】
ユーザが指定した予約種別の録画予約可能期限の方が長い場合には、異なる予約種別に代替して録画予約設定することは有り得ないため、この場合に、異なる予約種別による録画予約設定の可否を判断するのは無意味である。図１４のフローに示す処理は、この無意味なステップＳ５５〜ステップＳ６２の一連の処理を行わないようにするものであり、図１２のフローに示す処理よりも効率的に処理することができる。
【０１７９】
また、図１２のフローにおけるステップＳ６２では、ユーザが録画予約した時間帯が、ユーザが指定した録画予約種別および異なる予約種別のいずれかの予約設定可能時期に到達するのを確認していたのに対し、図１４のフローにおけるステップＳ７２では、ステップＳ７０の処理を追加したことにより、ユーザが指定した録画予約種別に対する予約設定時期に到達したかについては確認する必要が無いため、ユーザが指定した録画予約種別とは異なる予約種別に対する予約設定可能時期に到達したかのみを確認すればよい。
【０１８０】
本実施の形態３の録画予約登録システムは、実施の形態２の録画予約登録システムにおける、ユーザが選択した番組の録画に必要な領域を事前に確保しておくという効果が得られるとともに、ユーザが指定した録画予約種別で、すなわちユーザが希望した録画設定で予約録画が実行されるという効果も得られる。
【０１８１】
上記したように、各実施の形態の録画予約登録システムでは、異なる予約種別で録画予約設定を行ったことや、指定された録画予約種別での録画予約設定が不可であり録画予約設定を保留したことをディスプレイ２２上に表示することにより、ユーザが録画予約設定を行おうとした際に、録画装置に録画予約設定が直ちに行われなかった場合や、他の録画予約種別で録画予約設定が行なわれた場合でも、ユーザにその状況を通知することが可能である。これにより、ユーザが、録画装置側の録画予約登録状態を確認して、録画予約が未設定である、あるいは、録画予約種別が誤って設定されている等の、間違った判断を防止することが可能となる。
【０１８２】
なお、各実施の形態では、ユーザが録画予約登録操作を行った際の録画予約登録結果状況をディスプレイ２２に表示させることとしたが、ＤＴＶ１０に付属のリモコン２３を双方向通信可能なリモコンとし、本発明の表示部としてそのリモコン２３の液晶表示画面などにＤＴＶ１０の制御部１１の処理結果を表示させるようにしてもよい。
【０１８３】
なお、各実施の形態では、図２、図７および図１１に示したように、ＤＴＶ１０は、録画予約情報入力決定処理（ステップＳ１０）の際に、ＤＶＲ３０に対して録画予約可能期日を問い合わせることとして説明したが、これ以外のタイミングで、ＤＴＶ１０がＤＶＲ３０の録画予約可能期日を取得するようにしてもよい。
【０１８４】
例えば、ＤＶＲ３０との接続が確立したときや、ＤＴＶ１０の電源を入れたとき等に、１回だけ録画予約可能期日問い合わせ要求を送出してＤＶＲ３０の録画予約可能期日を取得しておき、その後は、録画予約可能期日問い合わせ要求を送出せずに、その取得した録画予約可能期日の情報を利用するようにしてもよい。
【０１８５】
また、ＤＶＲ３０の録画予約可能期日の情報を、ＤＶＲ３０から取得するのではなく、例えば、ユーザに、リモコン２３などを利用してＤＴＶ１０に入力させるようにしてもよい。この場合には、ＤＶＲ３０は、録画予約可能期日応答生成処理（ステップＳ２０またはＳ２３）を行う必要が無いので、各実施の形態の録画予約登録システムの録画装置として、従来の録画装置をそのまま利用することができる。
【０１８６】
なお、この場合の、リモコン２３から発光される赤外線を受信することによりユーザが入力設定する録画予約可能期日の情報を受け付ける赤外線受光部１９が、本発明の期限情報入力部の一例にあたる。
【０１８７】
また、各実施の形態では、図４（ａ）に示すように、時間指定予約による予約可能期日までの期間の方が、番組予約による予約可能期日までの期間よりも長い場合を一例として説明したが、番組予約による予約可能期日までの期間の方が、時間指定予約による予約可能期日までの期間よりも長い場合についても、本発明を適用できる。
【０１８８】
その場合には、時間指定予約による予約可能期日よりも先の録画予約時間帯が指定された場合、予約種別を番組予約に置き換えて代替予約することになる。このとき、時間指定予約による録画予約情報から番組予約による録画予約登録要求を生成する際に、録画予約開始時間および予約録画時間を同一とした番組識別子を持つ録画予約登録要求を生成できない場合がある。その場合には、指定された時間指定予約による録画予約情報で特定される録画時間帯を全て含むような、同じチャンネルで時間的に連続する複数の番組に対応した番組識別子を持つ録画予約登録要求を生成する。このようにして、時間的に連続した複数の録画予約登録要求を生成することにより、指定された時間指定予約による録画予約情報に対しての録画実行に必要な時間帯を確保しておくことができる。
【０１８９】
また、各実施の形態では、録画装置の録画予約設定の可能期限として、図４（ａ）に示すように、ＤＶＲ３０がＤＴＶ１０からの録画予約可能期日問い合わせ要求を受信した時点からの相対的な時間で決まる期限としたが、例えば「○月○日まで」というように絶対時間で決まる期限としてもよい。
【０１９０】
また、各実施の形態において、指定された予約種別での予約登録可能時期、もしくは異なる予約種別での録画予約設定可能時期に到達したかの確認を行うこととしたが、これらの可能時期というのは、期間を示すものであり、その瞬間を示すものではない。予約登録可能時期、もしくは異なる予約種別での録画予約設定可能時期に到達した時点で、録画装置の電源が落とされていた場合や、録画装置を操作中で、録画予約登録装置からの要求を受け付けられない状態にある場合には、所定の時間をおいて再度要求を送るようにするのが望ましい。このような場合でも、録画装置においてユーザが選択した番組の録画に必要な記録領域をより早い段階で確保するために、早い段階で所定の時間毎に要求を送るようにするのが望ましい。
【０１９１】
また、各実施の形態では、ＤＴＶ１０、ＤＶＲ３０それぞれが、放送受信手段としてのチューナ１４を保持した構成としているが、この構成に限られるものではない。
【０１９２】
図１５は、録画要求および番組データを送信するＤＴＶ１０を備えた録画予約登録システムにおける、ＤＴＶ１０からＤＶＲ３０に録画予約設定および録画要求する際の通信シーケンスを示している。
【０１９３】
図１５に示すような、ＤＴＶ１０から、ＤＶＲ３０に対して録画予約登録要求６３だけでなく、録画要求６５や、録画すべき番組データ６７を送信するような構成においても本発明は適用できる。この場合には、ＤＶＲ３０はチューナ１４を保持することなく、番組録画を実現することが可能である。
【０１９４】
この場合、ＤＴＶ１０は、ＤＶＲ３０への録画予約登録６３が完了した後にもユーザが指定した録画予約情報を保持しておく。この録画予約情報に基づき、録画開始時間が近づいた時点で、ＤＴＶ１０は、ＤＶＲ３０に対して録画要求６５を送信し、録画開始時間に相当する時点からの番組データ６７を送信する。ＤＴＶ１０は、録画予約期間に相当する時間、番組データ６７の送信を継続し、録画予約期間終了時に番組データ６７の送信を終了する。
【０１９５】
一方、ＤＶＲ３０は、予め登録された録画予約情報に基づき、ＤＴＶ１０から送信される番組データ６７を受信し、記録する。ＤＶＲ３０は、ＤＴＶ１０から送信された番組データ６７を全て記録する、あるいは時間指定で予約されている場合には、受信したデータのうち、録画予約開始時間から録画予約期間に相当する時間分の番組データを記録する、あるいは番組予約が指定されている場合には、受信した番組データのうち、録画予約登録時に指定された番組識別子を持つ番組データのみを記録する等の動作を行うこととなる。
【０１９６】
またこの場合、ＤＴＶ１０は、録画時に番組の先頭切れや、終端切れを防止するために、録画開始時間の少し前から録画終了時間の少し後までの期間の番組データをＤＶＲ３０に送信するようにしても良い。
【０１９７】
また、各実施の形態において、ＤＶＲ３０に録画予約設定ができなかった場合に、録画予約情報を保持しておく処理や異なる予約種別に置き換えて予約設定する処理をＤＴＶ１０側で行うこととしたが、各実施の形態で説明したＤＴＶ１０側におけるこれらの処理をＤＶＲ３０側で行わせるようにしても、同様の効果を得ることができる。
【０１９８】
ＤＶＲ３０側でこれらの処理を行わせる場合、例えば、ＤＴＶ１０から送信されてきた録画予約登録情報が、ＤＶＲ３０の録画予約可能期日を超えている場合であってもその要求を拒絶せずに取得し、録画予約可能期日が来るまで保持しておいて録画予約設定可能時期に到達した時点でＤＶＲ３０自身の録画予約設定を行うようにすればよい。また、異なる予約種別に置き換えることで予約設定可能になる場合には、ＤＴＶ１０から受信した録画予約登録情報を基に、ＤＶＲ３０自身で異なる録画予約種別で予約設定するように処理すればよい。
【０１９９】
このようにＤＶＲ３０側でこれらの処理を行わせる場合には、各実施の形態の録画予約登録システムの録画予約登録装置として、従来の録画予約登録装置をそのまま利用することができる。
【０２００】
なお、本発明のプログラムは、上述した録画予約登録方法の、入力された前記録画予約情報によって特定される時間帯と、前記録画装置の録画予約設定の可能期限とを比較し、前記録画装置において録画予約設定できるときには、前記録画予約情報から前記録画予約登録要求を生成し、前記録画装置において録画予約設定できないときには、前記録画装置において録画予約設定が可能になるまで前記録画予約情報を保持しておき、前記録画装置において録画予約設定が可能になったときに、保持しておいた前記録画予約情報から前記録画予約登録要求を生成する前記制御ステップの動作をコンピュータにより実行させるためのプログラムであって、コンピュータと協働して動作するプログラムである。
【０２０１】
また、本発明の記録媒体は、上述した録画予約登録方法の、入力された前記録画予約情報によって特定される時間帯と、前記録画装置の録画予約設定の可能期限とを比較し、前記録画装置において録画予約設定できるときには、前記録画予約情報から前記録画予約登録要求を生成し、前記録画装置において録画予約設定できないときには、前記録画装置において録画予約設定が可能になるまで前記録画予約情報を保持しておき、前記録画装置において録画予約設定が可能になったときに、保持しておいた前記録画予約情報から前記録画予約登録要求を生成する前記制御ステップの動作をコンピュータにより実行させるためのプログラムを記録した記録媒体であり、コンピュータにより読み取り可能かつ、読み取られた前記プログラムが前記コンピュータと協働して利用される記録媒体である。
【０２０２】
また、本発明のプログラムは、上述した録画予約登録方法の、入力された前記録画予約情報によって特定される時間帯と、前記録画装置の２つの前記録画予約設定の可能期限のうち前記録画予約情報の録画予約種類に対応する可能期限とを比較し、前記録画装置において録画予約設定できるときには、前記録画予約情報の録画予約種類に対応した録画予約登録要求を生成し、前記録画装置において録画予約設定できないときには、さらに、入力された前記録画予約情報によって特定される時間帯と、前記録画装置の２つの前記録画予約設定の可能期限のうち前記録画予約情報の録画予約種類とは異なる録画予約種類に対応する可能期限とを比較し、前記録画装置において前記異なる録画予約種類によって録画予約設定できるときには、入力された前記録画予約情報から前記異なる録画予約種類に対応した録画予約登録要求を生成する前記制御ステップの動作をコンピュータにより実行させるためのプログラムであって、コンピュータと協働して動作するプログラムである。
【０２０３】
また、本発明の記録媒体は、上述した録画予約登録方法の、入力された前記録画予約情報によって特定される時間帯と、前記録画装置の２つの前記録画予約設定の可能期限のうち前記録画予約情報の録画予約種類に対応する可能期限とを比較し、前記録画装置において録画予約設定できるときには、前記録画予約情報の録画予約種類に対応した録画予約登録要求を生成し、前記録画装置において録画予約設定できないときには、さらに、入力された前記録画予約情報によって特定される時間帯と、前記録画装置の２つの前記録画予約設定の可能期限のうち前記録画予約情報の録画予約種類とは異なる録画予約種類に対応する可能期限とを比較し、前記録画装置において前記異なる録画予約種類によって録画予約設定できるときには、入力された前記録画予約情報から前記異なる録画予約種類に対応した録画予約登録要求を生成する前記制御ステップの動作をコンピュータにより実行させるためのプログラムを記録した記録媒体であり、コンピュータにより読み取り可能かつ、読み取られた前記プログラムが前記コンピュータと協働して利用される記録媒体である。
【０２０４】
また、本発明のプログラムは、上述した録画予約登録方法の、入力された前記録画予約情報によって特定される時間帯と、前記録画装置の２つの前記録画予約設定の可能期限のうち前記録画予約情報の録画予約種類に対応する可能期限とを比較し、前記録画装置において録画予約設定できるときには、前記録画予約情報の録画予約種類に対応した録画予約登録要求を生成し、前記録画装置において録画予約設定できないときで、かつ前記録画予約情報の録画予約種類とは異なる録画予約種類に対応する可能期限の方が前記録画予約情報の録画予約種類の可能期限よりも長い場合には、さらに、入力された前記録画予約情報によって特定される時間帯と、前記異なる録画予約種類に対応する可能期限とを比較し、前記録画装置において前記異なる録画予約種類によって録画予約設定できるときには、入力された前記録画予約情報から前記異なる録画予約種類に対応した録画予約登録要求を生成する前記制御ステップの動作をコンピュータにより実行させるためのプログラムであって、コンピュータと協働して動作するプログラムである。
【０２０５】
また、本発明の記録媒体は、上述した録画予約登録方法の、入力された前記録画予約情報によって特定される時間帯と、前記録画装置の２つの前記録画予約設定の可能期限のうち前記録画予約情報の録画予約種類に対応する可能期限とを比較し、前記録画装置において録画予約設定できるときには、前記録画予約情報の録画予約種類に対応した録画予約登録要求を生成し、前記録画装置において録画予約設定できないときで、かつ前記録画予約情報の録画予約種類とは異なる録画予約種類に対応する可能期限の方が前記録画予約情報の録画予約種類の可能期限よりも長い場合には、さらに、入力された前記録画予約情報によって特定される時間帯と、前記異なる録画予約種類に対応する可能期限とを比較し、前記録画装置において前記異なる録画予約種類によって録画予約設定できるときには、入力された前記録画予約情報から前記異なる録画予約種類に対応した録画予約登録要求を生成する前記制御ステップの動作をコンピュータにより実行させるためのプログラムを記録した記録媒体であり、コンピュータにより読み取り可能かつ、読み取られた前記プログラムが前記コンピュータと協働して利用される記録媒体である。
【０２０６】
また、本発明の上記「前記制御ステップの動作」とは、前記制御ステップの全部または一部の動作を意味する。
【０２０７】
また、本発明のプログラムの一利用形態は、コンピュータにより読み取り可能な、ＲＯＭ等の記録媒体に記録され、コンピュータと協働して動作する態様であっても良い。
【０２０８】
また、本発明のプログラムの一利用形態は、インターネット等の伝送媒体、光・電波等の伝送媒体中を伝送し、コンピュータにより読みとられ、コンピュータと協働して動作する態様であっても良い。
【０２０９】
また、上述した本発明のコンピュータは、ＣＰＵ等の純然たるハードウェアに限らず、ファームウェアや、ＯＳ、更に周辺機器を含むものであっても良い。
【０２１０】
なお、以上説明した様に、本発明の構成は、ソフトウェア的に実現しても良いし、ハードウェア的に実現しても良い。
【産業上の利用可能性】
【０２１１】
本発明に係る録画予約登録システム、録画予約登録装置および録画予約登録方法等は、録画装置の録画予約設定可能期限を超える録画予約を可能にする効果を有し、ネットワークを介して接続された録画装置に対して、選択された番組の番組情報を利用して録画予約登録要求を行う録画予約登録装置と、録画予約登録装置からのその録画予約登録要求に応じて録画予約設定を行いその録画予約を実行する録画装置とから構成される録画予約登録システム、録画予約登録装置、および録画予約登録方法等として有用である。
【符号の説明】
【０２１２】
１０  ＤＴＶ
１１  制御部
１２  受信バッファ
１３  アンテナ
１４  チューナ
１５  デコーダ
１６  送受信部
１７  記憶部
１８  不揮発メモリ
１９  赤外線受光部
２０  映像表示部
２１  スピーカ
２２  ディスプレイ
２３  リモコン
２５  ケーブル
３０  ＤＶＲ
３１  制御部
３２  バッファ
３３  アンテナ
３４  チューナ
３５  デコーダ
３６  送受信部
３７  記憶部
３８  不揮発メモリ
３９  赤外線受光部
４０  記録再生部
４１  記録媒体
４２  リモコン
５０  録画予約可能期日問い合わせ要求
５１  応答
５２  録画予約登録要求
５３  応答
５４  録画予約可能期日問い合わせ要求
５５  応答
５６  録画予約登録要求
５７  応答
５８  録画予約登録要求
５９  応答
６０  録画予約削除要求
６１  録画予約登録要求
６２  応答
６３  録画予約登録要求
６４  応答
６５  録画要求
６６  応答
６７  番組データ
【手続補正２】
【補正対象書類名】特許請求の範囲
【補正対象項目名】全文
【補正方法】変更
【補正の内容】
【特許請求の範囲】
【請求項１】
放送される番組の録画予約登録要求を送信する録画予約登録装置と、
前記録画予約登録要求を受信し、その録画予約登録要求に対応して録画予約を設定する、録画可能な録画装置とを備えた録画予約登録システムであって、
前記録画予約登録装置は、
前記録画装置に録画予約する番組の録画予約情報を入力する予約情報入力部と、
入力された前記録画予約情報によって特定される時間帯と、前記録画装置の録画予約設定の可能期限とを比較し、前記録画装置において録画予約設定できるときには、前記録画予約情報から前記録画予約登録要求を生成し、前記録画装置において録画予約設定できないときには、前記録画装置において録画予約設定が可能になるまで前記録画予約情報を保持しておき、前記録画装置において録画予約設定が可能になったときに、保持しておいた前記録画予約情報から前記録画予約登録要求を生成する制御部と、
前記制御部で生成された前記録画予約登録要求を前記録画装置に送信する予約情報送信部とを有する、録画予約登録システム。
【請求項２】
放送される番組の録画予約登録要求を受信してその録画予約登録要求に対応して録画予約を設定し、録画可能な録画装置に、前記録画予約登録要求を送信する録画予約登録装置であって、
前記録画装置に録画予約する番組の録画予約情報を入力する予約情報入力部と、
入力された前記録画予約情報によって特定される時間帯と、前記録画装置の録画予約設定の可能期限とを比較し、前記録画装置において録画予約設定できるときには、前記録画予約情報から前記録画予約登録要求を生成し、前記録画装置において録画予約設定できないときには、前記録画装置において録画予約設定が可能になるまで前記録画予約情報を保持しておき、前記録画装置において録画予約設定が可能になったときに、保持しておいた前記録画予約情報から前記録画予約登録要求を生成する制御部と、
前記制御部で生成された前記録画予約登録要求を前記録画装置に送信する予約情報送信部とを備えた、録画予約登録装置。
【請求項３】
放送される番組の録画予約登録要求を送信する録画予約登録装置と、
前記録画予約登録要求を受信し、その録画予約登録要求に対応して録画予約を設定する、録画可能な録画装置とを備えた録画予約登録システムであって、
前記録画予約の種類が２つあり、それらの録画予約設定の可能期限は互いに異なっており、
前記録画予約登録装置は、
前記録画装置に録画予約する番組の、録画予約種類の情報を含む録画予約情報を入力する予約情報入力部と、
入力された前記録画予約情報によって特定される時間帯と、前記録画装置の２つの前記録画予約設定の可能期限のうち前記録画予約情報の録画予約種類に対応する可能期限とを比較し、前記録画装置において録画予約設定できるときには、前記録画予約情報の録画予約種類に対応した録画予約登録要求を生成し、前記録画装置において録画予約設定できないときには、さらに、入力された前記録画予約情報によって特定される時間帯と、前記録画装置の２つの前記録画予約設定の可能期限のうち前記録画予約情報の録画予約種類とは異なる録画予約種類に対応する可能期限とを比較し、前記録画装置において前記異なる録画予約種類によって録画予約設定できるときには、入力された前記録画予約情報から前記異なる録画予約種類に対応した録画予約登録要求を生成する制御部と、
前記制御部で生成された前記録画予約登録要求を前記録画装置に送信する予約情報送信部とを有する、録画予約登録システム。
【請求項４】
放送される番組の録画予約登録要求を受信してその録画予約登録要求に対応して録画予約を設定し、録画可能な録画装置に、前記録画予約登録要求を送信する録画予約登録装置であって、
前記録画予約の種類が２つあり、それらの録画予約設定の可能期限は互いに異なっており、
前記録画装置に録画予約する番組の、録画予約種類の情報を含む録画予約情報を入力する予約情報入力部と、
入力された前記録画予約情報によって特定される時間帯と、前記録画装置の２つの前記録画予約設定の可能期限のうち前記録画予約情報の録画予約種類に対応する可能期限とを比較し、前記録画装置において録画予約設定できるときには、前記録画予約情報の録画予約種類に対応した録画予約登録要求を生成し、前記録画装置において録画予約設定できないときには、さらに、入力された前記録画予約情報によって特定される時間帯と、前記録画装置の２つの前記録画予約設定の可能期限のうち前記録画予約情報の録画予約種類とは異なる録画予約種類に対応する可能期限とを比較し、前記録画装置において前記異なる録画予約種類によって録画予約設定できるときには、入力された前記録画予約情報から前記異なる録画予約種類に対応した録画予約登録要求を生成する制御部と、
前記制御部で生成された前記録画予約登録要求を前記録画装置に送信する予約情報送信部とを備えた、録画予約登録装置。
【請求項５】
前記制御部は、前記録画装置において前記異なる録画予約種類によっても録画予約設定できないときには、前記録画装置において可能期限が長い方の録画予約種類によって録画予約設定が可能になるまで入力された前記録画予約情報を保持しておきその録画予約設定が可能になったときに、保持しておいた前記録画予約情報から前記可能期限が長い方の録画予約種類に対応した録画予約登録要求を生成する、請求項４に記載の録画予約登録装置。
【請求項６】
前記制御部は、前記可能期限が長い方の録画予約種類が、入力された前記録画予約情報の録画予約種類ではない場合には、前記可能期限が長い方の録画予約種類に対応した録画予約登録要求を生成した後、前記可能期限が短い方の録画予約種類によって録画予約設定が可能になったときに、入力された前記録画予約情報の録画予約種類に対応した録画予約登録要求と、前記可能期限が長い方の録画予約種類の録画予約登録要求によって設定された録画予約の取り消し指令とを生成し、
前記予約情報送信部は、前記制御部で生成された前記録画予約の取り消し指令と、入力された前記録画予約情報の録画予約種類に対応した録画予約登録要求とを前記録画装置に送信する、請求項５に記載の録画予約登録装置。
【請求項７】
放送される番組の録画予約登録要求を送信する録画予約登録装置と、
前記録画予約登録要求を受信し、その録画予約登録要求に対応して録画予約を設定する、録画可能な録画装置とを備えた録画予約登録システムであって、
前記録画予約の種類が２つあり、それらの録画予約設定の可能期限は互いに異なっており、
前記録画予約登録装置は、
前記録画装置に録画予約する番組の、録画予約種類の情報を含む録画予約情報を入力する予約情報入力部と、
入力された前記録画予約情報によって特定される時間帯と、前記録画装置の２つの前記録画予約設定の可能期限のうち前記録画予約情報の録画予約種類に対応する可能期限とを比較し、前記録画装置において録画予約設定できるときには、前記録画予約情報の録画予約種類に対応した録画予約登録要求を生成し、前記録画装置において録画予約設定できないときで、かつ前記録画予約情報の録画予約種類とは異なる録画予約種類に対応する可能期限の方が前記録画予約情報の録画予約種類の可能期限よりも長い場合には、さらに、入力された前記録画予約情報によって特定される時間帯と、前記異なる録画予約種類に対応する可能期限とを比較し、前記録画装置において前記異なる録画予約種類によって録画予約設定できるときには、入力された前記録画予約情報から前記異なる録画予約種類に対応した録画予約登録要求を生成する制御部と、
前記制御部で生成された前記録画予約登録要求を前記録画装置に送信する予約情報送信部とを有する、録画予約登録システム。
【請求項８】
放送される番組の録画予約登録要求を受信してその録画予約登録要求に対応して録画予約を設定し、録画可能な録画装置に、前記録画予約登録要求を送信する録画予約登録装置であって、
前記録画予約の種類が２つあり、それらの録画予約設定の可能期限は互いに異なっており、
前記録画装置に録画予約する番組の、録画予約種類の情報を含む録画予約情報を入力する予約情報入力部と、
入力された前記録画予約情報によって特定される時間帯と、前記録画装置の２つの前記録画予約設定の可能期限のうち前記録画予約情報の録画予約種類に対応する可能期限とを比較し、前記録画装置において録画予約設定できるときには、前記録画予約情報の録画予約種類に対応した録画予約登録要求を生成し、前記録画装置において録画予約設定できないときで、かつ前記録画予約情報の録画予約種類とは異なる録画予約種類に対応する可能期限の方が前記録画予約情報の録画予約種類の可能期限よりも長い場合には、さらに、入力された前記録画予約情報によって特定される時間帯と、前記異なる録画予約種類に対応する可能期限とを比較し、前記録画装置において前記異なる録画予約種類によって録画予約設定できるときには、入力された前記録画予約情報から前記異なる録画予約種類に対応した録画予約登録要求を生成する制御部と、
前記制御部で生成された前記録画予約登録要求を前記録画装置に送信する予約情報送信部とを備えた、録画予約登録装置。
【請求項９】
前記制御部は、前記録画装置において前記異なる録画予約種類によっても録画予約設定できないときには、前記録画装置において入力された前記録画予約情報の録画予約種類によって録画予約設定が可能になるまで入力された前記録画予約情報を保持しておきその録画予約設定が可能になったときに、保持しておいた前記録画予約情報の録画予約種類に対応した録画予約登録要求を生成する、請求項４または８に記載の録画予約登録装置。
【請求項１０】
前記２つの録画予約の種類とは、絶対時間による時間帯で設定される時間指定予約と、番組情報に含まれる番組識別子に基づいて設定される番組予約であり、
前記制御部は、前記時間指定予約で入力された前記録画予約情報から前記番組予約に対応した録画予約登録要求を生成するときには、入力された前記録画予約情報で特定される時間帯を含むような、一または連続した複数の番組に対応する前記録画予約登録要求を生成する、請求項４または８に記載の録画予約登録装置。
【請求項１１】
前記制御部は、前記録画装置において入力された前記録画予約情報の録画予約種類によって録画予約設定できないときで、かつ前記録画予約情報の録画予約種類とは異なる録画予約種類に対応する可能期限の方が前記録画予約情報の録画予約種類の可能期限よりも短い場合には、前記録画装置において入力された前記録画予約情報の録画予約種類によって録画予約設定が可能になるまで入力された前記録画予約情報を保持しておきその録画予約設定が可能になったときに、保持しておいた前記録画予約情報の録画予約種類に対応した録画予約登録要求を生成する、請求項８に記載の録画予約登録装置。
【請求項１２】
前記制御部は、前記録画装置において前記異なる録画予約種類によっても録画予約設定できないときには、前記録画装置において前記異なる録画予約種類によって録画予約設定が可能になるまで入力された前記録画予約情報を保持しておきその録画予約設定が可能になったときに、保持しておいた前記録画予約情報から前記異なる録画予約種類に対応した録画予約登録要求を生成する、請求項８に記載の録画予約登録装置。
【請求項１３】
前記制御部は、前記異なる録画予約種類に対応した録画予約登録要求を生成した後、入力された前記録画予約情報の録画予約種類によって録画予約設定が可能になったときに、入力された前記録画予約情報の録画予約種類に対応した録画予約登録要求と、前記異なる録画予約種類の録画予約登録要求によって設定された録画予約の取り消し指令とを生成し、
前記予約情報送信部は、前記制御部で生成された前記録画予約の取り消し指令と、入力された前記録画予約情報の録画予約種類に対応した録画予約登録要求とを前記録画装置に送信する、請求項１２に記載の録画予約登録装置。
【請求項１４】
前記録画予約情報によって特定される時間帯とは、絶対時間で決められた時間帯、または、番組情報に含まれる番組識別子で決まる時間帯であり、
前記録画予約設定の可能期限とは、絶対時間で決まる期限、または、前記録画装置が前記録画予約登録要求を受信するときからの相対時間で決まる期限として定められている、請求項２、４および８のいずれかに記載の録画予約登録装置。
【請求項１５】
ユーザが前記録画装置の録画予約設定の可能期限を入力する期限情報入力部を備えた、請求項２、４および８のいずれかに記載の録画予約登録装置。
【請求項１６】
前記録画予約設定の可能期限の情報を前記録画装置から取得する期限情報受信部を備えた、請求項２、４および８のいずれかに記載の録画予約登録装置。
【請求項１７】
前記期限情報受信部は、前記録画予約設定の可能期限の情報を、入力された前記録画予約情報によって特定される時間帯を比較する毎に前記録画装置から取得する、または、予め前記録画装置から取得しておく、請求項１６に記載の録画予約登録装置。
【請求項１８】
前記制御部による処理結果を表示する表示部を備えた、請求項２、４および８のいずれかに記載の録画予約登録装置。
【請求項１９】
放送される番組の録画予約登録要求を受信してその録画予約登録要求に対応して録画予約を設定する録画可能な録画装置に、前記録画予約登録要求を送信する録画予約登録装置の録画予約登録方法であって、
前記録画装置に録画予約する番組の録画予約情報を入力する予約情報入力ステップと、
入力された前記録画予約情報によって特定される時間帯と、前記録画装置の録画予約設定の可能期限とを比較し、前記録画装置において録画予約設定できるときには、前記録画予約情報から前記録画予約登録要求を生成し、前記録画装置において録画予約設定できないときには、前記録画装置において録画予約設定が可能になるまで前記録画予約情報を保持しておき、前記録画装置において録画予約設定が可能になったときに、保持しておいた前記録画予約情報から前記録画予約登録要求を生成する制御ステップと、
前記制御ステップで生成された前記録画予約登録要求を前記録画装置に送信する予約情報送信ステップとを備えた、録画予約登録方法。
【請求項２０】
放送される番組の録画予約登録要求を受信してその録画予約登録要求に対応して録画予約を設定する録画可能な録画装置に、前記録画予約登録要求を送信する録画予約登録装置の録画予約登録方法であって、
前記録画予約の種類が２つあり、それらの録画予約設定の可能期限は互いに異なっており、
前記録画装置に録画予約する番組の、録画予約種類の情報を含む録画予約情報を入力する予約情報入力ステップと、
入力された前記録画予約情報によって特定される時間帯と、前記録画装置の２つの前記録画予約設定の可能期限のうち前記録画予約情報の録画予約種類に対応する可能期限とを比較し、前記録画装置において録画予約設定できるときには、前記録画予約情報の録画予約種類に対応した録画予約登録要求を生成し、前記録画装置において録画予約設定できないときには、さらに、入力された前記録画予約情報によって特定される時間帯と、前記録画装置の２つの前記録画予約設定の可能期限のうち前記録画予約情報の録画予約種類とは異なる録画予約種類に対応する可能期限とを比較し、前記録画装置において前記異なる録画予約種類によって録画予約設定できるときには、入力された前記録画予約情報から前記異なる録画予約種類に対応した録画予約登録要求を生成する制御ステップと、
前記制御ステップで生成された前記録画予約登録要求を前記録画装置に送信する予約情報送信ステップとを備えた、録画予約登録方法。
【請求項２１】
放送される番組の録画予約登録要求を受信してその録画予約登録要求に対応して録画予約を設定する録画可能な録画装置に、前記録画予約登録要求を送信する録画予約登録装置の録画予約登録方法であって、
前記録画予約の種類が２つあり、それらの録画予約設定の可能期限は互いに異なっており、
前記録画装置に録画予約する番組の、録画予約種類の情報を含む録画予約情報を入力する予約情報入力ステップと、
入力された前記録画予約情報によって特定される時間帯と、前記録画装置の２つの前記録画予約設定の可能期限のうち前記録画予約情報の録画予約種類に対応する可能期限とを比較し、前記録画装置において録画予約設定できるときには、前記録画予約情報の録画予約種類に対応した録画予約登録要求を生成し、前記録画装置において録画予約設定できないときで、かつ前記録画予約情報の録画予約種類とは異なる録画予約種類に対応する可能期限の方が前記録画予約情報の録画予約種類の可能期限よりも長い場合には、さらに、入力された前記録画予約情報によって特定される時間帯と、前記異なる録画予約種類に対応する可能期限とを比較し、前記録画装置において前記異なる録画予約種類によって録画予約設定できるときには、入力された前記録画予約情報から前記異なる録画予約種類に対応した録画予約登録要求を生成する制御ステップと、
前記制御ステップで生成された前記録画予約登録要求を前記録画装置に送信する予約情報送信ステップとを備えた、録画予約登録方法。
【請求項２２】
請求項１９に記載の録画予約登録方法の、入力された前記録画予約情報によって特定される時間帯と、前記録画装置の録画予約設定の可能期限とを比較し、前記録画装置において録画予約設定できるときには、前記録画予約情報から前記録画予約登録要求を生成し、前記録画装置において録画予約設定できないときには、前記録画装置において録画予約設定が可能になるまで前記録画予約情報を保持しておき、前記録画装置において録画予約設定が可能になったときに、保持しておいた前記録画予約情報から前記録画予約登録要求を生成する前記制御ステップをコンピュータに実行させるプログラム。
【請求項２３】
請求項２０に記載の録画予約登録方法の、入力された前記録画予約情報によって特定される時間帯と、前記録画装置の２つの前記録画予約設定の可能期限のうち前記録画予約情報の録画予約種類に対応する可能期限とを比較し、前記録画装置において録画予約設定できるときには、前記録画予約情報の録画予約種類に対応した録画予約登録要求を生成し、前記録画装置において録画予約設定できないときには、さらに、入力された前記録画予約情報によって特定される時間帯と、前記録画装置の２つの前記録画予約設定の可能期限のうち前記録画予約情報の録画予約種類とは異なる録画予約種類に対応する可能期限とを比較し、前記録画装置において前記異なる録画予約種類によって録画予約設定できるときには、入力された前記録画予約情報から前記異なる録画予約種類に対応した録画予約登録要求を生成する前記制御ステップをコンピュータに実行させるプログラム。
【請求項２４】
請求項２１に記載の録画予約登録方法の、入力された前記録画予約情報によって特定される時間帯と、前記録画装置の２つの前記録画予約設定の可能期限のうち前記録画予約情報の録画予約種類に対応する可能期限とを比較し、前記録画装置において録画予約設定できるときには、前記録画予約情報の録画予約種類に対応した録画予約登録要求を生成し、前記録画装置において録画予約設定できないときで、かつ前記録画予約情報の録画予約種類とは異なる録画予約種類に対応する可能期限の方が前記録画予約情報の録画予約種類の可能期限よりも長い場合には、さらに、入力された前記録画予約情報によって特定される時間帯と、前記異なる録画予約種類に対応する可能期限とを比較し、前記録画装置において前記異なる録画予約種類によって録画予約設定できるときには、入力された前記録画予約情報から前記異なる録画予約種類に対応した録画予約登録要求を生成する前記制御ステップをコンピュータに実行させるプログラム。
【請求項２５】
請求項２２〜２４のいずれかに記載のプログラムを記録した記録媒体であって、コンピュータにより処理可能な記録媒体。
【手続補正３】
【補正対象書類名】図面
【補正対象項目名】全図
【補正方法】変更
【補正の内容】
【図１】
2010064404.tif 000020
【図２】
2010064404.tif 000021
【図３】
2010064404.tif 000022
【図４】
2010064404.tif 000023
【図５】
2010064404.tif 000024
【図６】
2010064404.tif 000025
【図７】
2010064404.tif 000026
【図８】
2010064404.tif 000027
【図９】
2010064404.tif 000028
【図１０】
2010064404.tif 000029
【図１１】
2010064404.tif 000030
【図１２】
2010064404.tif 000031
【図１３】
2010064404.tif 000032
【図１４】
2010064404.tif 000033
【図１５】
2010064404.tif 000034
【図１６】
2010064404.tif 000035
【図１７】
2010064404.tif 000036
【手続補正書】
【提出日】平成22年4月16日(2010.4.16)
【手続補正１】
【補正対象書類名】明細書
【補正対象項目名】０１７６
【補正方法】変更
【補正の内容】
【０１７６】
制御部１１は、ステップＳ７０においてユーザが指定した録画予約種別による予約設定可能期限の方が長いと判断した場合には、次に、指定された予約種別での録画予約設定可能時期に到達したかの確認を行う（ステップＳ７１）。そして、制御部１１は、指定された予約種別での録画予約設定可能時期に到達すると、記憶部１７に保持しておいた録画予約情報から、ユーザに指定された予約種別である時間指定予約による録画予約登録要求６１を生成し（ステップＳ５１）、ＤＶＲ３０に対して送受信部１６から録画予約登録要求６１を送信させ（ステップＳ５２）、ＤＶＲ３０からの応答６２を送受信部１６によって受信する（ステップＳ５３）。
【国際調査報告】
2010064404.tif 000037
2010064404.tif 000038
2010064404.tif 000039
2010064404.tif 000040